(57)【特許請求の範囲】
【請求項１】
方法であって、
無線デバイス（４０６）が、基地局（４０１）から１つ以上のメッセージを受信することであって、前記１つ以上のメッセージは、
第１のスケジューリング要求（ＳＲ）構成インデックスであって、前記第１のＳＲ構成インデックスは、第１の周期性および第１のオフセットを有する第１のＳＲリソースに関連付けられており、前記第１のＳＲリソースは、少なくとも１つの第１の論理チャネルおよび第１の禁止タイマに対応する、第１のＳＲ構成インデックスと、
第２のＳＲ構成インデックスであって、前記第２のＳＲ構成インデックスは、第２の周期性および第２のオフセットを有する第２のＳＲリソースに関連付けられており、前記第２のＳＲリソースは、少なくとも１つの第２の論理チャネルおよび第２の禁止タイマに対応する、第２のＳＲ構成インデックスと
を含む、ことと、
アップリンクリソースがトリガされたバッファステータスレポート（ＢＳＲ）の伝送のために利用可能でないことに応答して、ＳＲをトリガすることであって、前記トリガされたＢＳＲは、アップリンクデータが前記少なくとも１つの第１の論理チャネルまたは前記少なくとも１つの第２の論理チャネルのうちの一方に対して利用可能になることに応答している、ことと、
前記少なくとも１つの第１の論理チャネルおよび前記少なくとも１つの第２の論理チャネルのうちのどちらが前記ＢＳＲをトリガしたかに基づいて、前記第１のＳＲリソースおよび前記第２のＳＲリソースの間で選択することと、
前記選択されたＳＲリソースを介して前記ＳＲを伝送し、前記選択されたＳＲリソースに対応する禁止タイマを再始動させることと、
１つ以上のトランスポートブロックの伝送のためのアップリンクグラントを受信することと
を含む、方法。
【請求項２】
前記１つ以上のメッセージは、
前記少なくとも１つの第１の論理チャネルの第１の構成パラメータであって、前記第１の構成パラメータは、前記第１のＳＲリソースに関連付けられている前記第１のＳＲ構成インデックスを示す、第１の構成パラメータと、
前記少なくとも１つの第２の論理チャネルの第２の構成パラメータであって、前記第２の構成パラメータは、前記第２のＳＲリソースに関連付けられている前記第２のＳＲ構成インデックスを示す、第２の構成パラメータと
を含む、請求項１に記載の方法。
【請求項３】
前記１つ以上のメッセージは、
前記第１の禁止タイマのための１つ以上の第１のＳＲ禁止タイマ値と、１つ以上の第１のＳＲ伝送カウンタ値と、
前記第２の禁止タイマのための１つ以上の第２のＳＲ禁止タイマ値と、１つ以上の第２のＳＲ伝送カウンタ値と
をさらに含む、請求項１または請求項２に記載の方法。
【請求項４】
前記少なくとも１つの第１の論理チャネルは、第１の値までの１つ以上の第１の伝送持続時間に対応し、
前記少なくとも１つの第２の論理チャネルは、第２の値までの１つ以上の第２の伝送持続時間に対応し、
前記１つ以上の第１の伝送持続時間のうちの第１の伝送持続時間は、第１の伝送時間間隔における第１のトランスポートブロックの伝送のためのものである、請求項１〜３のうちのいずれかに記載の方法。
【請求項５】
無線デバイス（４０６）であって、
１つ以上のプロセッサと、
命令を格納するメモリと
を備え、
前記命令は、前記１つ以上のプロセッサによって実行されたときに、
基地局（４０１）から、１つ以上のメッセージを受信することであって、前記１つ以上のメッセージは、
第１のスケジューリング要求（ＳＲ）構成インデックスであって、前記第１のＳＲ構成インデックスは、第１の周期性および第１のオフセットを有する第１のＳＲリソースに関連付けられており、前記第１のＳＲリソースは、少なくとも１つの第１の論理チャネルおよび第１の禁止タイマに対応する、第１のＳＲ構成インデックスと、
第２のＳＲ構成インデックスであって、前記第２のＳＲ構成インデックスは、第２の周期性および第２のオフセットを有する第２のＳＲリソースに関連付けられており、前記第２のＳＲリソースは、少なくとも１つの第２の論理チャネルおよび第２の禁止タイマに対応する、第２のＳＲ構成インデックスと
を含む、ことと、
アップリンクリソースがトリガされたバッファステータスレポート（ＢＳＲ）の伝送のために利用可能でないことに応答して、ＳＲをトリガすることであって、前記トリガされたＢＳＲは、アップリンクデータが前記少なくとも１つの第１の論理チャネルまたは前記少なくとも１つの第２の論理チャネルのうちの一方に対して利用可能になることに応答している、ことと、
前記少なくとも１つの第１の論理チャネルおよび前記少なくとも１つの第２の論理チャネルのうちのどちらが前記ＢＳＲをトリガしたかに基づいて、前記第１のＳＲリソースおよび前記第２のＳＲリソースの間で選択することと、
前記選択されたＳＲリソースを介して前記ＳＲを伝送し、前記選択されたＳＲリソースに対応する禁止タイマを再始動させることと、
１つ以上のトランスポートブロックの伝送のためのアップリンクグラントを受信することと
を前記無線デバイスに行わせる、無線デバイス。
【請求項６】
前記１つ以上のメッセージは、
前記少なくとも１つの第１の論理チャネルの第１の構成パラメータであって、前記第１の構成パラメータは、前記第１のＳＲリソースに関連付けられている前記第１のＳＲ構成インデックスを示す、第１の構成パラメータと、
前記少なくとも１つの第２の論理チャネルの第２の構成パラメータであって、前記第２の構成パラメータは、前記第２のＳＲリソースに関連付けられている前記第２のＳＲ構成インデックスを示す、第２の構成パラメータと
を含む、請求項５に記載の無線デバイス。
【請求項７】
前記１つ以上のメッセージは、
前記第１の禁止タイマのための１つ以上の第１のＳＲ禁止タイマ値と、１つ以上の第１のＳＲ伝送カウンタ値と、
前記第２の禁止タイマのための１つ以上の第２のＳＲ禁止タイマ値と、１つ以上の第２のＳＲ伝送カウンタ値と
をさらに含む、請求項５または請求項６に記載の無線デバイス。
【請求項８】
前記少なくとも１つの第１の論理チャネルは、第１の値までの１つ以上の第１の伝送持続時間に対応し、
前記少なくとも１つの第２の論理チャネルは、第２の値までの１つ以上の第２の伝送持続時間に対応し、
前記１つ以上の第１の伝送持続時間のうちの第１の伝送持続時間は、第１の伝送時間間隔における第１のトランスポートブロックの伝送のためのものである、請求項５〜７のうちのいずれかに記載の無線デバイス。
【請求項９】
方法であって、
基地局（４０１）が、無線デバイス（４０６）に１つ以上のメッセージを伝送することであって、前記１つ以上のメッセージは、
第１のスケジューリング要求（ＳＲ）構成インデックスであって、前記第１のＳＲ構成インデックスは、第１の周期性および第１のオフセットを有する第１のＳＲリソースに関連付けられており、前記第１のＳＲリソースは、少なくとも１つの第１の論理チャネルおよび第１の禁止タイマに対応する、第１のＳＲ構成インデックスと、
第２のＳＲ構成インデックスであって、前記第２のＳＲ構成インデックスは、第２の周期性および第２のオフセットを有する第２のＳＲリソースに関連付けられており、前記第２のＳＲリソースは、少なくとも１つの第２の論理チャネルおよび第２の禁止タイマに対応する、第２のＳＲ構成インデックスと
を含む、ことと、
前記無線デバイスから、ＳＲリソースを介してＳＲを受信することであって、前記ＳＲリソースは、前記第１のＳＲリソースおよび前記第２のＳＲリソースのうちの一方である、ことと、
前記少なくとも１つの第１の論理チャネルおよび前記少なくとも１つの第２の論理チャネルのうちのどちらが前記ＳＲリソースに対応するかに基づいて、１つ以上のトランスポートブロックの伝送のためのアップリンクグラントを判定することと、
前記アップリンクグラントを前記無線デバイスに伝送することと
を含む、方法。
【請求項１０】
前記１つ以上のメッセージは、
前記少なくとも１つの第１の論理チャネルの第１の構成パラメータであって、前記第１の構成パラメータは、前記第１のＳＲリソースに関連付けられている前記第１のＳＲ構成インデックスを示す、第１の構成パラメータと、
前記少なくとも１つの第２の論理チャネルの第２の構成パラメータであって、前記第２の構成パラメータは、前記第２のＳＲリソースに関連付けられている前記第２のＳＲ構成インデックスを示す、第２の構成パラメータと
を含む、請求項９に記載の方法。
【請求項１１】
前記１つ以上のメッセージは、
前記第１の禁止タイマのための１つ以上の第１のＳＲ禁止タイマ値と、１つ以上の第１のＳＲ伝送カウンタ値と、
前記第２の禁止タイマのための１つ以上の第２のＳＲ禁止タイマ値と、１つ以上の第２のＳＲ伝送カウンタ値と
をさらに含む、請求項９または請求項１０に記載の方法。
【請求項１２】
前記少なくとも１つの第１の論理チャネルは、第１の値までの１つ以上の第１の伝送持続時間に対応し、
前記少なくとも１つの第２の論理チャネルは、第２の値までの１つ以上の第２の伝送持続時間に対応し、
前記１つ以上の第１の伝送持続時間のうちの第１の伝送持続時間は、第１の伝送時間間隔における第１のトランスポートブロックの伝送のためのものである、請求項９〜１１のうちのいずれかに記載の方法。
【請求項１３】
基地局（４０１）であって、
１つ以上のプロセッサと、
命令を格納するメモリと
を備え、
前記命令は、前記１つ以上のプロセッサによって実行されたときに、
無線デバイス（４０６）に１つ以上のメッセージを伝送することであって、前記１つ以上のメッセージは、
第１のスケジューリング要求（ＳＲ）構成インデックスであって、前記第１のＳＲ構成インデックスは、第１の周期性および第１のオフセットを有する第１のＳＲリソースに関連付けられており、前記第１のＳＲリソースは、少なくとも１つの第１の論理チャネルおよび第１の禁止タイマに対応する、第１のＳＲ構成インデックスと、
第２のＳＲ構成インデックスであって、前記第２のＳＲ構成インデックスは、第２の周期性および第２のオフセットを有する第２のＳＲリソースに関連付けられており、前記第２のＳＲリソースは、少なくとも１つの第２の論理チャネルおよび第２の禁止タイマに対応する、第２のＳＲ構成インデックスと
を含む、ことと、
前記無線デバイスから、ＳＲリソースを介してＳＲを受信することであって、前記ＳＲリソースは、前記第１のＳＲリソースおよび前記第２のＳＲリソースのうちの一方である、ことと、
前記少なくとも１つの第１の論理チャネルおよび前記少なくとも１つの第２の論理チャネルのうちのどちらが前記ＳＲリソースに対応するかに基づいて、１つ以上のトランスポートブロックの伝送のためのアップリンクグラントを判定することと、
前記アップリンクグラントを前記無線デバイスに伝送することと
を前記基地局に行わせる、基地局。
【請求項１４】
前記１つ以上のメッセージは、
前記少なくとも１つの第１の論理チャネルの第１の構成パラメータであって、前記第１の構成パラメータは、前記第１のＳＲリソースに関連付けられている前記第１のＳＲ構成インデックスを示す、第１の構成パラメータと、
前記少なくとも１つの第２の論理チャネルの第２の構成パラメータであって、前記第２の構成パラメータは、前記第２のＳＲリソースに関連付けられている前記第２のＳＲ構成インデックスを示す、第２の構成パラメータと
を含む、請求項１３に記載の基地局。
【請求項１５】
前記１つ以上のメッセージは、
前記第１の禁止タイマのための１つ以上の第１のＳＲ禁止タイマ値と、１つ以上の第１のＳＲ伝送カウンタ値と、
前記第２の禁止タイマのための１つ以上の第２のＳＲ禁止タイマ値と、１つ以上の第２のＳＲ伝送カウンタ値と
をさらに含む、請求項１３または請求項１４に記載の基地局。
【発明の詳細な説明】
【背景技術】
【０００１】
本出願は、２０１７年５月４日に出願された米国仮特許出願第６２／５０１，５５６号、および２０１７年６月２日に出願された米国仮特許出願第６２／５１４，２９２号の利益を主張し、それらは、それらの全体が、参照により本明細書に組み込まれる。
【発明の概要】
【課題を解決するための手段】
【０００２】
本発明の例示的な実施形態は、キャリアアグリゲーションの動作を可能にする。ここに開示する技術の複数の実施形態を、マルチキャリア通信システムの技術分野において用いることが可能である。より具体的には、本明細書に開示された技術の実施形態は、マルチキャリア通信システムにおけるスケジューリング要求に関し得る。
本発明は、例えば、以下を提供する。
（項目１）
方法であって、
基地局から、無線デバイスによって、１つ以上のメッセージを受信することであって、前記１つ以上のメッセージが、
第１の論理チャネルに対応する、前記基地局の第１のスケジューリング要求（ＳＲ）リソースであって、前記第１の論理チャネルが、第１の値に至るまで１つ以上の第１の伝送持続時間に対応する、第１のスケジューリング要求（ＳＲ）リソースと、
第２の論理チャネルに対応する、前記基地局の第２のＳＲリソースであって、前記第２の論理チャネルが、第２の値に至るまで１つ以上の第２の伝送持続時間に対応する、第２のＳＲリソースと、を示す、受信することと、
アップリンクリソースがトリガされたバッファステータスレポート（ＢＳＲ）の伝送のためには利用可能ではないことに応答して、ＳＲをトリガすることであって、前記トリガされたＢＳＲは、アップリンクデータが前記第１の論理チャネルまたは前記第２の論理チャネルのうちの一方に対して利用可能になることに応答している、トリガすることと、
前記基地局に、前記ＢＳＲをトリガした論理チャネルに対応するＳＲリソースを介して、前記ＳＲを伝送することであって、前記ＳＲリソースが、
前記第１の論理チャネルに対応する前記第１のＳＲリソース、または
前記第２の論理チャネルに対応する前記第２のＳＲリソース、のうちの一方である、伝送することと、
前記基地局から、前記ＳＲを伝送することに応答して、前記第１の論理チャネルまたは前記第２の論理チャネルのうちの前記一方に対応する伝送持続時間内における１つ以上のトランスポートブロックの伝送のためのアップリンクグラントを受信することと、を含む、方法。
（項目２）
前記アップリンクグラントに応答して、前記ＢＳＲを含む前記１つ以上のトランスポートブロックを伝送することをさらに含む、項目１に記載の方法。
（項目３）
前記１つ以上のトランスポートブロックが、物理アップリンク共有チャネルを介して伝送される、項目１または２に記載の方法。
（項目４）
前記ＳＲを前記伝送することは、前記トリガされたＢＳＲが、アップリンクデータが前記第１の論理チャネルに対して利用可能になることに応答しているときに、前記第１のＳＲリソースを介しており、
前記ＳＲを前記伝送することは、前記トリガされたＢＳＲが、アップリンクデータが前記第２の論理チャネルに対して利用可能になることに応答しているときに、前記第２のＳＲリソースを介している、項目１〜３のうちのいずれか一項に記載の方法。
（項目５）
前記第１の論理チャネルおよび前記第２の論理チャネルが、同じ基地局へのデータ伝送のためである、項目１〜４のうちのいずれか一項に記載の方法。
（項目６）
前記１つ以上のメッセージが、
前記第１のＳＲリソースに対応する第１のＳＲ構成のための第１のＳＲ構成インデックスと、
前記第２のＳＲリソースに対応する第２のＳＲ構成のための第２のＳＲ構成インデックスと、を示す、項目１または５のうちのいずれか一項に記載の方法。
（項目７）
前記第１のＳＲ構成が、１つ以上の第１のＳＲ禁止タイマ値と、１つ以上の第１のＳＲ伝送カウンタ値と、を示し、
前記第２のＳＲ構成が、１つ以上の第２のＳＲ禁止タイマ値と、１つ以上の第２のＳＲ伝送カウンタ値と、を示す、項目１〜６のうちのいずれか一項に記載の方法。
（項目８）
前記１つ以上のメッセージは、
前記第１の論理チャネルが、前記第１のＳＲ構成に対応することと、
前記第２の論理チャネルが、前記第２のＳＲ構成に対応することと、を示す、項目１〜７のうちのいずれか一項に記載の方法。
（項目９）
前記１つ以上の第１の伝送持続時間のうちの第１の伝送持続時間が、第１の伝送時間間隔における第１のトランスポートブロックの伝送のためである、項目１〜８のうちのいずれか一項に記載の方法。
（項目１０）
前記第１の論理チャネルが、第１のサービス品質要件に対応し、前記第２の論理チャネルが、第２のサービス品質要件に対応する、項目１〜９のうちのいずれか一項に記載の方法。
（項目１１）
前記アップリンクグラントが、前記１つ以上のトランスポートブロックの前記伝送のための伝送パラメータを含む、項目１〜１０のうちのいずれか一項に記載の方法。
（項目１２）
前記１つ以上のトランスポートブロックが、前記第１の論理チャネルまたは前記第２の論理チャネルのうちの前記一方を含む１つ以上の論理チャネルからのデータを含む、項目１〜１１のうちのいずれか一項に記載の方法。
（項目１３）
前記１つ以上のメッセージは、第１のセルが前記第１の論理チャネルのための許可されたサービングセルであることを示し、
前記アップリンクグラントが、前記第１のセルを介して、前記１つ以上のトランスポートブロックの前記伝送を示す、項目１〜１２のうちのいずれか一項に記載の方法。
（項目１４）
無線デバイスであって、
１つ以上のプロセッサと、
命令を格納するメモリであって、該命令が、前記１つ以上のプロセッサによって実行されたときに、前記無線デバイスに、
基地局から、
第１の論理チャネルに対応する、前記基地局の第１のスケジューリング要求（ＳＲ）リソースであって、前記第１の論理チャネルが、第１の値に至るまで、１つ以上の第１の伝送持続時間に対応する、第１のスケジューリング要求（ＳＲ）リソースと、
第２の論理チャネルに対応する、前記基地局の第２のＳＲリソースであって、前記第２の論理チャネルが、第２の値に至るまで、１つ以上の第２の伝送持続時間に対応する、第２のＳＲリソースと、を示す、１つ以上のメッセージを受信することと、
アップリンクリソースがトリガされたバッファステータスレポート（ＢＳＲ）の伝送のために利用可能でないことに応答して、ＳＲをトリガすることであって、前記トリガされたＢＳＲは、アップリンクデータが前記第１の論理チャネルまたは前記第２の論理チャネルのうちの一方に対して利用可能になることに応答している、トリガすることと、
前記基地局に、前記ＢＳＲをトリガした論理チャネルに対応するＳＲリソースを介して前記ＳＲを伝送することであって、前記ＳＲリソースが、
前記第１の論理チャネルに対応する前記第１のＳＲリソース、または
前記第２の論理チャネルに対応する前記第２のＳＲリソース、のうちの一方である、伝送することと、
前記基地局から、前記ＳＲを前記伝送することに応答して、前記第１の論理チャネルまたは前記第２の論理チャネルのうちの前記一方に対応する伝送持続時間内に１つ以上のトランスポートブロックの伝送のためのアップリンクグラントを受信することと、を行わせる、メモリと、を備える、無線デバイス。
（項目１５）
前記命令は、実行されたときに、前記無線デバイスに、前記アップリンクグラントに応答して、前記ＢＳＲを含む前記１つ以上のトランスポートブロックをさらに伝送させる、項目１４に記載の無線デバイス。
（項目１６）
前記１つ以上のトランスポートブロックが、物理アップリンク共有チャネルを介して伝送される、項目１４または１５のうちのいずれか一項に記載の無線デバイス。
（項目１７）
前記ＳＲを前記伝送することは、前記トリガされたＢＳＲが、アップリンクデータが前記第１の論理チャネルに対して利用可能になることに応答しているときに、前記第１のＳＲリソースを介しており、
前記ＳＲを前記伝送することは、前記トリガされたＢＳＲが、アップリンクデータが前記第２の論理チャネルに対して利用可能になることに応答しているときに、前記第２のＳＲリソースを介している、項目１４〜１６のうちのいずれか一項に記載の無線デバイス。
（項目１８）
前記第１の論理チャネルおよび前記第２の論理チャネルが、同じ基地局へのデータ伝送のためである、項目１４〜１７のうちのいずれか一項に記載の無線デバイス。
（項目１９）
前記１つ以上のメッセージが、
前記第１のＳＲリソースに対応する第１のＳＲ構成のための第１のＳＲ構成インデックスと、
前記第２のＳＲリソースに対応する第２のＳＲ構成のための第２のＳＲ構成インデックスと、を示す、項目１４〜１８のうちのいずれか一項に記載の無線デバイス。
（項目２０）
前記第１のＳＲ構成が、１つ以上の第１のＳＲ禁止タイマ値と、１つ以上の第１のＳＲ伝送カウンタ値と、を示し、
前記第２のＳＲ構成が、１つ以上の第２のＳＲ禁止タイマ値と、１つ以上の第２のＳＲ伝送カウンタ値と、を示す、項目１４〜１９のうちのいずれか一項に記載の無線デバイス。
（項目２１）
前記１つ以上のメッセージは、
前記第１の論理チャネルが、前記第１のＳＲ構成に対応することと、
前記第２の論理チャネルが、前記第２のＳＲ構成に対応することと、を示す、項目１４〜２０のうちのいずれか一項に記載の無線デバイス。
（項目２２）
前記１つ以上の第１の伝送持続時間のうちの第１の伝送持続時間が、第１の伝送時間間隔において、第１のトランスポートブロックの伝送のためである、項目１４〜２１のうちのいずれか一項に記載の無線デバイス。
（項目２３）
前記第１の論理チャネルが、第１のサービス品質要件に対応し、前記第２の論理チャネルが、第２のサービス品質要件に対応する、項目１４〜２２のうちのいずれか一項に記載の無線デバイス。
（項目２４）
前記アップリンクグラントが、前記１つ以上のトランスポートブロックの前記伝送のための伝送パラメータを含む、項目１４〜２３のうちのいずれか一項に記載の無線デバイス。
（項目２５）
前記１つ以上のトランスポートブロックが、前記第１の論理チャネルまたは前記第２の論理チャネルのうちの前記一方を含む１つ以上の論理チャネルからのデータを含む、項目１４〜２４のうちのいずれか一項に記載の無線デバイス。
（項目２６）
前記１つ以上のメッセージは、第１のセルが前記第１の論理チャネルのための許可されたサービングセルであることを示し、
前記アップリンクグラントが、前記第１のセルを介して、前記１つ以上のトランスポートブロックの前記伝送を示す、項目１４〜２５のうちのいずれか一項に記載の無線デバイス。
（項目２７）
方法であって、
基地局から、無線デバイスによって、
前記基地局の、第１の論理チャネルに対応する第１のスケジューリング要求（ＳＲ）リソースと、
前記基地局の、第２の論理チャネルに対応する第２のＳＲリソースと、を示す、１つ以上のメッセージ受信することと、
アップリンクリソースがトリガされたバッファステータスレポート（ＢＳＲ）の伝送のためには利用可能でないことに応答して、ＳＲをトリガすることであって、前記トリガされたＢＳＲは、アップリンクデータが前記第１の論理チャネルまたは前記第２の論理チャネルのうちの一方に対して利用可能になることに応答している、トリガすることと、
前記基地局に、前記ＢＳＲをトリガした論理チャネルに対応するＳＲリソースを介して、前記ＳＲを伝送することであって、前記ＳＲリソースが、
前記第１の論理チャネルに対応する前記第１のＳＲリソース、または
前記第２の論理チャネルに対応する前記第２のＳＲリソース、のうちの一方である、伝送することと、
前記基地局から、前記ＳＲを前記伝送することに応答して、１つ以上のトランスポートブロックの伝送のためのアップリンクグラントを受信することと、を含む、方法。
（項目２８）
前記アップリンクグラントに応答して、前記ＢＳＲを含む前記１つ以上のトランスポートブロックを伝送することをさらに含む、項目２７に記載の方法。
（項目２９）
前記１つ以上のメッセージが、
前記第１のＳＲリソースに対応する第１のＳＲ構成のための第１のＳＲ構成インデックスと、
前記第２のＳＲリソースに対応する第２のＳＲ構成のための第２のＳＲ構成インデックスと、を示す、項目２７または２８のうちのいずれか一項に記載の方法。
（項目３０）
前記第１のＳＲ構成が、１つ以上の第１のＳＲ禁止タイマ値と、１つ以上の第１のＳＲ伝送カウンタ値と、を示し、
前記第２のＳＲ構成が、１つ以上の第２のＳＲ禁止タイマ値と、１つ以上の第２のＳＲ伝送カウンタ値と、を示す、項目２７〜２９のうちのいずれか一項に記載の方法。
（項目３１）
前記１つ以上のメッセージが、
前記第１の論理チャネルが、前記第１のＳＲ構成に対応することと、
前記第２の論理チャネルが、前記第２のＳＲ構成に対応することと、を示す、項目２７〜３０のうちのいずれか一項に記載の方法。
（項目３２）
前記第１の論理チャネルが、第１のサービス品質要件に対応し、前記第２の論理チャネルが、第２のサービス品質要件に対応する、項目２７〜３１のうちのいずれか一項に記載の方法。
（項目３３）
前記アップリンクグラントが、前記１つ以上のトランスポートブロックの前記伝送のための伝送パラメータを含む、項目２７〜３２のうちのいずれか一項に記載の方法。
（項目３４）
前記１つ以上のトランスポートブロックが、前記第１の論理チャネルまたは前記第２の論理チャネルのうちの前記一方を含む１つ以上の論理チャネルからのデータを含む、項目２７〜３３のうちのいずれか一項に記載の方法。
【図面の簡単な説明】
【０００３】
本発明の様々な実施形態のうちのいくつかの例が、図面を参照して本明細書に記載されている。
【０００４】
【図１】本発明の一実施形態の一態様によるＯＦＤＭサブキャリアの例示的なセットを描写する図である。
【図２】本発明の一実施形態の一態様による、キャリアグループ内の２つのキャリアに対する例示的な伝送時間および受信時間を描写する図である。
【図３】本発明の一実施形態の一態様によるＯＦＤＭ無線リソースを描写する図である。
【図４】本発明の一実施形態の一態様による基地局および無線デバイスのブロック図である。
【図５Ａ】本発明の一実施形態の一態様による、アップリンクおよびダウンリンク信号伝送の例示的な図である。
【図５Ｂ】本発明の一実施形態の一態様による、アップリンクおよびダウンリンク信号伝送の例示的な図である。
【図５Ｃ】本発明の一実施形態の一態様による、アップリンクおよびダウンリンク信号伝送の例示的な図である。
【図５Ｄ】本発明の一実施形態の一態様による、アップリンクおよびダウンリンク信号伝送の例示的な図である。
【図６】本発明の一実施形態の一態様による、マルチ接続性を有するプロトコル構造の例示的な図である。
【図７】本発明の一実施形態の一態様による、ＣＡおよびＤＣを有するプロトコル構造の例示的な図である。
【図８】本発明の一実施形態の一態様による例示的なＴＡＧ構成を示す。
【図９】本発明の一実施形態の一態様による、セカンダリＴＡＧ内のランダムアクセスプロセスにおける例示的なメッセージフローである。
【図１０Ａ】本発明の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１０Ｂ】本発明の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１１Ａ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｂ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｃ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｄ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｅ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｆ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１２Ａ】本発明の一実施形態の一態様による、緊密なインターワーキングベアラの無線プロトコル構造の例示的な図である。
【図１２Ｂ】本発明の一実施形態の一態様による、緊密なインターワーキングベアラの無線プロトコル構造の例示的な図である。
【図１２Ｃ】本発明の一実施形態の一態様による、緊密なインターワーキングベアラの無線プロトコル構造の例示的な図である。
【図１３Ａ】本発明の一実施形態の一態様によるｇＮＢ展開シナリオの例示的な図である。
【図１３Ｂ】本発明の一実施形態の一態様によるｇＮＢ展開シナリオの例示的な図である。
【図１４】本発明の一実施形態の一態様による、集中型ｇＮＢ展開シナリオの機能分割オプション例に対する例示的な図である。
【図１５】本発明の一実施形態の一態様による、例示的なスケジューリング要求プロシージャの説明図である。
【図１６】本発明の一実施形態の一態様による、例示的なスケジューリング要求プロシージャの説明図である。
【図１７】本発明の一実施形態の一態様による、例示的なスケジューリング要求プロシージャの説明図である。
【図１８】本発明の一実施形態の一態様による、例示的なスケジューリング要求プロシージャの説明図である。
【図１９】本発明の一実施形態の一態様による、例示的なスケジューリング要求プロシージャの説明図である。
【図２０】本発明の一実施形態の一態様による、例示的なスケジューリング要求プロシージャの説明図である。
【図２１】本発明の一実施形態の一態様による、例示的なスケジューリング要求プロシージャの説明図である。
【図２２】本発明の一実施形態の一態様による、例示的なスケジューリング要求プロシージャの説明図である。
【図２３】本発明の一実施形態の一態様による、例示的なスケジューリング要求プロシージャの説明図である。
【図２４】本発明の一実施形態の一態様による、例示的なスケジューリング要求プロシージャの説明図である。
【図２５】本発明の一実施形態の一態様による、例示的なスケジューリング要求プロシージャの説明図である。
【図２６】本発明の一実施形態の一態様による、例示的なスケジューリング要求プロシージャの説明図である。
【図２７】本発明の一実施形態の一態様による、例示的なスケジューリング要求プロシージャの説明図である。
【図２８】本発明の一実施形態の一態様による、例示的なスケジューリング要求プロシージャの説明図である。
【図２９】本発明の一実施形態の一態様による、例示的なスケジューリング要求プロシージャの説明図である。
【図３０】本発明の一実施形態の一態様による、例示的なフロー図である。
【図３１】本発明の一実施形態の一態様による、例示的なフロー図である。
【図３２】本発明の一実施形態の一態様による、例示的なフロー図である。
【図３３】本発明の一実施形態の一態様による、例示的なフロー図である。
【図３４】本発明の一実施形態の一態様による、例示的なフロー図である。
【図３５】本発明の一実施形態の一態様による、例示的なフロー図である。
【図３６】本発明の一実施形態の一態様による、例示的なフロー図である。
【発明を実施するための形態】
【０００５】
本開示を通じ、以下の略称が使用される。
【表１−１】
0006845535.tif 000002
【表１−２】
0006845535.tif 000003
【表１−３】
0006845535.tif 000004
【０００６】
本発明の例示的な実施形態は、種々の物理レイヤ変調および伝送メカニズムを使用して具現化されてもよい。例示的伝送メカニズムとして、限定ではないが、ＣＤＭＡ、ＯＦＤＭ、ＴＤＭＡ、ウェーブレット技術、および／または同等物が挙げられる。ＴＤＭＡ／ＣＤＭＡおよびＯＦＤＭ／ＣＤＭＡ等のハイブリッド伝送メカニズムもまた、用いられ得る。様々な変調方式を、物理レイヤ内の信号伝送に適用することができる。変調方式の例としては、位相、振幅、コード、これらの組み合わせ、および／または同様のものが挙げられるが、これらに限定されない。例示的な無線伝送方法が、ＢＰＳＫ、ＱＰＳＫ、１６−ＱＡＭ、６４−ＱＡＭ、２５６−ＱＡＭ、および／または同等物を使用して、ＱＡＭを具現化してもよい。物理的な無線伝送は、伝送要件および無線条件に応じて、変調および符号化方式を動的または準動的に変化させることによって、強化することができる。
【０００７】
図１は、本発明の一実施形態の一態様によるＯＦＤＭサブキャリアの例示的なセットを描写する図である。本実施例に図示されるように、図内の矢印が、マルチキャリアＯＦＤＭシステム内のサブキャリアを描写し得る。ＯＦＤＭシステムは、ＯＦＤＭ技術、ＤＦＴＳ−ＯＦＤＭ技術、ＳＣ−ＯＦＤＭ技術、または同等物等の技術を使用し得る。例えば、矢印１０１は、サブキャリア伝送情報シンボルを示す。図１は、例解目的であり、典型的なマルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に図示されるように、ガードバンド１０６は、サブキャリア１０３とサブキャリア１０４との間にある。サブキャリアＡ１０２の例示的なセットは、サブキャリア１０３と、サブキャリア１０４と、を含む。図１はまた、サブキャリアＢ１０５の例示的なセットを例解する。図示されるように、サブキャリアＢ１０５の例示的セット内には、任意の２つのサブキャリアの間にガードバンドが存在しない。マルチキャリアＯＦＤＭ通信システム内のキャリアは、連続キャリア、非連続キャリア、または連続キャリアおよび非連続キャリア両方の組み合わせであり得る。
【０００８】
図２は、本発明の一実施形態の一態様による、２つのキャリアに対する例示的な伝送時間および受信時間を描写する図である。マルチキャリアＯＦＤＭ通信システムが、例えば、１〜１０の範囲のキャリアに及ぶ、１つ以上のキャリアを含んでもよい。キャリアＡ２０４およびキャリアＢ２０５は、同じまたは異なるタイミング構造を有してもよい。図２は、２つの同期されたキャリアを示すが、キャリアＡ２０４およびキャリアＢ２０５は、相互に同期されても、またはそうではなくてもよい。複数の異なる無線フレーム構造が、ＦＤＤおよびＴＤＤ複信メカニズムに対してサポートされてもよい。図２は、例示的なＦＤＤフレームタイミングを示す。ダウンリンクおよびアップリンク伝送が、無線フレーム２０１の中に編成されてもよい。本実施例では、無線フレーム持続時間は、１０ミリ秒である。例えば１〜１００ミリ秒の範囲内などの、その他のフレーム持続時間もまた、サポートされてもよい。本実施例では、各１０ミリ秒無線フレーム２０１が、１０個の等しいサイズのサブフレーム２０２に分割されてもよい。０．５ミリ秒、１ミリ秒、２ミリ秒、および５ミリ秒などの、その他のサブフレーム持続時間もまた、サポートされてもよい。サブフレーム（複数可）は、２つ以上のスロット（例えば、スロット２０６および２０７）から成ってもよい。ＦＤＤの実施例の場合には、各１０ミリ秒間隔において、１０個のサブフレームが、ダウンリンク伝送のために利用可能であってもよく、１０個のサブフレームが、アップリンク伝送のために利用可能であってもよい。アップリンクおよびダウンリンク伝送は、周波数領域内で分離することができる。スロットは、ノーマルＣＰを有する、６０ｋＨｚまでの同じサブキャリア間隔の場合、７または１４個のＯＦＤＭシンボルとすることができる。スロットは、ノーマルＣＰを有する、６０ｋＨｚよりも大きい同じサブキャリア間隔の場合、１４個のＯＦＤＭシンボルとすることができる。スロットは、すべてのダウンリンク、すべてのアップリンク、またはダウンリンク部分およびアップリンク部分、ならびに／または同様のものを収容することができる。スロットアグリゲーションが、サポートされ得、例えば、データ伝送は、スケジュール設定されて１つまたは複数のスロットの範囲におよび得る。一実施例では、ミニスロットが、サブフレーム内のＯＦＤＭシンボルで開始し得る。ミニスロットは、１つ以上のＯＦＤＭシンボルの持続時間を有することができる。スロット（複数可）は、複数のＯＦＤＭシンボル２０３を含んでもよい。スロット２０６内のＯＦＤＭシンボル２０３の数が、サイクリックプレフィックス長およびサブキャリア間隔に依存してもよい。
【０００９】
図３は、本発明の一実施形態の一態様によるＯＦＤＭ無線リソースを描写する図である。時間３０４および周波数３０５におけるリソースグリッド構造が、図３に例解されている。ダウンリンクサブキャリアまたはＲＢの量は、セル内で構成されたダウンリンク伝送バンド幅３０６に、少なくとも部分的に依存し得る。最小無線リソースユニットが、リソース要素（例えば、３０１）と呼ばれてもよい。リソース要素は、リソースブロック（例えば、３０２）にグループ化され得る。リソースブロックは、リソースブロックグループ（ＲＢＧ）（例えば、３０３）と呼ばれるより大きい無線リソースにグループ化され得る。スロット２０６内で伝送される信号は、複数のサブキャリアおよび複数のＯＦＤＭシンボルのうちの１つまたはいくつかのリソースグリッドによって記述され得る。リソースブロックは、リソース要素へのある物理チャネルのマッピングを記述するために使用され得る。物理的リソース要素の他の事前定義されたグループ化も、無線技術に応じて、システムにおいて実装され得る。例えば、２４個のサブキャリアが、５ミリ秒の持続時間の間、無線ブロックとしてグループ化されてもよい。例示的な一実施例においては、リソースブロックが、（１５ＫＨｚサブキャリア帯域幅および１２個のサブキャリアに関して）時間ドメイン内の１つのスロットおよび周波数ドメイン内の１８０ｋＨｚに対応してもよい。
【００１０】
例示的な実施形態では、複数の数秘術が、サポートされ得る。一実施例では、数秘術は、基本サブキャリア間隔を整数Ｎによりスケーリングすることによって導出され得る。一実施例では、スケーリング可能な数秘術は、少なくとも１５ｋＨｚ〜４８０ｋＨｚのサブキャリア間隔を可能にすることができる。１５ｋＨｚを有する数秘術、および同じＣＰオーバーヘッドを有する、異なるサブキャリア間隔を有するスケーリングされた数秘術は、ＮＲキャリア内で１ミリ秒毎にシンボル境界において整列することができる。
【００１１】
図５Ａ、図５Ｂ、図５Ｃ、および図５Ｄは、本発明の一実施形態の一態様による、アップリンクおよびダウンリンク信号伝送の例示的な図である。図５Ａは、例示的なアップリンク物理チャネルを示す。物理アップリンク共有チャネルを表すベースバンド信号は、以下のプロセスを実行することができる。これらの機能は、例として例解されており、他のメカニズムが様々な実施形態において実装され得ることが想定される。機能は、スクランブリング、複素数値シンボルを生成するためのスクランブリングされたビットの変調、１つまたはいくつかの伝送レイヤ上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、および／または同等物を含んでもよい。
【００１２】
各アンテナポートに対する複素数値ＤＦＴＳ−ＯＦＤＭ／ＳＣ−ＦＤＭＡベースバンド信号、および／または複素数値ＰＲＡＣＨベースバンド信号のキャリア周波数への例示的な変調および上方変換が、図５Ｂに示される。フィルタリングは、伝送の前に用いられてもよい。
【００１３】
ダウンリンク伝送のための例示的構造が、図５Ｃに示される。ダウンリンク物理チャネルを表すベースバンド信号は、以下のプロセスを実行し得る。これらの機能は、例として例解されており、他のメカニズムが様々な実施形態において実装され得ることが想定される。機能は、物理チャネル上で伝送されるべきコードワードの各々の中にコード化されたビットのスクランブリング、複素数値変調シンボルを生成するためのスクランブリングされたビットの変調、１つまたはいくつかの伝送レイヤ上への複素数値変調シンボルのマッピング、アンテナポート上での伝送のための各レイヤ上での複素数値変調シンボルのプリコーディング、リソース要素への各アンテナポートに対する複素数値変調シンボルのマッピング、各アンテナポートに対する複素数値時間ドメインＯＦＤＭ信号の生成、および／または同等物を含む。
【００１４】
各アンテナポートに対する複素数値ＯＦＤＭベースバンド信号のキャリア周波数への例示的な変調および上方変換が、図５Ｄに示される。フィルタリングは、伝送の前に用いられてもよい。
【００１５】
図４は、本発明の一実施形態の一態様による、基地局４０１および無線デバイス４０６の例示的なブロック図である。通信ネットワーク４００が、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一時的メモリ４０４内に記憶され、かつ少なくとも１つのプロセッサ４０３によって実行可能な少なくとも１セットのプログラムコード命令４０５と、を含み得る。無線デバイス４０６は、少なくとも１つの通信インターフェース４０７と、少なくとも１つのプロセッサ４０８と、非一時的メモリ４０９内に記憶され、かつ少なくとも１つのプロセッサ４０８によって実行可能な少なくとも１セットのプログラムコード命令４１０と、を含み得る。基地局４０１内の通信インターフェース４０２は、少なくとも１つの無線リンク４１１を含む通信経路を介して、無線デバイス４０６内の通信インターフェース４０７との通信を行うように構成されていてもよい。無線リンク４１１は、双方向リンクであってもよい。無線デバイス４０６内の通信インターフェース４０７もまた、基地局４０１内の通信インターフェース４０２との通信を行うように構成されていてもよい。基地局４０１および無線デバイス４０６が、複数の周波数キャリアを使用し、無線リンク４１１を経由して、データを送受信するように構成されていてもよい。実施形態のうちのいくつかの様々な態様によれば、送受信機（複数可）が使用され得る。送受信機は、送信機および受信機の両方を有するデバイスである。送受信機が、無線デバイス、基地局、中継ノード、および／または同等物等のデバイス内で用いられてもよい。通信インターフェース４０２、４０７、および無線リンク４１１において実装される無線技術に関する例示的な実施形態が、例解され、図１、図２、図３、図５、および関連するテキストである。
【００１６】
インターフェースが、ハードウェアインターフェース、ファームウェアインターフェース、ソフトウェアインターフェース、および／またはそれらの組み合わせであってもよい。ハードウェアインターフェースは、コネクタ、ワイヤ、電子デバイス、例えば、ドライバ、増幅器、および／または同等物を含んでもよい。ソフトウェアインターフェースが、メモリデバイス内に記憶され、プロトコル、プロトコルレイヤ、通信ドライバ、デバイスドライバ、それらの組み合わせ、および／または同等物を具現化するコードを含んでもよい。ファームウェアインターフェースが、組込み型ハードウェアと、メモリデバイス内に記憶され、および／またはこれと通信し、接続、電子デバイス動作、プロトコル、プロトコルレイヤ、通信ドライバ、デバイスドライバ、ハードウェア動作、これらの組み合わせ、および／または同等物を具現化するコードの組み合わせを含んでもよい。
【００１７】
構成されるという用語は、デバイスが動作状態または非動作状態にあるかどうかに関わらず、デバイスの能力と関連し得る。構成されるとは、また、そのデバイスが動作状態または非動作状態にあるかどうかにかかわらず、そのデバイスの動作特性に影響を及ぼすデバイス内の特定の設定を指し得る。換言すると、ハードウェア、ソフトウェア、ファームウェア、レジスタ、メモリ値、および／または同等物は、デバイスが動作状態または非動作状態にあるかどうかに関わらず、デバイスに具体的特性を提供するように、デバイス内で「構成」されていてもよい。「デバイス内で生じさせるための制御メッセージ」等の用語は、デバイスが動作状態または非動作状態にあるかどうかに関わらず、デバイス内の具体的特性を構成するために使用され得るパラメータを、制御メッセージが有することを意味し得る。
【００１８】
実施形態の様々な態様のいくつかによれば、５Ｇネットワークは、多数の基地局を含むことができ、無線デバイスに向かうユーザプレーンＮＲ  ＰＤＣＰ／ＮＲ  ＲＬＣ／ＮＲ  ＭＡＣ／ＮＲ  ＰＨＹおよび制御プレーン（ＮＲ  ＲＲＣ）プロトコル終端を提供する。基地局（複数可）は、他の基地局（複数可）と相互接続されることができる（例えば、Ｘｎインターフェースを使用する）。基地局はまた、例えば、ＮＧインターフェースを使用して、ＮＧＣに接続され得る。図１０Ａおよび図１０Ｂは、本発明の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。例えば、基地局は、ＮＧ−Ｃインターフェースを使用するＮＧＣ制御プレーン（例えば、ＮＧ  ＣＰ）に、およびＮＧ−Ｕインターフェースを使用するＮＧＣユーザプレーン（例えば、ＵＰＧＷ）に相互接続されてもよい。ＮＧインターフェースは、５Ｇコアネットワークと基地局との間の多対多の関係をサポートすることができる。
【００１９】
基地局が、多くのセクタ、例えば、１、２、３、４、または６つのセクタを含んでもよい。基地局が、多くのセル、例えば、１〜５０以上のセルを含んでもよい。セルは、例えば、プライマリセルまたはセカンダリセルとして、分類され得る。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。このセルは、プライマリセル（ＰＣｅｌｌ）と呼ばれることがある。ダウンリンクでは、ＰＣｅｌｌに対応するキャリアは、ダウンリンクプライマリコンポーネントキャリア（ＤＬ  ＰＣＣ）であってもよく、一方、アップリンクでは、そのキャリアは、アップリンクプライマリコンポーネントキャリア（ＵＬ  ＰＣＣ）であってもよい。無線デバイス能力に応じて、セカンダリセル（ＳＣｅｌｌ）は、ＰＣｅｌｌと共に、サービングセルのセットを形成するように構成され得てもよい。ダウンリンクでは、ＳＣｅｌｌに対応するキャリアは、ダウンリンクセカンダリコンポーネントキャリア（ＤＬ  ＳＣＣ）であってもよく、一方、アップリンクでは、アップリンク二次コンポーネントキャリア（ＵＬ  ＳＣＣ）であってもよい。ＳＣｅｌｌは、アップリンクキャリアを有しても有していなくてもよい。
【００２０】
セルは、ダウンリンクキャリア、および任意選択的にアップリンクキャリアを含み、物理セルＩＤおよびセルインデックスを割り当てられることができる。キャリア（ダウンリンクまたはアップリンク）が、１つのセルのみに属してもよい。セルＩＤまたはセルインデックスはまた、セルのダウンリンクキャリアまたはアップリンクキャリアを識別することもできる（使用状況に応じて、それが使用される）。本明細書では、セルＩＤは、等しくキャリアＩＤを意味し得、セルインデックスは、キャリアインデックスを意味し得る。実装態様では、物理セルＩＤまたはセルインデックスは、セルに割り当てられてもよい。セルＩＤが、ダウンリンクキャリア上で伝送される同期信号を使用して判定されてもよい。セルインデックスが、ＲＲＣメッセージを使用して判定されてもよい。例えば、本明細書が第１のダウンリンクキャリアに対する第１の物理セルＩＤに言及した場合、本明細書は、第１の物理セルＩＤが、第１のダウンリンクキャリアを含むセルのためのものであることを意味し得る。同じ概念は、例えば、キャリアアクティブ化に適用することができる。本明細書が、第１のキャリアがアクティベートされることを示す場合、本明細書は、第１のキャリアを含むセルがアクティベートされることを同等に意味し得る。
【００２１】
実施形態は、必要に応じて、動作するように構成することができる。開示されるメカニズムは、例えば、無線デバイス、基地局、無線環境、ネットワーク、上記の組み合わせ、および／または同等物において、ある基準が満たされている場合に実行され得る。例示的な基準は、例えば、トラフィック負荷、初期システム設定、パケットサイズ、トラフィック特性、上記の組み合わせ、および／または同等物に少なくとも部分的に基づいていてもよい。１つ以上の基準が満たされている場合に、様々な例示的な実施形態が適用され得る。したがって、本開示のプロトコルを選択的に実行する例示的な実施形態を実施することが可能であり得る。
【００２２】
基地局は、混在した無線デバイスと通信することができる。無線デバイスは、複数の技術および／または同一技術の複数のリリースをサポートしてもよい。無線デバイスは、その無線デバイスカテゴリおよび／または能力（複数可）に応じて、いくつかの具体的能力（複数可）を有してもよい。基地局が、複数のセクタを含んでもよい。本開示が複数の無線デバイスと通信する基地局に言及する際、本開示は、カバレッジ領域内のすべての無線デバイスのサブセットに言及し得る。本開示は、例えば、所与の能力を有し、かつ基地局の所与のセクタ内にある、所与のＬＴＥまたは５Ｇリリースの複数の無線デバイスに言及し得る。本開示における複数の無線デバイスは、選択された複数の無線デバイス、および／または開示される方法に従って機能する、カバレッジ領域内のすべての無線デバイスのうちのサブセット、および／または同様のものを対象とすることができる。カバレッジ領域には、開示された方法に適合することができない複数の無線デバイスが存在してもよく、例えば、その理由は、それらの無線デバイスが、ＬＴＥまたは５Ｇ技術のより古いリリースに基づいて動作するからである。
【００２３】
図６および図７は、本発明の一実施形態の一態様による、ＣＡおよびマルチコネクティビティを用いたプロトコル構造の例示的な図である。ＮＲは、マルチコネクティビティ動作をサポートすることができ、それによって、ＲＲＣ＿ＣＯＮＮＥＣＴＥＤ内の複数のＲＸ／ＴＸＵＥは、Ｘｎインターフェース上の非理想的または理想的バックホールを介して接続された複数のｇＮＢ内に置かれた複数のスケジューラによって提供される無線リソースを利用するように構成され得る。特定のＵＥに対してマルチコネクティビティ内で必要とされるｇＮＢは、２つの異なる役割を引き受けることができ、すなわち、ｇＮＢは、マスタｇＮＢとして、またはセカンダリｇＮＢとしてのどちらかの役割を果たすことができる。マルチコネクティビティでは、各ＵＥは、１つのマスタｇＮＢ、および１つ以上のセカンダリｇＮＢに接続され得る。図７は、マスタセルグループ（ＭＣＧ）およびセカンダリセルグループ（ＳＣＧ）が構成された場合に、ＵＥ側ＭＡＣエンティティの１つの例示的な構造を例解しており、その構造は、実施態様を限定しなくてもよい。媒体ブロードキャストマルチキャストサービス（ＭＢＭＳ）受信は、便宜上、本図には示されない。
【００２４】
マルチコネクティビティでは、特定のベアラが使用する無線プロトコルアーキテクチャは、ベアラがどのように設定されるかに依存してもよい。図６に示されるように、ＭＣＧベアラ、ＳＣＧベアラ、および分割ベアラの３つの選択肢が存在してもよい。ＮＲ  ＲＲＣは、マスタｇＮＢ内に配置されてもよく、ＳＲＢは、ＭＣＧベアラタイプとして構成されてもよく、マスタｇＮＢの無線リソースを使用してもよい。マルチコネクティビティはまた、セカンダリｇＮＢにより提供される無線リソースを使用するように構成された少なくとも１つのベアラを有するものとして、説明されることができる。マルチコネクティビティは、本発明の例示的な実施形態では、構成／実施されても、されなくてもよい。
【００２５】
マルチコネクティビティの場合には、ＵＥは、複数のＮＲ  ＭＡＣエンティティ、すなわち、マスタｇＮＢのための１つのＮＲ  ＭＡＣエンティティ、およびセカンダリｇＮＢのための他のＮＲＭＡＣエンティティで構成され得る。マルチコネクティビティでは、ＵＥのために構成されたサービングセルのセットは、２つのサブセット、すなわち、マスタｇＮＢのサービングセルを収容するマスタセルグループ（ＭＣＧ）、およびセカンダリｇＮＢのサービングセルを収容するセカンダリセルグループ（ＳＣＧ）から構成され得る。ＳＣＧの場合、以下のうちの１つ以上が、適用されてもよく、すなわち、ＳＣＧ内の少なくとも１つのセルが、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止され、マスタ基地局は、ＳＣＧ故障タイプについてＵＥによって通知されてもよく、分割ベアラの場合には、マスタ基地局にわたるＤＬデータ転送が、維持され得、ＮＲ  ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更、またはＳＣＧおよび分割ベアラの同時構成は、サポートされても、されなくてもよい。
【００２６】
マルチコネクティビティの場合のマスタｇＮＢとセカンダリｇＮＢとの間のやり取りに関しては、以下の原理のうちの１つ以上が、適用されてもよく、すなわち、マスタｇＮＢは、ＵＥのＲＲＭ測定構成を維持してもよく、（例えば、受信された測定レポート、またはトラフィック条件、またはベアラ型に基づいて）、ＵＥのための追加のリソース（サービングセル）を提供するように、セカンダリｇＮＢに依頼することを決定してもよく、マスタｇＮＢからの要求を受信する際、セカンダリｇＮＢが、ＵＥのために追加したサービングセルの構成に結果としてなり得るコンテナを作り出す（またはそのように作り出すのに利用可能なリソースを有していないことを判定する）ことができ、ＵＥ機能と連係するために、マスタｇＮＢは、ＡＳ構成およびＵＥ機能（の一部）をセカンダリｇＮＢに提供してもよく、マスタｇＮＢおよびセカンダリｇＮＢは、Ｘｎメッセージ内で搬送されるＮＲ  ＲＲＣコンテナ（ノード間メッセージ）の採用によって、ＵＥ構成についての情報を交換してもよく、セカンダリｇＮＢは、その既存のサービングセル（例えば、セカンダリｇＮＢに向かうＰＵＣＣＨ）の再構成を開始してもよく、セカンダリｇＮＢが、どのセルが、ＳＣＧ内のＰＳＣｅｌｌであるかを決定してもよく、マスタｇＮＢは、セカンダリｇＮＢによって提供されたＮＲ  ＲＲＣ構成の内容を変更しても、しなくてもよく、ＳＣＧ追加およびＳＣＧＳＣｅｌｌ追加の場合には、マスタｇＮＢは、ＳＣＧセル（複数可）のための最新の測定結果を提供してもよく、マスタｇＮＢおよびセカンダリｇＮＢの両方が、ＯＡＭ（例えば、測定ギャップのＤＲＸ整列および識別）により、互いのＳＦＮおよびサブフレームオフセットを認識してもよい。一例においては、新たなＳＣＧ  ＳＣｅｌｌを追加する場合に、ＳＣＧのＰＳＣｅｌｌのＭＩＢから取得されたＳＦＮを除き、ＣＡに関するセルの要求されるシステム情報を伝送するために、専用のＮＲ  ＲＲＣシグナリングが使用されてもよい。
【００２７】
一実施例においては、サービングセルが、ＴＡグループ（ＴＡＧ）内でグループ化されてもよい。１つのＴＡＧ内のサービングセルは、同じタイミング基準を使用し得る。所与のＴＡＧに関して、ユーザ機器（ＵＥ）は、少なくとも１つのダウンリンクキャリアをタイミング基準として使用してもよい。所与のＴＡＧに関して、ＵＥは、同じＴＡＧに属するアップリンクキャリアのアップリンクサブフレームおよびフレーム伝送タイミングを同期させてもよい。一実施例では、同じＴＡが適用されるアップリンクを有するサービングセルは、同じ受信機によってホストされるサービングセルに対応し得る。複数のＴＡをサポートするＵＥが、２つ以上のＴＡグループをサポートしてもよい。１つのＴＡグループは、ＰＣｅｌｌを含み得、一次ＴＡＧ（ｐＴＡＧ）と呼ばれ得る。多重ＴＡＧ構成では、少なくとも１つのＴＡグループが、ＰＣｅｌｌを含まなくてもよく、二次ＴＡＧ（ｓＴＡＧ）と呼ばれてもよい。一実施例では、同じＴＡグループ内のキャリアが、同じＴＡ値および／または同じタイミング基準を使用し得る。ＤＣが構成される場合に、（ＭＣＧまたはＳＣＧ）セルグループに属するセルが、ｐＴＡＧおよび１つ以上のｓＴＡＧを含む複数のＴＡＧにグループ化されてもよい。
【００２８】
図８は、本発明の一実施形態の一態様による例示的なＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌおよびＳＣｅｌｌ１を含み、ｓＴＡＧは、ＳＣｅｌｌ２およびＳＣｅｌｌ３を含む。実施例３では、ｐＴＡＧは、ＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。最大４つのＴＡＧが、セルグループ（ＭＣＧまたはＳＣＧ）内でサポートされ得、他の例示的なＴＡＧ構成もまた、提供され得る。本開示における様々な実施例では、例示的なメカニズムが、ｐＴＡＧおよびｓＴＡＧに関して説明される。幾つかの例示的メカニズムが、複数のｓＴＡＧを伴う構成に適用されてもよい。
【００２９】
一実施例においては、ｅＮＢが、アクティブ化されるＳＣｅｌｌに関するＰＤＣＣＨ順序を介して、ＲＡプロシージャを開始してもよい。このＰＤＣＣＨ順序は、このＳＣｅｌｌのスケジューリングセル上で伝送されてもよい。あるセルについてクロスキャリアスケジューリングが構成される場合に、スケジューリングセルは、プリアンブル伝送のために採用されるセルとは異なってもよく、ＰＤＣＣＨ順序は、ＳＣｅｌｌインデックスを含んでもよい。少なくとも非競合ベースのＲＡプロシージャが、ｓＴＡＧに割り当てられるＳＣｅｌｌのためにサポートされてもよい。
【００３０】
図９は、本発明の一実施形態の一態様による、セカンダリＴＡＧ内のランダムアクセスプロセスにおける例示的なメッセージフローである。ｅＮＢは、アクティブ化コマンド６００を伝送し、ＳＣｅｌｌをアクティブ化する。プリアンブル６０２（Ｍｓｇ１）が、ｓＴＡＧに属するＳＣｅｌｌ上のＰＤＣＣＨ順序６０１に応答して、ＵＥによって伝送されてもよい。例示的な実施形態では、ＳＣｅｌｌに関するプリアンブル伝送は、ＰＤＣＣＨフォーマット１Ａを使用して、ネットワークによって制御され得る。ＳＣｅｌｌ上のプリアンブル伝送に応答したＭｓｇ２メッセージ６０３（ＲＡＲ：ランダムアクセス応答）は、ＰＣｅｌｌ共通検索空間（ＣＳＳ）内のＲＡ−ＲＮＴＩにアドレス指定され得る。アップリンクパケット６０４が、プリアンブルが伝送されたＳＣｅｌｌ上で伝送されてもよい。
【００３１】
実施形態の様々な態様のうちのいくつかによれば、初期タイミング整列が、ランダムアクセスプロシージャを通して達成されてもよい。このことが、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴ってもよい。ＮＴＡ＝０であるＵＥでは、ランダムアクセスプリアンブルの開始が、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出され得る。ＵＥが、プリアンブルが伝送されるｓＴＡＧの対応するダウンリンクに対して初期アップリンク伝送タイミングを判定してもよい。
【００３２】
ＴＡＧへのサービングセルのマッピングが、サービングｅＮＢによって、ＲＲＣ信号伝達を用いて構成されてもよい。ＴＡＧ構成および再構成のためのメカニズムが、ＲＲＣ信号伝達に基づいてもよい。実施形態の様々な態様のうちのいくつかによれば、ｅＮＢがＳＣｅｌｌ追加構成を実行するとき、関連するＴＡＧ構成は、ＳＣｅｌｌのために構成されてもよい。例示的な一実施形態では、ｅＮＢが、ＳＣｅｌｌを除去（リリース）し、更新されたＴＡＧ  ＩＤを用いて（同一物理セルＩＤおよび周波数を有する）新しいＳＣｅｌｌを追加（構成）することによって、ＳＣｅｌｌのＴＡＧ構成を修正してもよい。更新されたＴＡＧ  ＩＤを有する新たなＳＣｅｌｌは、更新されたＴＡＧ  ＩＤが割り当てられた後、最初は、非アクティブであってもよい。ｅＮＢは、更新された新しいＳＣｅｌｌをアクティブ化し、アクティブ化されたＳＣｅｌｌ上でスケジューリングパケットを始動させてもよい。例示的な一実施形態においては、ＳＣｅｌｌと関連付けられたＴＡＧが変更不可能であり、ＳＣｅｌｌが除去される必要があり、新しいＳＣｅｌｌに別のＴＡＧを追加する必要があってもよい。例えば、ｓＴＡＧからｐＴＡＧにＳＣｅｌｌを移動させる必要がある場合、少なくとも１つのＲＲＣメッセージ、例えば、少なくとも１つのＲＲＣ再構成メッセージが、ＵＥに伝送され、ＳＣｅｌｌをリリースし、次いでＳＣｅｌｌをｐＴＡＧの一部として構成することによって、ＴＡＧ構成を再構成してもよい（ＳＣｅｌｌが、ＴＡＧインデックスなしで追加／構成される場合には、ＳＣｅｌｌは、ｐＴＡＧに明示的に割り当てられてもよい）。ＰＣｅｌｌが、そのＴＡグループを変更せず、ｐＴＡＧのメンバであってもよい。
【００３３】
ＲＲＣ接続再構成プロシージャの目的は、ＲＲＣ接続を修正すること（例えば、ＲＢを確立、修正、および／または解放すること、ハンドオーバを実行すること、測定値を設定、修正、および／または解放すること、ＳＣｅｌｌを追加、修正、および／または解放すること）であり得る。受信されたＲＲＣ接続再構成メッセージが、ｓＣｅｌｌＴｏＲｅｌｅａｓｅＬｉｓｔを含む場合、ＵＥが、ＳＣｅｌｌリリースを行ってもよい。受信されたＲＲＣ接続再構成メッセージが、ｓＣｅｌｌＴｏＡｄｄＭｏｄＬｉｓｔを含む場合、ＵＥが、ＳＣｅｌｌ追加または修正を行ってもよい。
【００３４】
ＬＴＥリリース−１０およびリリース−１１ＣＡでは、ＰＵＣＣＨが、ＰＣｅｌｌ（ＰＳＣｅｌｌ）上でのみｅＮＢに伝送されてもよい。ＬＴＥ−リリース１２およびそれ以前では、ＵＥが、ＰＵＣＣＨ情報を１つのセル（ＰＣｅｌｌまたはＰＳＣｅｌｌ）上で所与のｅＮＢに伝送してもよい。
【００３５】
ＣＡ対応ＵＥの数、また、アグリゲーションされたキャリアの数が増加するにつれて、ＰＵＣＣＨの数、また、ＰＵＣＣＨペイロードサイズも、増加してもよい。ＰＣｅｌｌ上のＰＵＣＣＨ伝送への対応が、ＰＣｅｌｌ上の高ＰＵＣＣＨ負荷につながってもよい。ＳＣｅｌｌ上のＰＵＣＣＨが、ＰＵＣＣＨリソースをＰＣｅｌｌからオフロードするために導入されてもよい。２つ以上のＰＵＣＣＨ、例えば、ＰＣｅｌｌ上のＰＵＣＣＨおよびＳＣｅｌｌ上の別のＰＵＣＣＨが、構成されてもよい。例示的な実施形態では、１つ、２つ、またはそれ以上のセルは、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つ以上のセルは、ＰＵＣＣＨを用いて構成されてもよい。例示的な構成では、１つのＳＣｅｌｌが、１つのＰＵＣＣＨグループに属してもよい。構成されたＰＵＣＣＨが基地局に伝送されるＳＣｅｌｌが、ＰＵＣＣＨ  ＳＣｅｌｌと呼ばれてもよく、共通のＰＵＣＣＨリソースが同一の基地局に伝送されるセルグループが、ＰＵＣＣＨグループと呼ばれてもよい。
【００３６】
例示的実施形態では、ＭＡＣエンティティが、ＴＡＧ毎に構成可能なタイマｔｉｍｅＡｌｉｇｎｍｅｎｔＴｉｍｅｒを有してもよい。アップリンク時間整合されるべき関連付けられたＴＡＧに属するサービングセルをＭＡＣエンティティが考慮する時間の長さを制御するために、ｔｉｍｅＡｌｉｇｎｍｅｎｔＴｉｍｅｒが使用され得る。ＭＡＣエンティティは、タイミングアドバンスコマンドＭＡＣ制御要素が受信されるとき、示されるＴＡＧにタイミングアドバンスコマンドを適用し、示されるＴＡＧと関連付けられたｔｉｍｅＡｌｉｇｎｍｅｎｔＴｉｍｅｒを始動または再始動させ得る。ＭＡＣエンティティは、タイミングアドバンスコマンドが、ＴＡＧに属するサービングセルのためのランダムアクセス応答メッセージ内で受信されるとき、および／またはランダムアクセスプリアンブルが、ＭＡＣエンティティによって選択されなかった場合に、このＴＡＧにタイミングアドバンスコマンドを適用し、このＴＡＧと関連付けられたｔｉｍｅＡｌｉｇｎｍｅｎｔＴｉｍｅｒを始動または再始動させ得る。一方、このＴＡＧと関連付けられたｔｉｍｅＡｌｉｇｎｍｅｎｔＴｉｍｅｒがアクティブ化中ではない場合には、このＴＡＧに対するタイミングアドバンスコマンドが適用され得、このＴＡＧと関連付けられたｔｉｍｅＡｌｉｇｎｍｅｎｔＴｉｍｅｒが始動され得る。競合解決が成功ではないと見なされる場合には、このＴＡＧと関連付けられたｔｉｍｅＡｌｉｇｎｍｅｎｔＴｉｍｅｒが停止され得る。そうでなければ、ＭＡＣエンティティが、受信されたタイミングアドバンスコマンドを無視してもよい。
【００３７】
例示的実施形態では、タイマは、いったん始動されると、停止または満了するまで、アクティブ化中である。そうでなければ、アクティブ化していなくてもよい。タイマは、アクティブ化中ではない場合に始動可能であり、または、アクティブ化中である場合に再始動可能である。例えば、タイマがその初期値から始動または再始動されてもよい。
【００３８】
本発明の例示的な実施形態が、マルチキャリア通信の動作を可能にすることができる。他の例示的実施形態が、マルチキャリア通信の動作を実行させる、１つ以上のプロセッサによって実行可能な命令を含む、非一時的な有形のコンピュータ可読媒体を備えてもよい。さらに他の例示的な実施形態は、プログラマブルハードウェアが、デバイス（例えば、無線通信機、ＵＥ、基地局など）にマルチキャリア通信を行わせることを可能にする命令がコード化されている非一時的な有形のコンピュータ可読機械アクセス可能媒体を備える製造物品を含んでもよい。デバイスは、プロセッサ、メモリ、インターフェース、および／または同等物を含み得る。他の例示的実施形態が、基地局、無線デバイス（またはユーザ機器：ＵＥ）、サーバ、スイッチ、アンテナ、および／または同等物などのデバイスを備える通信ネットワークを含んでもよい。
【００３９】
図１１Ａ、図１１Ｂ、図１１Ｃ、図１１Ｄ、図１１Ｅ、および図１１Ｆは、本発明の一実施形態の一態様による、５Ｇ  ＲＡＮとＬＴＥ  ＲＡＮとの間の緊密なインターワーキングのアーキテクチャの例示的な図である。この緊密なインターワーキングにより、ＲＲＣ＿ＣＯＮＮＥＣＴＥＤ内の複数のＲＸ／ＴＸＵＥが、ＬＴＥ  ｅＮＢとｇＮＢとの間のＸｘインターフェース、またはＬＴＥ  ｅＮＢとｇＮＢとの間のＸｎインターフェース上の非理想的もしくは理想的バックホールを介して接続された２つの基地局（例えば（ｅ）ＬＴＥ  ｅＮＢおよびｇＮＢ）内に置かれた２つのスケジューラによって提供される無線リソースを利用するように構成されることを可能にすることができる。特定のＵＥに関する緊密なインターワーキングで使用される基地局は、２つの異なる役割を引き受けることができ、すなわち、基地局は、マスタ基地局として、またはセカンダリ基地局としてのどちらかの役割をも果たすことができる。緊密なインターワーキングでは、ＵＥは、１つのマスタ基地局および１つのセカンダリ基地局に接続され得る。緊密なインターワーキングで実装されるメカニズムは、３つ以上の基地局をカバーするように拡張され得る。
【００４０】
図１１Ａおよび図１１Ｂでは、マスタ基地局は、ＬＴＥ  ｅＮＢとしてもよく、当該ＬＴＥ  ｅＮＢは、ＥＰＣノード（例えば、Ｓ１−Ｃインターフェースを介してＭＭＥに、およびＳ１−Ｕインターフェースを介してＳ−ＧＷに）に接続されてもよく、セカンダリ基地局は、ｇＮＢとしてもよく、当該ｇＮＢは、Ｘｘ−Ｃインターフェースを介した、ＬＴＥ  ｅＮＢへの制御プレーン接続を有するノンスタンドアローンノードであってもよい。図１１Ａの緊密なインターワーキングアーキテクチャでは、ｇＮＢに関するユーザプレーンは、ＬＴＥ  ｅＮＢとｇＮＢとの間のＸｘ−Ｕインターフェース、およびＬＴＥ  ｅＮＢとＳ−ＧＷとの間のＳ１−Ｕインターフェースを介して、ＬＴＥ  ｅＮＢを通ってＳ−ＧＷに接続されてもよい。図１１Ｂのアーキテクチャでは、ｇＮＢに関するユーザプレーンは、ｇＮＢとＳ−ＧＷとの間のＳ１−Ｕインターフェースを介してＳ−ＧＷに直接接続されてもよい。
【００４１】
図１１Ｃおよび図１１Ｄでは、マスタ基地局は、ｇＮＢであってもよく、当該ｇＮＢは、ＮＧＣノードに（例えば、ＮＧ−Ｃインターフェースを介して制御プレーンコアノードに、およびＮＧ−Ｕインターフェースを介してユーザプレーンコアノードに）接続されてもよく、セカンダリ基地局は、ｅＬＴＥ  ｅＮＢであってもよく、当該ｅＬＴＥ  ｅＮＢは、Ｘｎ−Ｃインターフェースを介した、ｇＮＢへの制御プレーン接続を有するノンスタンドアローンノードであってもよい。図１１Ｃの緊密なインターワーキングアーキテクチャでは、ｅＬＴＥ  ｅＮＢに関するユーザプレーンは、ｅＬＴＥ  ｅＮＢとｇＮＢとの間のＸｎ−Ｕインターフェース、およびｇＮＢとユーザプレーンコアノードとの間のＮＧ−Ｕインターフェースを介して、ｇＮＢを通るユーザプレーンコアノードに接続されてもよい。図１１Ｄのアーキテクチャでは、ｅＬＴＥ  ｅＮＢに関するユーザプレーンは、ｅＬＴＥ  ｅＮＢとユーザプレーンコアノードとの間のＮＧ−Ｕインターフェースを介してユーザプレーンコアノードに直接接続されてもよい。
【００４２】
図１１Ｅおよび図１１Ｆでは、マスタ基地局は、ｅＬＴＥ  ｅＮＢであってもよく、当該ｅＬＴＥ  ｅＮＢは、ＮＧＣノード（例えば、ＮＧ−Ｃインターフェースを介して制御プレーンコアノードに、およびＮＧ−Ｕインターフェースを介してユーザプレーンコアノード）に接続されてもよく、セカンダリ基地局は、ｇＮＢであってもよく、当該ｇＮＢは、Ｘｎ−Ｃインターフェースを介したｅＬＴＥ  ｅＮＢへの制御プレーン接続を有するノンスタンドアローンノードであってもよい。図１１Ｅの緊密なインターワーキングアーキテクチャでは、ｇＮＢに関するユーザプレーンは、ｅＬＴＥ  ｅＮＢとｇＮＢとの間のＸｎ−Ｕインターフェース、およびｅＬＴＥ  ｅＮＢとユーザプレーンコアノードとの間のＮＧ−Ｕインターフェースを介して、ｅＬＴＥ  ｅＮＢを通るユーザプレーンコアノードに接続されてもよい。図１１Ｆのアーキテクチャでは、ｇＮＢに関するユーザプレーンは、ｇＮＢとユーザプレーンコアノードとの間のＮＧ−Ｕインターフェースを介して、ユーザプレーンコアノードに直接接続されてもよい。
【００４３】
図１２Ａ、図１２Ｂ、および図１２Ｃは、本発明の一実施形態の一態様による、緊密なインターワーキングベアラの無線プロトコル構造の例示的な図である。図１２Ａでは、ＬＴＥ  ｅＮＢが、マスタ基地局であってもよく、ｇＮＢが、セカンダリ基地局であってもよい。図１２Ｂでは、ｇＮＢが、マスタ基地局であってもよく、ｅＬＴＥ  ｅＮＢが、セカンダリ基地局であってもよい。図１２Ｃでは、ｅＬＴＥ  ｅＮＢが、マスタ基地局であってもよく、ｇＮＢが、セカンダリ基地局であってもよい。５Ｇネットワークでは、特定のベアラが使用する無線プロトコルアーキテクチャは、ベアラがどのように設定されるかに依存し得る。図１２Ａ、図１２Ｂ、および図１２Ｃに示されるように、ＭＣＧベアラ、ＳＣＧベアラ、および分割ベアラの３つの選択肢が存在してもよい。ＮＲ  ＲＲＣは、マスタ基地局内に配置されてもよく、ＳＲＢは、ＭＣＧベアラタイプとして構成されてもよく、マスタ基地局の無線リソースを使用してもよい。緊密なインターワーキングはまた、セカンダリ基地局によって提供された無線リソースを使用するように構成された少なくとも１つのベアラを有するものとしても説明され得る。緊密なインターワーキングは、本発明の例示的な実施形態では、構成／実施されても、されなくてもよい。
【００４４】
緊密なインターワーキングの場合には、ＵＥは、２つのＭＡＣエンティティ、すなわちマスタ基地局のための１つのＭＡＣエンティティ、およびセカンダリ基地局のための１つのＭＡＣエンティティを用いて構成されてもよい。緊密なインターワーキングでは、ＵＥのために構成されたサービングセルのセットは、２つのサブセット、すなわちマスタ基地局のサービングセルを収容するマスタセルグループ（ＭＣＧ）、およびセカンダリ基地局のサービングセルを収容するセカンダリセルグループ（ＳＣＧ）から成り得る。ＳＣＧの場合、以下のうちの１つ以上が、適用されてもよく、すなわち、ＳＣＧ内の少なくとも１つのセルは、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャが、トリガされなくてもよく、ＳＣＧのセルに向かうＵＬ伝送が、停止され、マスタ基地局が、ＳＣＧ故障タイプについてＵＥによって通知されてもよく、分割ベアラの場合には、マスタ基地局にわたるＤＬデータ転送が、維持され、ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更も、またはＳＣＧおよび分割ベアラの同時構成もまた、サポートされない。
【００４５】
マスタ基地局とセカンダリ基地局との間のやり取りに関しては、以下の原理のうちの１つ以上が、適用され得、すなわち、マスタ基地局は、ＵＥのＲＲＭ測定構成を維持してもよく、（例えば、受信した測定レポート、トラフィック条件、またはベアラタイプに基づいて）、ＵＥのための追加のリソース（サービングセル）を提供するように、セカンダリ基地局に依頼することを決定してもよく、マスタ基地局からの要求を受信すると、セカンダリ基地局が、ＵＥのために追加したサービングセルの構成をもたらすコンテナを作り出す（またはそのように作り出すのに利用可能なリソースを有していないことを判定する）ことができ、ＵＥ機能調整の場合、マスタ基地局は、ＡＳ構成（の一部）およびＵＥ機能をセカンダリ基地局に提供してもよく、マスタ基地局およびセカンダリ基地局は、ＸｎまたはＸｘメッセージ内で搬送されるＲＲＣコンテナ（ノード間メッセージ）の使用によって、ＵＥ構成についての情報を交換してもよく、セカンダリ基地局は、その既存のサービングセルの再構成を開始してもよく（例えば、セカンダリ基地局に向かうＰＵＣＣＨ）、セカンダリ基地局が、どのセルが、ＳＣＧ内のＰＳＣｅｌｌであるかを決定してもよく、マスタ基地局は、セカンダリ基地局によって提供されるＲＲＣ構成の内容を変更しなくてもよく、ＳＣＧ追加およびＳＣＧ  ＳＣｅｌｌ追加の場合には、マスタ基地局は、ＳＣＧセル（複数可）のための最新の測定結果を提供してもよく、マスタ基地局およびセカンダリ基地局の両方が、ＯＡＭにより、互いのＳＦＮおよびサブフレームオフセットを認識してもよい（例えば、ＤＲＸアライメント、および測定ギャップの識別のため）。一例では、新たなＳＣＧ  ＳＣｅｌｌを追加する場合に、ＳＣＧのＰＳＣｅｌｌのＭＩＢから獲得されたＳＦＮを除き、ＣＡに関するセルの要求されるシステム情報を伝送するために、専用のＲＲＣシグナリングが、使用されてもよい。
【００４６】
図１３Ａおよび図１３Ｂは、本発明の一実施形態の一態様によるｇＮＢ展開シナリオの例示的な図である。図１３Ａの非集中型展開シナリオでは、全プロトコルスタック（例えば、ＮＲ  ＲＲＣ、ＮＲ  ＰＤＣＰ、ＮＲ  ＲＬＣ、ＮＲ  ＭＡＣ、およびＮＲ  ＰＨＹ）は、１つのノードでサポートされ得る。図１３Ｂの集中型展開シナリオでは、ｇＮＢの上位レイヤは、集約基地局（ＣＵ）に配置されてもよく、ｇＮＢの下位レイヤは、分散基地局（ＤＵ）に配置されてもよい。ＣＵおよびＤＵを接続するＣＵ−ＤＵインターフェース（例えば、Ｆｓインターフェース）は、理想的または非理想的であってもよい。Ｆｓ−Ｃは、Ｆｓインターフェース上に制御プレーン接続を提供してもよく、Ｆｓ−Ｕは、Ｆｓインターフェース上にユーザプレーン接続を提供してもよい。集中型展開では、ＣＵとＤＵとの間の異なる機能的分割オプションが、異なるプロトコルレイヤ（ＲＡＮ機能）をＣＵおよびＤＵに配置することによって、可能になる場合がある。機能分割は、柔軟性をサポートして、サービス要件やネットワーク環境に応じて、ＣＵとＤＵとの間でＲＡＮ機能を移動させることができる。機能分割オプションは、Ｆｓインターフェース設定プロシージャ後の動作中に変更してもよく、またはＦｓ設定プロシージャ内のみで（すなわち、Ｆｓ設定プロシージャ後の動作中に静的に）変更してもよい。
【００４７】
図１４は、本発明の一実施形態の一態様による、集中型ｇＮＢ展開シナリオの異なる機能分割オプション例に関する例示的な図である。分割オプション例１では、ＮＲ  ＲＲＣは、ＣＵ内にあってもよく、ＮＲ  ＰＤＣＰ、ＮＲ  ＲＬＣ、ＮＲ  ＭＡＣ、ＮＲ  ＰＨＹ、およびＲＦは、ＤＵ内にあってもよい。分割オプション例２では、ＮＲ  ＲＲＣおよびＮＲ  ＰＤＣＰは、ＣＵ内にあってもよく、ＮＲ  ＲＬＣ、ＮＲ  ＭＡＣ、ＮＲ  ＰＨＹ、およびＲＦは、ＤＵ内にあってもよい。分割オプション例３では、ＮＲ  ＲＲＣ、ＮＲ  ＰＤＣＰ、およびＮＲ  ＲＬＣの部分的機能は、ＣＵ内にあってもよく、ＮＲ  ＲＬＣの部分的機能、ＮＲ  ＭＡＣ、ＮＲ  ＰＨＹ、およびＲＦは、ＤＵ内にあってもよい。分割オプション例４では、ＮＲ  ＲＲＣ、ＮＲ  ＰＤＣＰ、およびＮＲ  ＲＬＣは、ＣＵ内にあってもよく、ＮＲ  ＭＡＣ、ＮＲ  ＰＨＹ、およびＲＦは、ＤＵ内にあってもよい。分割オプション例５では、ＮＲ  ＲＲＣ、ＮＲ  ＰＤＣＰ、ＮＲ  ＲＬＣ、およびＮＲ  ＭＡＣの部分的機能は、ＣＵ内にあってもよく、ＮＲ  ＭＡＣの他の部分的機能、ＮＲ  ＰＨＹ、およびＲＦは、ＤＵ内にあってもよい。分割オプション例６では、ＮＲ  ＲＲＣ、ＮＲ  ＰＤＣＰ、ＮＲ  ＲＬＣ、およびＮＲ  ＭＡＣは、ＣＵ内にあってもよく、ＮＲ  ＰＨＹおよびＲＦは、ＤＵ内にあってもよい。分割オプション例７では、ＮＲ  ＲＲＣ、ＮＲ  ＰＤＣＰ、ＮＲ  ＲＬＣ、ＮＲ  ＭＡＣ、および  ＮＲ  ＰＨＹの部分的機能は、ＣＵ内にあってもよく、ＮＲ  ＰＨＹの他の部分的機能、およびＲＦは、ＤＵ内にあってもよい。分割オプション例８では、ＮＲ  ＲＲＣ、ＮＲ  ＰＤＣＰ、ＮＲ  ＲＬＣ、ＮＲ  ＭＡＣ、およびＮＲ  ＰＨＹは、ＣＵ内にあってもよく、ＲＦは、ＤＵ内にあってもよい。
【００４８】
機能分割は、ＣＵ毎、ＤＵ毎、ＵＥ毎、ベアラ毎、スライス毎に、または他の粒度で構成されてもよい。ＣＵ毎の分割では、ＣＵは、固定された分割を有してもよく、ＤＵは、ＣＵの分割オプションに一致するように構成されてもよい。ＤＵ毎の分割では、各ＤＵは、異なる分割で構成されてもよく、ＣＵは、異なるＤＵに対して異なる分割オプションを提供してもよい。ＵＥ毎の分割では、ｇＮＢ（ＣＵおよびＤＵ）は、異なるＵＥに対して異なる分割オプションを提供してもよい。ベアラ毎の分割では、異なる分割オプションは、異なるベアラタイプに対して利用されてもよい。スライス毎のスプライス（→分割？）では、異なる分割オプションは、異なるスライスに適用されてもよい。
【００４９】
例示的な実施形態では、新しい無線アクセスネットワーク（新しいＲＡＮ）は、異なるネットワークスライスをサポートしてもよく、そのスライスは、端末相互間の範囲で異なるサービス要件をサポートするためにカスタマイズされた差別化した取り扱いを可能にし得る。新しいＲＡＮは、事前に構成され得る異なるネットワークスライスのために、差別化されたトラフィック処理を提供することができ、シングルＲＡＮノードが複数のスライスをサポートすることを可能にし得る。新ＲＡＮは、ＵＥまたはＮＧＣ（例えば、ＮＧ  ＣＰ）により提供される１つ以上のスライスＩＤ（複数可）またはＮＳＳＡＩ（複数可）によって、所与のネットワークスライスに対するＲＡＮ部分の選択をサポートし得る。スライスＩＤ（複数可）またはＮＳＳＡＩ（複数可）は、ＰＬＭＮ内の事前に構成されたネットワークスライスのうちの１つ以上を識別することができる。初期アタッチの場合、ＵＥは、スライスＩＤおよび／またはＮＳＳＡＩを提供することができ、ＲＡＮノード（例えば、ｇＮＢ）は、初期ＮＡＳシグナリングをＮＧＣ制御プレーン機能（例えば、ＮＧ  ＣＰ）にルーティングするために、スライスＩＤまたはＮＳＳＡＩを使用することができる。ＵＥが、いずれのスライスＩＤまたはＮＳＳＡＩも提供しない場合、ＲＡＮノードは、ＮＡＳシグナリングをデフォルトのＮＧＣ制御プレーン機能に伝送することができる。後続のアクセスのために、ＵＥは、スライス識別のための一時的なＩＤを提供することができ、そのＩＤは、ＮＧＣ制御プレーン機能によって割り当てられて、ＲＡＮノードにＮＡＳメッセージを適切なＮＧＣ制御プレーン機能にルーティングさせることができる。新しいＲＡＮは、スライス間のリソース分離をサポートすることができる。ＲＡＮリソース分離は、１つのスライス内の共有リソースの不足により、別のスライスに対するサービスレベルの同意に違反することを回避することによって、達成され得る。
【００５０】
セルラー式ネットワーク上で搬送されるデータトラフィックの量は、今後何年にもわたって増加すると予想されている。ユーザ／デバイスの数は、増大しており、各ユーザ／デバイスは、益々多くなる様々なサービス、例えば、ビデオ配信、大きなファイル、画像にアクセスする。これにより、ネットワークの大容量だけでなく、双方向性および応答性に関する消費者の期待に応える超高速データレートの提供が要求される。それゆえに、携帯通信事業者が、増大する要求を満たすためには、より多くのスペクトルが必要とされる。シームレスな移動性と共に高速データレートに関するユーザの期待を考慮すると、セルラー式システムのために、スモールセルのみならず、マクロセルをも展開するためのより多くのスペクトルが利用可能になることが、有益である。
【００５１】
市場の要求を満たそうとの取り組みがあり、トラフィックの成長を満たすために無認可スペクトルを利用していくつかの相補的なアクセスを展開することに通信事業者からの関心が高まっている。この例が、通信事業者が展開する多数のＷｉ−Ｆｉネットワークと、ＬＴＥ／ＷＬＡＮインターワーキングソリューションの３ＧＰＰ標準化とに見られる。この関心は、ホットスポットエリアなどのいくつかのシナリオにおいて、無認可スペクトルが存在する場合、無認可スペクトルは、携帯通信事業者がトラフィック急増への対処に役立たせるための、認可スペクトルに対する有効な補完となり得ることを示している。ＬＡＡは、通信事業者が、１つの無線ネットワークを管理しながら、無認可スペクトルを使用する代案を提案しており、これにより、ネットワーク効率を最適化するための新しい可能性を提案している。
【００５２】
例示的な実施形態では、ＬＡＡセル内での伝送のためにリッスンビフォアトーク（クリアチャネルアセスメント）が実装され得る。リッスンビフォアトーク（ＬＢＴ）プロシージャでは、機器は、チャネルを使用する前にクリアチャネルアセスメント（ＣＣＡ）チェックを適用することができる。例えば、ＣＣＡは、チャネルが占有されているか、または空の状態であるか、それぞれ判定するために、少なくともエネルギー検出を利用して、チャネル上のその他の信号の存在または不存在を判定する。例えば、欧州および日本の規制では、無認可バンドでのＬＢＴの使用が義務づけられている。規制要件とは別に、ＬＢＴを介するキャリア検知は、無認可スペクトルを公平に共有するための１つの方法であり得る。
【００５３】
例示的な実施形態では、制限された最大伝送持続時間を有する無認可キャリアに関する不連続伝送が、可能であり得る。これらの機能のうちのいくつかは、不連続ＬＡＡダウンリンク伝送の始めから伝送される１つ以上の信号によってサポートされ得る。チャネル予約は、正常なＬＢＴ動作を介してチャネルアクセスを取得した後に、ＬＡＡノードによる信号の伝送によって可能であってもよく、その結果、特定の閾値を超えるエネルギーを有する伝伝送号を受信する他のノードは、チャネルが占有されていることを検知する。不連続なダウンリンク伝送を伴うＬＡＡ動作のために、１つ以上の信号によってサポートされる必要があり得る機能は、ＵＥによるＬＡＡダウンリンク伝送の検出（セル識別を含む）、ＵＥの時間および周波数同期のうちの１つ以上を含んでもよい。
【００５４】
例示的な実施形態では、ＤＬ  ＬＡＡ設計は、ＣＡにより集約されたサービングセルの両端におけるＬＴＥ−Ａキャリアアグリゲーションタイミング関係に従って、サブフレーム境界アライメントを採用してもよい。これは、ｅＮＢ伝送が、サブフレーム境界のみにおいて開始することができることを意味しなくてもよい。ＬＡＡは、すべてのＯＦＤＭシンボルが、ＬＢＴに従ってサブフレーム内の伝送に対して、必ずしも利用可能であるとは限らない場合には、ＰＤＳＣＨの伝送をサポートしてもよい。ＰＤＳＣＨのための必要な制御情報の配信はまた、サポートされてもよい。
【００５５】
ＬＢＴプロシージャは、ＬＡＡと他の通信事業者、および無認可スペクトル内で動作する技術との公正でかつ親和的な共存のために採用され得る。無認可スペクトル内のキャリア上で伝送しようとするノード上のＬＢＴプロシージャは、当該チャネルが自由に使用することができるかどうかを判定するために、クリアチャネル評価の実行をノードに要求する。ＬＢＴプロシージャは、当該チャネルが使用されているかどうかを判定するために、少なくともエネルギー検出を必要とし得る。例えば、いくつかの地域、例えば、欧州での規制要件は、エネルギー検出閾値を指定しており、それによって、ノードがこの閾値よりも大きいエネルギーを受信した場合、ノードは、チャネルが空いていないと推定する。ノードは、そのような規制要件に従うことができるが、ノードは、規制要件によって指定された閾値よりも低いエネルギー検出のための閾値を任意選択的に使用してもよい。一例では、ＬＡＡは、エネルギー検出閾値を適応的に変化させるためのメカニズムを採用してもよく、例えば、ＬＡＡは、上位境界からエネルギー検出閾値を適応的に小さくするためのメカニズムを採用してもよい。適応メカニズムは、閾値の静的、または準静的設定を排除しなくてもよい。一例では、カテゴリ４ＬＢＴメカニズム、または他のタイプのＬＢＴメカニズムが、実装されてもよい。
【００５６】
様々な例示的なＬＢＴメカニズムが実装され得る。一例では、いくつかの信号の場合、いくつかの実施態様シナリオにおいて、いくつかの状況では、および／またはいくつかの周波数では、ＬＢＴプロシージャは、伝送エンティティによっては実行されない場合がある。一例では、カテゴリ２（例えば、ランダムバックオフなしのＬＢＴ）が、実装されてもよい。伝送エンティティが伝送する前にチャネルがアイドル状態であると検知される期間は、決定論的であり得る。一例では、カテゴリ３（例えば、固定サイズのコンテンションウィンドウを有するランダムバックオフを用いたＬＢＴ）が実装されてもよい。ＬＢＴ手順は、その構成要素の１つとして以下の手順を有することができる。伝送エンティティは、コンテンションウィンドウ内に乱数Ｎを選び出すことができる。コンテンションウィンドウのサイズは、Ｎの最小値および最大値によって指定され得る。コンテンションウィンドウのサイズは、固定され得る。乱数ＮをＬＢＴ手順において使用して、伝送エンティティがチャネル上で伝送する前にチャネルがアイドル状態であると検知される期間を決定することができる。一例では、カテゴリ４（例えば、可変サイズのコンテンションウィンドウを有するランダムバックオフ  を用いたＬＢＴ）が、実装されてもよい。伝送エンティティは、コンテンションウィンドウ内に乱数Ｎを選び出すことができる。コンテンションウィンドウのサイズは、Ｎの最小値および最大値によって指定されてもよい。伝送エンティティは、乱数Ｎを選び出すときに、コンテンションウィンドウのサイズを変化させてもよい。乱数Ｎは、ＬＢＴプロシージャ内で使用されて、伝送エンティティがチャネル上で伝送する前に、チャネルがアイドル状態であると検知される持続時間を決定する。
【００５７】
ＬＡＡは、ＵＥにおいてアップリンクＬＢＴを採用することができる。ＵＬ  ＬＢＴ方式は、ＤＬ  ＬＢＴ方式と異なってもよく（例えば、異なるＬＢＴメカニズムまたはパラメータを使用することによって）、例えば、その理由は、ＬＡＡ  ＵＬが、ＵＥのチャネル競合機会に影響を及ぼす、スケジューリングされたアクセスに基づくからである。異なるＵＬＬＢＴ方式を動機付ける他の配慮としては、以下に限定されないが、シングルサブフレーム内の複数のＵＥの多重化が挙げられる。
【００５８】
一例では、ＤＬ伝送バーストは、同じＣＣ上の同じノードからの前後にはすぐに伝送しないＤＬ伝送ノードからの連続伝送であってもよい。ＵＥの観点からのＵＬ伝送バーストは、同じＣＣ上の同じＵＥからの前後にはすぐに伝送しないＵＥからの連続伝送であってもよい。一例では、ＵＬ伝送バーストは、ＵＥの観点から定義される。一例では、ＵＬ伝送バーストは、ｅＮＢの観点から定義されてもよい。一例では、ｅＮＢが、同じ無認可キャリア上でＤＬ＋ＵＬ  ＬＡＡを動作させる場合に、ＬＡＡ上のＤＬ伝送バースト（複数可）およびＵＬ伝送バースト（複数可）は、同じ無認可キャリア上のＴＤＭ方式でスケジューリングされてもよい。例えば、時間におけるある瞬間は、ＤＬ伝送バーストまたはＵＬ伝送バースの一部であってもよい。
【００５９】
一例では、基地局は、複数の論理チャネルを用いて無線デバイスを構成してもよい。論理チャネルは、少なくとも１つのデータ無線ベアラ、および／または少なくとも１つのシグナリング無線ベアラに対応してもよい。無線ベアラおよび／またはシグナリングベアラは、サービス品質（ＱｏＳ）要件（例えば、スループット、待ち時間、ジッター等）と関連付けられてもよい。論理チャネル構成パラメータは、優先順位および／もしくは優先ビットレート（ＰＢＲ）ならびに／またはバケットサイズ持続時間（ＢＳＤ）等の複数のパラメータを含んでもよい。一例では、１つ以上の論理チャネルのために構成されたパラメータのうちの１つ以上が、論理チャネル優先順位付けプロシージャによって使用されて、トランスポートブロック（ＴＢ）内の複数の論理チャネルからのデータを多重化することができる。論理チャネルのための構成パラメータは、論理チャネルがセルタイプ（例えば、認可、無認可、ミリ波、超高周波等）にマッピングされ得るかどうかを示すことができる。論理チャネルのための構成パラメータは、論理チャネルが、ＴＴＩタイプ／持続時間および／もしくは数秘術ならびに／またはサービスタイプ（例えば、ＵＲＬＬＣ、ｅＭＢＢ、ｅＭＴＣ等）にマッピングされ得るかどうかを示すことができる。論理チャネルのための構成パラメータは、論理チャネルがマッピングされ得る最大ＴＴＩ持続時間を示すことができる。
【００６０】
一例では、基地局は、（例えば、無線デバイスによって）論理チャネルの、１つ以上の数秘術、ならびに／または伝送時間間隔（ＴＴＩ）、例えば、ＴＴＩ持続時間ならびに／またはセルおよび／もしくはサービスタイプおよび／またはグループへのマッピングを制御することができる。一例では、マッピングは、準静的（例えば、ＲＲＣ構成を用いて）であってもよく、動的（例えば、物理レイヤおよび／またはＭＡＣレイヤシグナリングを使用して）であってもよく、無線デバイスで事前に構成されてもよく、ハード分割／ソフト分割等であってもよい。一例では、無線デバイスは、シングルセルからの複数のＴＴＩおよび／または数秘術をサポートすることができる。一例では、複数のＴＴＩおよび／もしくは数秘術、ならびに／またはセルが、複数のＭＡＣエンティティによって処理されてもよい。一例では、複数のＴＴＩおよび／もしくは数秘術、ならびに／またはセルは、グループ化されてもよく（例えば、帯域、サービスのタイプ／ＱｏＳ等に基づいて）、ＴＴＩ／数秘術／セルのグループは、ＭＡＣエンティティによって処理されてもよい。一例では、複数のＴＴＩおよび／もしくは数秘術、ならびに／またはセルは、シングルＭＡＣエンティティによって処理されてもよい。
【００６１】
一例では、ネットワーク／ｇＮＢは、１つ以上の数秘術／ＴＴＩ持続時間／セル／サービスタイプにマッピングされる無線ベアラを構成してもよい。一例では、ＭＡＣエンティティは、１つ以上の数秘術／ＴＴＩ持続時間／セルをサポートしてもよい。一例では、論理チャネルは、１つ以上の数秘術／ＴＴＩ持続時間／セル／セルタイプ／サービスタイプにマッピングされてもよい。一例では、１つ以上の論理チャネルは、数秘術／ＴＴＩ持続時間／セル／セルタイプ／サービスタイプにマッピングされてもよい。一例では、ＨＡＲＱエンティティは、１つ以上の数秘術／ＴＴＩ持続時間／セル／セルタイプ／サービスタイプをサポートしてもよい。
【００６２】
一例では、バッファステータスレポーティングプロシージャを使用して、ＭＡＣエンティティに関連付けられたアップリンクバッファ（例えば、１つ以上の論理チャネルおよび／または論理チャネルグループに関連付けられたアップリンクバッファ）における、伝送に利用可能なデータ量に関する情報をサービング基地局に提供することができる。一例では、無線デバイスがＢＳＲ  ＭＡＣ  ＣＥの伝送のためのアップリンクリソース（例えば、ＰＵＳＣＨまたはＰＵＳＣＨのようなリソース）を有する場合、バッファステータスレポート（ＢＳＲ）ＭＡＣ  ＣＥは、無線デバイスによって、サービング基地局に伝送されてもよい。一例では、ＢＳＲは、１つ以上の論理チャネルおよび／または論理チャネルグループのバッファステータスを含んでもよい。一例では、ＢＳＲは、ＢＳＲがトリガされた後に、伝送されてもよい。一例では、ＳＲは、１つ以上のイベントに応答して、トリガされてもよい。一例では、１つ以上のイベントは、１つ以上の論理チャネルおよび／または論理チャネルグループに対して利用可能になるデータを含んでもよい。一例では、スケジューリング要求（ＳＲ）は、ＢＳＲの伝送のためのアップリンクリソース（例えば、ＰＵＳＣＨおよび／またはＰＵＳＣＨのようなリソース）が存在しない場合に、トリガされてもよい。一例では、無線デバイスは、１つ以上のＳＲがトリガすることに応答して、ＳＲプロセスを開始してもよい。一例では、１つ以上のカウンタ（例えば、ＳＲ＿ＣＯＵＮＴＥＲ等）、および／または１つ以上のタイマ（例えば、ｓｒ−ＰｒｏｈｉｂｉｔＴｉｍｅｒ等）が、ＳＲプロセスのために構成されてもよい。一例では、１つ以上のタイマの値は、１つ以上の構成メッセージ（例えば、ＲＲＣ）によって構成されてもよい。一例では、１つ以上の最大値が、１つ以上のカウンタ（例えば、ｄｓｒ−ＴｒａｎｓＭａｘ）に対して、構成されてもよい（例えば、１つ以上の構成メッセージ、例えば、ＲＲＣを使用して）。一例では、ＳＲプロセスに関連付けられた、構成された多くの数（例えば、ｄｓｒ−ＴｒａｎｓＭａｘ）のＳＲ信号が伝送され、無線デバイスが有効なグラントを受信する場合には、ＳＲプロセスは、失敗してもよい。
【００６３】
例示的な実施形態では、バッファステータスレポート（ＢＳＲ）は、データが１つ以上の論理チャネルおよび／または１つ以上の論理チャネルグループに対して利用可能になることに起因して、トリガされてもよい。一例では、スケジューリング要求（ＳＲ）は、無線デバイスが、アップリンクリソース（例えば、ＰＵＳＣＨおよび／またはＰＵＳＣＨのようなリソース）の不足に起因して、ＢＳＲを伝送することができない場合に、トリガされてもよい。無線デバイスは、物理アップリンク制御チャネル（例えば、ＰＵＣＣＨおよび／またはＰＵＣＣＨのようなチャネル）を使用して、ＳＲを伝送してもよい。一例では、ＳＲは、ＢＳＲをトリガした１つ以上の論理チャネルおよび／または１つ以上の論理チャネルグループを区別／指示してもよい。例示的な実施形態では、ＳＲは、ＳＲをトリガした１つ以上の論理チャネルおよび／または１つ以上の論理チャネルグループのうちの１つ以上の数秘術／ＴＴＩタイプを区別してもよい。一例では、ＳＲは、要求されたサービスタイプ（例えば、ＵＲＬＬＣ、ｅＭＢＢ、ｅＭＴＣ等）、および／または要求されたセルタイプ（例えば、認可、非認可、ミリ波セル、および／もしくは他の高周波数セル、ならびに／または同類のもの）を区別してもよく、要求されたサービスタイプ、および／または要求されたセルタイプは、ＢＳＲをトリガした１つ以上の論理チャネルおよび／または１つ以上の論理チャネルグループに依存してもよい。一例では、基地局は、ＳＲによって示された情報（例えば、１つ以上の示された論理チャネル、および／もしくは１つ以上の示された論理チャネルグループ、ならびに／または１つ以上の示されたＴＴＩ／数秘術および／または１つ以上のサービスタイプおよび／または１つ以上のセルタイプ）を考慮に入れてもよく、ＳＲによって示された情報に基づいて、無線デバイスにグラントを伝送してもよい。
【００６４】
例示的な実施形態では、基地局は、複数のスケジューリング要求構成（例えば、リソース構成）を用いて、無線デバイスを構成してもよい（例えば、１つ以上の無線リソース制御（ＲＲＣ）メッセージ、および／または他の構成メッセージを使用して）。一例では、複数のスケジューリング要求内のスケジューリング要求は、１つ以上の論理チャネル、および／もしくは１つ以上の論理チャネルグループ、ならびに／または１つ以上のサービスタイプおよび／もしくは１つ以上のＴＴＩ／数秘術および／もしくは１つ以上のセルタイプに対応してもよい。例示的な実施形態では、基地局は、同じセルに対して複数のＳＲ構成を用いて、無線デバイスを構成してもよい。一例では、同じセルは、プライマリセルおよび／またはセカンダリセルであってもよい。一例では、複数のスケジューリング要求内のスケジューリング要求は、ＳＲ構成インデックスを用いて構成されてもよい。一例では、複数のスケジューリング要求内のスケジューリング要求は、複数のＳＲリソースを示してもよい。ＳＲリソースは、時間（例えば、ＴＴＩ）および／または周波数（例えば、リソースブロック／要素）および／またはコードおよび／またはアンテナポートを示してもよい。一例では、２つ以上のＳＲリソースは、同じ時間および／または周波数リソースおよび／またはアンテナポートを共有してもよく、異なるコードリソースを使用してもよい。一例では、２つ以上のＳＲリソースは、同じ時間／周波数／アンテナポート／コードリソースを共有してもよい。一例では、複数のＳＲリソースは、１つ以上のパラメータ、例えば、周期性および／またはオフセットパラメータを使用して、示されてもよい。一例では、ＳＲ構成インデックスは、少なくともＳＲ周期性および／またはオフセットを示してもよい。一例では、２つ以上のＳＲ構成に対するＳＲリソースは、同時に構成されてもよい（例えば、ＴＴＩ）。一例では、２つ以上のＳＲ構成に対応する１つ以上のＳＲリソースは、２つ以上のＳＲ構成の間で共有されてもよい。一例では、ｇＮＢは、同時に伝送される２つ以上のＳＲ構成に対応する２つ以上のＳＲ信号を区別することができる（例えば、ＴＴＩ）。
【００６５】
一例では、第１のＳＲ構成は、１つ以上のＴＴＩおよび／または数秘術の第１のセットを示してもよく、第２のＳＲ構成は、１つ以上のＴＴＩおよび／または数秘術の第２のセットを示してもよい。一例では、第３のＳＲ構成は、１つ以上のＴＴＩおよび／もしくは数秘術の第１のセット、ならびに１つ以上のＴＴＩおよび／もしくは数秘術の第２のセットを示してもよい。一例では、第１のＳＲ構成は、第１の１つ以上の論理チャネル、および／または第１の１つ以上の論理チャネルグループを示してもよく、第２のＳＲ構成は、第２の１つ以上の論理チャネルおよび／または第２の１つ以上の論理チャネルグループを示してもよい。一例では、第３のＳＲ構成は、第１の１つ以上の論理チャネルおよび／または論理チャネルグループ、ならびに第２の１つ以上の論理チャネルおよび１つ以上の論理チャネルグループを示してもよい。一例では、第１のＳＲ構成は、第１のサービスタイプ（例えば、ＵＲＬＬＣ、ｅＭＢＢ、ｅＭＴＣ等）を示してもよく、第２のＳＲ構成は、第２のサービスタイプを示してもよい。一例では、第３のＳＲ構成は、第１のサービスタイプ、および第２のサービスタイプを示してもよい。一例では、第１のＳＲ構成は、第１のセルタイプ（例えば、認可、非認可、ミリ波セル、および／もしくは他の高周波数セル、ならびに／または同類のもの）を示してもよく、第２のＳＲ構成は、第２のセルタイプを示してもよい。一例では、第３のＳＲ構成は、第１のセルタイプおよび第２のセルタイプを示してもよい。
【００６６】
例示的な実施形態では、基地局は、マルチビットＳＲを有する無線デバイスを構成してもよい（例えば、１つ以上の無線リソース制御（ＲＲＣ）メッセージ、および／または他の構成メッセージを使用して）。一例では、マルチビットＳＲが、複数のビット（例えば、２、３、４等）を含んでもよい。一例では、基地局は、複数のＳＲ構成を有する無線デバイスを構成してもよい。一例では、複数のＳＲ構成内の第１のＳＲ構成は、マルチビットＳＲ構成を有してもよい。一例では、複数のＳＲ構成内の第２のＳＲ構成は、シングルビットＳＲ構成を有してもよい。一例では、マルチビットＳＲの第１のＳＲフィールド値は、１つ以上のＴＴＩおよび／または数秘術の第１のセットを示してもよく、マルチビットＳＲの第２のフィールド値は、１つ以上のＴＴＩおよび／または数秘術の第２のセットを示してもよい。一例では、マルチ−ビットＳＲの第３のＳＲフィールド値は、１つ以上のＴＴＩおよび／もしくは数秘術の第１のセット、ならびに１つ以上のＴＴＩおよび／もしくは数秘術の第２のセットを示してもよい。一例では、マルチビットＳＲの第１のＳＲフィールド値は、第１の１つ以上の論理チャネルおよび／または第１の１つ以上の論理チャネルグループを示してもよく、マルチビットＳＲの第２のＳＲフィールド値は、第２の１つ以上の論理チャネルおよび／または第２の１つ以上の論理チャネルグループを示してもよい。一例では、マルチビットＳＲの第３のＳＲフィールド値は、第１の１つ以上の論理チャネルおよび／もしくは論理チャネルグループ、ならびに／または第２の１つ以上の論理チャネルおよび／もしくは１つ以上の論理チャネルグループを示してもよい。一例では、マルチビットＳＲの第１のＳＲフィールド値は、第１のサービスタイプ（例えば、ＵＲＬＬＣ、ｅＭＢＢ、ｅＭＴＣ等）、およびマルチビットＳＲの第２のＳＲフィールド値は、第２のサービスタイプを示してもよい。一例では、第３のＳＲフィールド値は、第１のサービスタイプおよび第２のサービスタイプを示してもよい。一例では、マルチビットＳＲの第１のＳＲフィールド値は、第１のセルタイプ（例えば、認可、非認可、ミリ波セル、および／または他の高周波数セルなど）を示してもよく、マルチビットＳＲの第２のＳＲフィールド値は、第２のセルタイプを示してもよい。一例では、第３のＳＲフィールド値は、第１のセルタイプおよび第２のセルタイプを示してもよい。
【００６７】
第１のスケジューリング要求は、１つ以上のアップリンクグラントが、１つ以上の第１の論理チャネル／論理チャネルグループ／ＴＴＩ／数秘術／セルタイプ／サービスタイプに対して要求されることを示し得る。第２のスケジューリング要求は、１つ以上のアップリンクグラントが、１つ以上の第２の論理チャネル／論理チャネルグループ／ＴＴＩ／数秘術／セルタイプ／サービスタイプに対して要求されることを示し得る。従来のスケジューリング要求プロシージャでは、ＳＲプロセスは、要求されたアップリンクグラントのタイプを示さない（例えば、１つ以上の論理チャネル／論理チャネルグループ／ＴＴＩ／数秘術／セルタイプ／サービスタイプによって使用可能である）。複数のトリガされたＳＲは、従来のＳＲプロシージャにおけるシングルＳＲプロセスに対応する。例示的な実施形態は、従来のＳＲプロシージャを強化して複数のＳＲプロセスを処理する。実施形態は、ＳＲプロセスが進行しているときに新しいＳＲプロセスを開始するための方法、および／または新しいＳＲプロセスが開始したときに進行するＳＲプロセスをキャンセルするための方法を開示している。実施形態は、アップリンクリソースが１つ以上の論理チャネル／論理チャネルグループ／ＴＴＩ／数秘術／セルタイプ／サービスタイプに対して要求されることを示し、複数のＳＲプロセスを効率的に処理（例えば、開始および／またはキャンセル）することによって、スケジューリング要求プロシージャの効率を高める。
【００６８】
例示的な実施形態では、無線デバイスは、１つ以上のセルのための構成パラメータを含む１つ以上のメッセージを受信することができる。一例では、１つ以上のメッセージは、１つ以上の無線リソース制御（ＲＲＣ）メッセージを含むことができる。無線デバイスは、第１のＳＲトリガが１つ以上の第１のイベントに対応することに応答して、第１のスケジューリング要求プロセスを開始することができる。一例では、無線デバイスは、第１のＳＲプロセスが進行している間に、１つ以上の第２のイベントに対応する第２のＳＲをトリガすることができる。無線デバイスは、１つ以上の基準が満たされたときに、第２のＳＲプロセスを開始することができる。一例では、無線デバイスは、１つ以上の基準が満たされない場合に、第２のＳＲプロセスを開始しなくてもよい。無線デバイスは、第２のＳＲプロセスを開始することに応答して、アップリンク制御チャネルを介してＳＲ信号を伝送することができる。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術、および／または１つ以上のＴＴＩ／数秘術、ＭＩＭＯパラメータ等を含み得る。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【００６９】
一例では、構成パラメータは、マルチビットＳＲのためのパラメータを含んでもよい。一例では、マルチビットＳＲの第１の値は、マルチビットＳＲが、少なくとも１つの第１のＴＴＩ／数秘術に対する少なくとも１つのアップリンクグラントに対する要求であることを示してもよく、マルチビットＳＲの第２の値は、マルチビットＳＲが、少なくとも１つの第２のＴＴＩ／数秘術に対する少なくとも１つのアップリンクグラントに対する要求であることを示してもよい。一例では、１つ以上の第１のイベントは、少なくとも１つの第１の論理チャネルに対して利用可能になるデータが、少なくとも１つの第１のＴＴＩ／数秘術にマッピングされることに起因してトリガされる第１のＳＲに対応する第１のバッファステータスレポート（ＢＳＲ）を含み得る。一例では、１つ以上の第２のイベントは、少なくとも１つの第２の論理チャネルに対して利用可能になるデータが、少なくとも１つの第２のＴＴＩ／数秘術にマッピングされることに起因してトリガされる第２のＳＲに対応する第２のバッファステータスレポート（ＢＳＲ）を含み得る。
【００７０】
例示的な実施態様では、マルチビットＳＲの第１の値は、少なくとも１つの第１のサービスタイプに対する少なくとも１つのアップリンクグラントが要求されることを示し得、マルチビットＳＲの第２の値は、少なくとも１つの第２のサービスタイプに対する少なくとも１つのアップリンクグラントが要求されることを示し得る。一例では、１つ以上の第１のイベントは、少なくとも１つの第１の論理チャネルに対して利用可能になるデータが、第１のサービスタイプに対応することに起因してトリガされる、第１のＳＲに対応する第１のバッファステータスレポート（ＢＳＲ）を含み得る。一例では、１つ以上の第２のイベントは、少なくとも１つの第２の論理チャネルに対して利用可能になるデータが、第２のサービスタイプに対応することに起因してトリガされる、第２のＳＲに対応する第２のバッファステータスレポート（ＢＳＲ）を含み得る。
【００７１】
例示的な実施態様では、マルチビットＳＲの第１の値は、少なくとも１つの第１のセルタイプに対する少なくとも１つのアップリンクグラントが要求されることを示し得、マルチビットＳＲの第２の値は、少なくとも１つの第２のセルタイプに対する少なくとも１つのアップリンクグラントが要求されることを示し得る。一例では、１つ以上の第１のイベントは、少なくとも１つの第１の論理チャネルに対して利用可能になるデータが、第１のセルタイプに対応し、かつ／またはマッピングされることに起因してトリガされる、第１のＳＲに対応する第１のバッファステータスレポート（ＢＳＲ）を含み得る。一例では、１つ以上の第２のイベントは、少なくとも１つの第２の論理チャネルに対して利用可能になるデータが、第２のセルタイプに対応し、かつ／またはマッピングされることに起因してトリガされる、第２のＳＲに対応する第２のバッファステータスレポート（ＢＳＲ）を含み得る。
【００７２】
例示的な実施態様では、マルチビットＳＲの第１の値は、少なくとも１つの第１の論理チャネルに対する少なくとも１つのアップリンクグラントが要求されることを示し得、マルチビットＳＲの第２の値は、少なくとも１つの第２の論理チャネルに対する少なくとも１つのアップリンクグラントが要求されることを示し得る。一例では、１つ以上の第１のイベントは、データが少なくとも１つの第１の論理チャネルに対して利用可能になることに起因してトリガされる第１のＳＲに対応する第１のバッファステータスレポート（ＢＳＲ）を含み得る。一例では、１つ以上の第２のイベントは、データが少なくとも１つの第２の論理チャネルに対して利用可能になることに起因してトリガされる、第２のＳＲに対応する第２のバッファステータスレポート（ＢＳＲ）を含み得る。
【００７３】
例示的な実施態様では、マルチビットＳＲの第１の値は、少なくとも１つの第１の論理チャネルグループに対する少なくとも１つのアップリンクグラントが要求されることを示し得、マルチビットＳＲの第２の値が、少なくとも１つの第２の論理チャネルグループに対する少なくとも１つのアップリンクグラントが要求されることを示し得る。一例では、１つ以上の第１のイベントは、データが少なくとも１つの第１の論理チャネルグループ内の少なくとも１つの第１の論理チャネルに対して利用可能になることに起因してトリガされる、第１のＳＲに対応する第１のバッファステータスレポート（ＢＳＲ）を含み得る。一例では、１つ以上の第２のイベントは、データが少なくとも１つの第２の論理チャネルグループ内の少なくとも１つの第２の論理チャネルに対して利用可能になることに起因してトリガされる、第２のＳＲに対応する第２のバッファステータスレポート（ＢＳＲ）を含み得る。
【００７４】
一例では、構成パラメータは、複数のＳＲリソース構成のためのパラメータを含み得る。一例では、複数のＳＲリソース構成は、同じセル上にあってもよい。一例では、複数のＳＲ構成は、複数のセルのためであってもよい。複数のＳＲ構成内のＳＲ構成は、ＳＲ構成インデックスに関連付けられ得る。一例では、第１のＳＲ構成は、少なくとも１つの第１のＴＴＩ／数秘術に対する少なくとも１つのアップリンクグラントが要求されることを示し得、第２のＳＲ構成は、少なくとも１つの第２のＴＴＩ／数秘術のための少なくとも１つのアップリンクグラントが要求されることを示し得る。一例では、１つ以上の第１のイベントは、少なくとも１つの第１の論理チャネルに対して利用可能になるデータが、少なくとも１つの第１のＴＴＩ／数秘術にマッピングされることに起因してトリガされる第１のＳＲに対応する第１のバッファステータスレポート（ＢＳＲ）を含み得る。一例では、１つ以上の第２のイベントは、少なくとも１つの第２の論理チャネルに対して利用可能になるデータが、少なくとも１つの第２のＴＴＩ／数秘術にマッピングされることに起因してトリガされる第２のＳＲに対応する第２のバッファステータスレポート（ＢＳＲ）を含み得る。
【００７５】
一例では、第１のＳＲ構成は、少なくとも１つの第１のサービスタイプのための少なくとも１つのアップリンクグラントが要求されることを示し得、第２のＳＲ構成は、少なくとも１つの第２のサービスタイプのための少なくとも１つのアップリンクグラントが要求されることを示し得る。一例では、１つ以上の第１のイベントは、少なくとも１つの第１の論理チャネルに対して利用可能になるデータが、少なくとも１つの第１のサービスタイプに対応することに起因してトリガされる第１のＳＲに対応する第１のバッファステータスレポート（ＢＳＲ）を含み得る。一例では、１つ以上の第２のイベントは、少なくとも１つの第２の論理チャネルに対して利用可能になるデータが、少なくとも１つの第２のサービスタイプに対応することに起因してトリガされる、第２のＳＲに対応する第２のバッファステータスレポート（ＢＳＲ）を含み得る。
【００７６】
一例では、第１のＳＲ構成は、少なくとも１つの第１のセルタイプに対する少なくとも１つのアップリンクグラントが要求されることを示してもよく、第２のＳＲ構成は、少なくとも１つの第２のセルタイプに対する少なくとも１つのグラントが要求されることを示し得る。一例では、１つ以上の第１のイベントは、少なくとも１つの第１の論理チャネルに対して利用可能になるデータが、少なくとも１つの第１のセルタイプに対応し、かつ／またはマッピングされることに起因してトリガされる、第１のＳＲに対応する第１のバッファステータスレポート（ＢＳＲ）を含み得る。一例では、１つ以上の第２のイベントは、少なくとも１つの第２の論理チャネルに対して利用可能になるデータが、少なくとも１つの第２のセルタイプに対応し、かつ／またはマッピングされることに起因してトリガされる第２のＳＲに対応する第２のバッファステータスレポート（ＢＳＲ）を含み得る。
【００７７】
一例では、第１のＳＲ構成は、少なくとも１つの第１のセルタイプに対する少なくとも１つのアップリンクグラントが要求されることを示し得、第２のＳＲ構成は、少なくとも１つの第２のセルタイプに対する少なくとも１つのアップリンクグラントが要求されることを示し得る。一例では、１つ以上の第１のイベントは、少なくとも１つの第１の論理チャネルに対して利用可能になるデータが、少なくとも１つの第１のセルタイプに対応し、かつ／またはマッピングされることに起因してトリガされる第１のＳＲに対応する第１のバッファステータスレポート（ＢＳＲ）を含み得る。一例では、１つ以上の第２のイベントは、少なくとも１つの第２の論理チャネルに対して利用可能になるデータが、少なくとも１つの第２のセルタイプに対応し、かつ／またはマッピングされることに起因してトリガされる第２のＳＲに対応する第２のバッファステータスレポート（ＢＳＲ）を含み得る。
【００７８】
一例では、第１のＳＲ構成は、少なくとも１つの第１の論理チャネルに対する少なくとも１つのアップリンクグラントが要求されることを示し得、第２のＳＲ構成は、少なくとも１つの第２の論理チャネルのための少なくとも１つのアップリンクグラントが要求されることを示し得る。一例では、１つ以上の第１のイベントは、データが少なくとも１つの第１の論理チャネルに対して利用可能になることに起因してトリガされる第１のＳＲに対応する第１のバッファステータスレポート（ＢＳＲ）を含み得る。一例では、１つ以上の第２のイベントは、データが少なくとも１つの第２の論理チャネルに対して利用可能になることに起因してトリガされる第２のＳＲに対応する第２のバッファステータスレポート（ＢＳＲ）を含み得る。
【００７９】
一例では、第１のＳＲ構成は、少なくとも１つの第１の論理チャネルグループのための少なくとも１つのアップリンクグラントが要求されることを示し得、第２のＳＲ構成は、少なくとも１つの第２の論理チャネルグループのための少なくとも１つのアップリンクグラントが要求されることを示し得る。一例では、１つ以上の第１のイベントは、データが、少なくとも１つの第１の論理チャネルグループ内の少なくとも１つの第１の論理チャネルに対して利用可能になることに起因してトリガされる、第１のＳＲに対応する第１のバッファステータスレポート（ＢＳＲ）を含み得る。一例では、１つ以上の第２のイベントは、データが少なくとも１つの第２の論理チャネルグループ内の少なくとも１つの第２の論理チャネルに対して利用可能になることに起因してトリガされる、第２のＳＲに対応する第２のバッファステータスレポート（ＢＳＲ）を含み得る。
【００８０】
一例では、１つ以上の基準は、少なくとも１つの第２の論理チャネルの優先順位が、少なくとも１つの第１の論理チャネルの優先順位よりも高いか、または等しいことを含み得る。一例では、１つ以上の基準は、第２のＳＲのトリガを含み得、１つ以上の第２の論理チャネルの優先順位とは無関係であり得、例えば、１つ以上の論理チャネルの優先順位は、１つ以上の第１の論理チャネルの優先順位よりも、高くても、等しくても、または低くてもよい。
【００８１】
一例では、１つ以上の基準は、第２のＳＲに対して構成される第１のＳＲリソース（例えば、第２のＳＲに対応するＳＲリソース構成によって示されるように）が、第１のＳＲプロセスに対する次のＳＲリソース（例えば、第２のＳＲに対応するＳＲリソース構成によって示されるように）の前に生じることを含み得る。一例では、１つ以上の基準は、第１のＳＲプロセスに対する次のＳＲリソースの前であって、ＴＴＩおよび／または時間の閾値数の前に生じる、第２のＳＲに対する第１のＳＲリソースを含み得る。一例では、１つ以上の基準は、ＴＴＩおよび／または時間の閾値数の前に生じる、第２のＳＲに対する第１のＳＲリソースを含み得る。一例では、１つ以上の基準は、第２のＳＲの周期性が、第１のＳＲの周期性よりも小さいこと、および／または第２のＳＲの周期性が、閾値（例えば、閾値時間、および／またはＴＴＩの閾値数）よりも小さいこと、および／または第２のＳＲの周期性が、第１のＳＲの周期性よりも小さい設定可能な回数であることを含み得る。一例では、１つ以上の基準は、第１のＳＲプロセスに対応する第１のカウンタの値が、第１の設定可能な値よりも大きいか、またはそれに等しいことを含み得る。一例では、閾値は、設定可能であり得る（例えば、ＲＲＣ、および／またはＤＣＩなどの動的シグナリングを使用して）。
【００８２】
例示的な実施態様では、無線デバイスは、１つ以上の基準が満たされたときに、第１のＳＲプロセスをキャンセルすることができる。一例では、無線デバイスは、１つ以上の基準が満たされたときに、第１のＳＲプロセスを破棄することができる。一例では、無線デバイスは、第１のＳＲプロセスに対応する１つ以上のカウンタをリセットすることができる。一例では、無線デバイスは、第１のＳＲプロセスに対応する１つ以上のタイマを停止することができる。一例では、１つ以上の基準が満たされたときに、無線デバイスは、第１のＳＲプロセスのマルチビットＳＲにおいて複数のビットを更新して、少なくとも１つの第２の論理チャネル／論理チャネルグループ／ＴＴＩ／数秘術／サービスタイプ／セルタイプを示すことができる。一例では、無線デバイスは、第１のＳＲプロセスに関連付けられたカウンタおよびタイマの値を保持し、更新されたＳＲプロセスに対する値を使用することができる。一例では、無線デバイスは、第１のＳＲプロセスを更新した後に、第１のＳＲプロセスに関連付けられた１つ以上のカウンタをリセットすることができる。一例では、無線デバイスは、第１のＳＲプロセスを更新した後に、第１のＳＲプロセスに関連付けられた１つ以上のタイマを停止することができる。
【００８３】
例示的な実施態様では、無線デバイスは、第１のＳＲを待ち状態に保持することができる。一例では、無線デバイスは、第２のＳＲプロセスのためのタイマおよび／またはカウンタの第２のセットを使用することができる。一例では、タイマおよび／またはカウンタの第２のセットは、第１のＳＲプロセスに対するタイマおよび／またはカウンタの第１のセットとは異なってもよい。
【００８４】
一例では、マルチビットＳＲ内の複数のビットは、少なくとも１つの第１の論理チャネル／論理チャネルグループ／ＴＴＩ／数秘術／サービスタイプ／セルタイプに対する少なくとも１つのグラント、および少なくとも１つの第２の論理チャネル／論理チャネルグループ／ＴＴＩ／数秘術／サービスタイプ／セルタイプに対する少なくとも１つのグラントが、要求されることを示すことができる。一例では、無線デバイスが、少なくとも１つの論理チャネル／論理チャネルグループ／ＴＴＩ／数秘術／サービスタイプ／セルタイプに対する１つ以上のグラントを受信したときに、かつ／または無線デバイスが、少なくとも１つの第２の論理チャネル／論理チャネルグループ／ＴＴＩ／数秘術／サービスタイプ／セルタイプに対する１つ以上のグラントを受信したときに、無線デバイスは、マルチビットＳＲを更新し、少なくとも１つの第１の論理チャネル／論理チャネルグループ／ＴＴＩ／数秘術／サービスタイプ／セルタイプに対する少なくとも１つのグラント、および少なくとも１つの第２の論理チャネル／論理チャネルグループ／ＴＴＩ／数秘術／サービスタイプ／セルタイプに対する少なくとも１つのグラントを示すことができる。例えば、無線デバイスが、少なくとも１つの第１の論理チャネル／論理チャネルグループ／ＴＴＩ／数秘術／サービスタイプ／セルタイプに対する１つ以上のグラントを受信したときに、マルチビットＳＲは、当初、少なくとも１つの第１の論理チャネル／論理チャネルグループ／ＴＴＩ／数秘術／サービスタイプ／セルタイプに対する少なくとも１つのグラント、および少なくとも１つの第２の論理チャネル／論理チャネルグループ／ＴＴＩ／数秘術／サービスタイプ／セルタイプに対する少なくとも１つのグラントが、要求されていることを示し、少なくとも１つの第２の論理チャネル／論理チャネルグループ／ＴＴＩ／数秘術／サービスタイプ／セルタイプに対する少なくとも１つのグラントが、要求されていることを示すことができる。
【００８５】
例示的な実施態様では、グラントが受信され、ＢＳＲが伝送されたときに、無線デバイスは、第１のＳＲプロセスおよび第２のＳＲプロセスをキャンセルすることができ、ＢＳＲは、第１のＳＲおよび第２のＳＲをトリガした論理チャネルに関連付けられたバッファのステータスを含む。一例では、少なくとも１つの第１の論理チャネル／論理チャネルグループ／ＴＴＩ／数秘術／サービスタイプ／セルタイプに対するグラントが受信されたとき、無線デバイスは、第１のＳＲプロセスをキャンセルすることができる。一例では、少なくとも１つの第２の論理チャネル／論理チャネルグループ／ＴＴＩ／数秘術／サービスタイプ／セルタイプに対するグラントが受信されたとき、無線デバイスは、第２のＳＲプロセスをキャンセルすることができる。
【００８６】
例示的なスケジューリング要求プロシージャが、図１５に例解され、第１のＳＲプロセスが進行している間に第２のＳＲプロセスがトリガされたときの例示的な無線デバイス動作を説明している。第１のスケジューリング要求（例えば、ＳＲ１）は、例えば、データが少なくとも１つの第１の論理チャネル（例えば、優先順位Ｐ１を有する論理チャネル１（ＬＣ１））に対して利用可能になることに起因して、トリガされ得る。一例では、無線デバイスは、ＳＲ１がトリガされた後に、第１のＳＲプロセス（ＳＲ１）を開始することができる。無線デバイスは、物理アップリンク制御チャネルを介して、ＳＲ１に対応するＳＲ信号を伝送することができる。一例では、無線デバイスは、ＳＲ１に対して構成されたアップリンクリソースを使用することができる（例えば、少なくとも１つの第１の論理チャネルに対して、ならびに／または少なくとも１つの第１の論理チャネルがマッピングされるＴＴＩおよび／もしくは数秘術に対して、ならびに／または少なくとも１つの第１の論理チャネルに対応するサービスタイプに対して、ならびに／または少なくとも１つの第１の論理チャネルがマッピングされるセルタイプに対して）。一例では、無線デバイスは、リソースが、少なくとも１つの第１の論理チャネルに対して、ならびに／または少なくとも１つの第１の論理チャネルがマッピングされるＴＴＩおよび／もしくは数秘術に対して、ならびに／または少なくとも１つの第１の論理チャネルに対応するサービスタイプに対して、ならびに／または少なくとも１つの第１の論理チャネルがマッピングされるセルタイプに対して、要求されることを示すマルチビットＳＲを伝送することができる。一例では、ＳＲ１プロセスが進行している間に、第２のスケジューリング要求は、例えば、データが少なくとも１つの第２の論理チャネル（例えば、優先順位Ｐ２を有する論理チャネル２（ＬＣ２））に対して利用可能になることに起因して、トリガされてもよい。一例では、無線デバイスは、ＳＲ２プロセスがトリガされた後に、ＳＲ２プロセスを開始することができる。一例では、無線デバイスは、１つ以上の基準に従って、ＳＲ２プロセスを開始しても、またはしなくてもよい。一例では、１つ以上の基準は、少なくとも１つの第１の論理チャネル優先順位および少なくとも１つの第２の論理チャネル優先順位（例えば、Ｐ１およびＰ２）の優先順位に依存し得る。一例では、無線デバイスは、少なくとも１つの第２の論理チャネルが、少なくとも１つの第１の論理チャネルよりも高いか、または等しい優先順位を有する場合（例えば、Ｐ２≧Ｐ１の場合）、ＳＲ２プロセスを開始することができる。一例では、無線は、少なくとも１つの第２の論理チャネルが、少なくとも１つの第１の論理チャネルよりも低いか、または等しい優先順位を有する場合（例えば、Ｐ２＜Ｐ１の場合）、ＳＲ２プロセスを開始しなくてもよい。一例では、１つ以上の基準は、少なくとも１つの第１の論理チャネルおよび少なくとも１つの第２の論理チャネルに関連付けられたサービスタイプに依存し得る。一例では、１つ以上の基準は、少なくとも１つの第１の論理チャネルおよび少なくとも１つの第２の論理チャネルがマッピングされるセルタイプに依存し得る。一例では、１つ以上の基準は、少なくとも１つの第１の論理チャネルグループおよび少なくとも１つの第２の論理チャネルグループが属する論理チャネルグループに依存し得る。
【００８７】
例示的なスケジューリング要求プロシージャが、図１６に例解され、第１のＳＲプロセスが進行している間に第２のＳＲプロセスがトリガされたときの例示的な無線デバイス動作を説明している。例示的なスケジューリング要求プロシージャが、図１５に例解され、第１のＳＲプロセスが進行している間に第２のＳＲプロセスがトリガされたときの例示的な無線デバイス動作を説明している。第１のスケジューリング要求（例えば、ＳＲ１）は、例えば、データが少なくとも１つの第１の論理チャネル（例えば、優先順位Ｐ１を有する論理チャネル１（ＬＣ１））に対して利用可能になることに起因して、トリガされ得る。一例では、無線デバイスは、ＳＲ１がトリガされた後に、第１のＳＲプロセス（ＳＲ１）を開始することができる。無線デバイスは、物理アップリンク制御チャネルを介して、ＳＲ１に対応するＳＲ信号を伝送することができる。一例では、無線デバイスは、ＳＲ１に対して構成されたアップリンクリソースを使用することができる（例えば、少なくとも１つの第１の論理チャネルに対して、ならびに／または少なくとも１つの第１の論理チャネルがマッピングされるＴＴＩおよび／もしくは数秘術に対して、ならびに／または少なくとも１つの第１の論理チャネルに対応するサービスタイプに対して、ならびに／または少なくとも１つの第１の論理チャネルがマッピングされるセルタイプに対して）。一例では、無線デバイスは、リソースが、少なくとも１つの第１の論理チャネルに対して、ならびに／または少なくとも１つの第１の論理チャネルがマッピングされるＴＴＩおよび／もしくは数秘術に対して、ならびに／または少なくとも１つの第１の論理チャネルに対応するサービスタイプに対して、ならびに／または少なくとも１つの第１の論理チャネルがマッピングされるセルタイプに対して、要求されることを示すマルチビットＳＲを伝送することができる。一例では、ＳＲ１プロセスが進行している間に、第２のスケジューリング要求は、例えば、データが少なくとも１つの第２の論理チャネル（例えば、優先順位Ｐ２を有する論理チャネル２（ＬＣ２））に対して利用可能になることに起因して、トリガされてもよい。一例では、無線デバイスは、ＳＲ２プロセスがトリガされた後に、ＳＲ２プロセスを開始することができる。一例では、無線デバイスは、１つ以上の基準に従って、ＳＲ２プロセスを開始しても、またはしなくてもよい。一例では、１つ以上の基準は、少なくとも１つの第１の論理チャネル優先順位および少なくとも１つの第２の論理チャネル優先順位（例えば、Ｐ１およびＰ２）の優先順位に依存し得る。一例では、無線デバイスは、少なくとも１つの第２の論理チャネルが、少なくとも１つの第１の論理チャネルよりも高いか、または等しい優先順位を有する場合（例えば、Ｐ２≧Ｐ１の場合）、ＳＲ２プロセスを開始することができる。一例では、無線は、少なくとも１つの第２の論理チャネルが、少なくとも１つの第１の論理チャネルよりも低いか、または等しい優先順位を有する場合（例えば、Ｐ２＜Ｐ１の場合）、ＳＲ２プロセスを開始しなくてもよい。一例では、無線デバイスは、ＳＲ２プロセスを開始した後に、ＳＲ１プロセスをキャンセルしてもよい。一例では、無線デバイスは、ＳＲ１プロセスをキャンセルした後には、ＳＲ１に対応するＳＲ信号の伝送を継続しなくてもよい。一例では、ＬＣ２がＬＣ１より高いか、または等しい優先順位を有するときに（例えば、Ｐ２≧Ｐ１）、ＳＲ２が開始された場合、無線デバイスは、ＳＲ２に対応するＳＲ信号の伝送を開始し（例えば、ＳＲ２に対応するリソースを使用して、ならびにＳＲ２に対応するＳＲ２および／または論理チャネル／論理チャネルグループ／ＴＴＩ／数秘術／セルタイプ／サービスタイプを示すマルチビットＳＲフィールド値を使用して）、ＳＲ１に対応するＳＲ信号の伝送を停止するであろう。
【００８８】
従来のＳＲプロシージャでは、ＳＲリソースを用いて構成されていない無線デバイスは、ＳＲがトリガされた後に、ランダムアクセスプロシージャを開始することができる。新しい無線（ＮＲ）では、複数の論理チャネルおよび／もしくは論理チャネルグループ、ならびに／またはＴＴＩおよび／もしくは数秘術、ならびに／またはセルタイプおよび／もしくはサービスタイプ等に対応する複数のＳＲが、無線デバイスに対してトリガされてもよい。スケジューリング要求プロシージャ、およびランダムアクセスの開始は、複数のトリガされたＳＲを考慮するために、強化される必要がある。例示的な実施形態が、スケジューリング要求プロシージャを強化する。
【００８９】
例示的な実施形態では、無線デバイスは、１つ以上のセルのための構成パラメータを含む１つ以上のメッセージを受信することができる。一例では、１つ以上のメッセージは、１つ以上の無線リソース制御（ＲＲＣ）メッセージを含むことができる。一例では、構成パラメータは、ランダムアクセスプロシージャが、複数の論理チャネル内で、少なくとも１つの第１の論理チャネルに対してスキップされたかどうかを示すことができる（例えば、少なくとも１つの第１のＴＴＩ／数秘術にマッピングされ、かつ／または少なくとも１つの第１のサービスタイプに対応し、かつ／または少なくとも１つの第１の論理チャネルグループに属し、かつ／または少なくとも１つの第１のセルタイプにマッピングされ、かつ／または第１の論理チャネル優先順位に対応する）。無線デバイスは、データが少なくとも１つの第１の論理チャネルに対して利用可能になることに応答して、第１のＳＲをトリガすることができる。一例では、第１のＳＲは、第１のＢＳＲがトリガされ、第１のＢＳＲの伝送のためのリソース（例えば、ＰＵＳＣＨまたはＰＵＳＣＨのようなリソース）が不足することに応答して、トリガされ得る。無線デバイスは、有効なＳＲリソースが、少なくとも１つの第１の論理チャネルのためのリソースを要求するためには構成されていない場合に、ランダムアクセスプロシージャを開始することができ、構成パラメータは、ランダムアクセスプロシージャが、少なくとも１つの第１の論理チャネルに対してスキップされないことを示す。無線デバイスは、それ以外の場合では、ランダムアクセスプロシージャを開始しなくてもよい。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントにより示された無線リソースを使用する１つ以上のＴＢを伝送することができる。
【００９０】
例示的な実施態様では、ランダムアクセスプロシージャを開始することは、少なくとも１つの第１の論理チャネル、および／もしくは少なくとも１つの第１の論理チャネルグループ、ならびに／または少なくとも１つの第１のセルタイプ、ならびに／または少なくとも１つの第１の論理チャネルがマッピングされる少なくとも１つの第１のＴＴＩ／数秘術、ならびに／または少なくとも１つの第１の論理チャネルに対応する少なくとも１つのサービスタイプを使用する１つ以上のランダムアクセスリソースを選択することをさらに含んでもよい。一例では、１つ以上のランダムアクセスリソースを選択することは、セルおよび／またはＴＴＩ／数秘術および／またはプリアンブルおよび／またはＲＡＣＨリソースを選択することを含んでもよい。
【００９１】
例示的な実施形態では、無線デバイスは、１つ以上のセルのための構成パラメータを含む１つ以上のメッセージを受信することができる。１つ以上のメッセージは、１つ以上の無線リソース制御（ＲＲＣ）メッセージを含むことができる。一例では、構成パラメータは、複数の論理チャネルのためのパラメータを含むことができる。一例では、構成パラメータは、少なくとも１つの第１のパラメータを含むことができる。一例では、少なくとも１つの第１のパラメータは、ランダムアクセスプロシージャが、複数の論理チャネル内で、論理チャネルに対してスキップされたかどうかを示すことができる（例えば、ＴＴＩ／数秘術にマッピングされ、かつ／またはサービスタイプに対応し、かつ／または論理チャネルグループに属し、かつ／またはセルタイプにマッピングされ、かつ／または論理チャネル優先順位に対応する）。一例では、少なくとも１つの第１のパラメータは、ランダムアクセスプロシージャが、ＭＡＣエンティティ、および／またはＭＡＣエンティティのために構成された１つ以上の論理チャネルに対してスキップされたどうかを示すことができる。一例では、少なくとも１つのパラメータは、複数の論理チャネルのための構成パラメータの一部であってもよい。一例では、少なくとも１つのパラメータは、複数のスケジューリング要求リソース構成のための構成パラメータの一部であってもよい。一例では、無線デバイスは、データが少なくとも１つの第１の論理チャネルに対して利用可能になることに起因して、第１のスケジューリング要求（ＳＲ）をトリガすることができる。無線デバイスは、データが少なくとも１つの第２の論理チャネルに対して利用可能になることに起因して、第２のＳＲをトリガすることができる。第１の条件が満たされ、かつ少なくとも１つの第１のパラメータがランダムアクセスをスキップしたことを示さない場合、無線デバイスは、ランダムアクセスプロシージャを開始することができる。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントで示される伝送パラメータを使用する１つ以上のＴＢを構築することができる。無線デバイスは、アップリンクグラントによって示される無線リソースを使用する１つ以上のＴＢを伝送することができる。
【００９２】
一例では、第１の条件は、有効なＳＲリソースを用いては構成されていない第１のＳＲおよび第２のＳＲのうちの少なくとも一方を含み得る。一例では、第１の条件は、有効なＳＲリソースを用いては構成されていない第１のＳＲおよび第２のＳＲの両方を含み得る。一例では、第１のＳＲ（または第２のＳＲ）は、ＳＲ構成パラメータが、第１のＳＲ（または第２のＳＲ）のためのリソース構成パラメータを含まない場合、有効なＳＲリソースを用いて構成されなくてもよい。一例では、無線デバイスは、第１の条件が満たされ、かつ／または少なくとも１つの第１のパラメータは、ランダムアクセスをスキップしたことを示さない場合、第１のＳＲおよび第２のＳＲをキャンセルすることができる。一例では、無線デバイスは、有効に構成されたＳＲリソースを有さないＳＲをキャンセルし、有効なＳＲリソースが待ち状態のＳＲを保持することができる。一例では、無線デバイスは、第１のＳＲに有効なＳＲリソースがなく、第２のＳＲに有効なＳＲリソースがある場合、第１のＳＲをキャンセルし、第２のＳＲを待ち状態に保持することができる。一例では、無線デバイスは、ＳＲをキャンセルするときに、優先順位および／または周期性および／または他のパラメータを考慮することができる。
【００９３】
同じ基地局からリソースを要求するための複数のＳＲプロセスが待ち状態である場合、既存のＳＲメカニズムの実施態様は、基地局による非効率なリソース割り当てをもたらし得る。この課題は、複数のＳＲプロセスが、複数の基地局に関連付けられた複数のＭＡＣエンティティのためである場合には、適用できなくてもよい。既存のＳＲメカニズムの実施態様は、非効率なアップリンクスケジューリング、非効率なアップリンクリソース利用、およびネットワークパフォーマンスの低下をもたらす。基地局の複数のＳＲリソースが、無線デバイスのために構成され、ＳＲリソースが、１つ以上の伝送間隔にマッピングされる１つ以上の論理チャネルに対応する場合、ＳＲメカニズムを改善する必要がある。論理チャネルが、アップリンクデータチャネルの１つ以上の伝送時間間隔にマッピングされた場合、例示的な実施形態は、追加的な柔軟性を提供して、アップリンクリソース効率を改善することができる。例示的な実施形態は、複数のＳＲプロセスが、並行して進行している場合、従来のＳＲメカニズムを強化する。例示的な実施形態は、複数のＳＲプロセスが、同じ基地局にＳＲ要求を伝送するために待ち状態になっているときに、強化されたＳＲメカニズムを提供する。例示的な実施形態では、無線デバイスは、複数のＳＲ構成を用いて構成され得、各ＳＲ構成は、基地局へ伝送するために、１つ以上の伝送間隔（例えば、アップリンクデータチャネルの１つ以上の伝送時間間隔に関連付けられた）にマッピングされた１つ以上の論理チャネルに対応することができる。例示的な実施形態は、従来のスケジューリング要求プロセスを強化し、アップリンク無線リソース効率を改善する。
【００９４】
例示的な実施形態が、図２７に示されている。一例では、無線デバイスは、基地局から、１つ以上のメッセージを受信することができる。１つ以上のメッセージは、第１の論理チャネルおよび第２の論理チャネルを含む複数の論理チャネルのための構成パラメータを含むことができる。複数の論理チャネル内の論理チャネルは、ベアラ／サービス品質要件に関連付けられ得る。１つ以上のメッセージは、第１のスケジューリング要求のための構成パラメータを含むことができる。第１のスケジューリング要求のための構成パラメータは、第１のＳＲ構成インデックスを含むことができる。一例では、第１のスケジューリング要求のための構成パラメータは、１つ以上の第１のタイマ（例えば、１つ以上の第１の禁止タイマ）ための１つ以上の第１のタイマ値、および１つ以上の第１のカウンタ（例えば、１つ以上の第１のＳＲ伝送カウンタ）のための１つ以上の第１のカウンタ値を含むことができる。第１のスケジューリング要求は、第１のＳＲリソースを含む第１の複数のＳＲリソースを示すことができる。一例では、第１のＳＲリソースは、第１の論理チャネルに対応してもよい。一例では、第１の論理チャネルのための構成パラメータは、第１の構成インデックスを含む／示すことができる。一例では、第１の論理チャネルは、第１の値に至るまでの１つ以上の伝送持続時間に対応することができる。一例では、第１の論理チャネルのための構成パラメータは、第１の論理チャネルが、第１の値に至るまでの伝送持続時間をもたらすトランスポートブロックを介して（例えば、トランスポートブロックにマッピングされて）伝送され得ることを示すことができる。一例では、第１の値は、最大伝送持続時間値を示し得る。一例では、１つ以上の伝送持続時間内の伝送持続時間は、パケット／トランスポートブロックの伝送持続時間に対応し得る。一例では、１つ以上の伝送持続時間内の伝送持続時間は、ＴＴＩに対応し得る。一例では、１つ以上の伝送持続時間内の伝送持続時間は、ＰＵＳＣＨ持続時間に対応し得る。一例では、無線デバイスは、データが第１の論理チャネルに対して利用可能になることに応答して、第１のＳＲをトリガすることができる。一例では、無線デバイスは、データが第２の論理チャネルに対して利用可能になることに応答して、第２のＳＲをトリガすることができる。
【００９５】
一例では、有効なＳＲリソースが、第２のＳＲに対して構成されていない場合、無線デバイスは、ランダムアクセスプロシージャを開始することができる。無線デバイスは、（例えば、ランダムアクセスプロシージャの開始、および／またはランダムアクセスプリアンブルの伝送に応答して）第２のＳＲをキャンセルし、第１のＳＲを待ち状態に保持することができる。この例示的で強化されたＳＲメカニズムでは、無線デバイスは、第２のＳＲプロセスがキャンセルされている間に、第１のＳＲのステータスを維持し、ＳＲ要求を伝送することができる。基地局は、アップリンクグラントのどのタイプが無線デバイスによって必要であるかに関する追加的かつより具体的な情報を受信する。基地局は、もはや、第２の論理チャネルに対応するアップリンクグラントを伝送する必要がない。無線デバイスは、第１のＳＲをトリガすることに応答して、第１のＳＲリソースを介して、第１のＳＲを基地局に伝送することができる。無線デバイスは、基地局から、第１の値に至るまでの伝送持続時間内に１つ以上のトランスポートブロックを伝送するためのアップリンクグラントを受信することができる。例示的な実施形態では、この追加情報が基地局に対して利用可能であるときに、基地局のアップリンクリソース割り当ては、アップリンクリソース効率を高める。一例では、アップリンクグラントは、１つ以上のトランスポートブロックを伝送するための伝送パラメータを含んでもよい。
【００９６】
例示的なスケジューリング要求プロシージャが、図１７に例解されている。無線デバイスは、基地局から、構成パラメータを含む１つ以上のメッセージを受信することができる。一例では、構成パラメータは、複数のスケジューリング要求構成のためのパラメータを含むことができる。複数のＳＲ構成内のＳＲ構成は、ＳＲ構成インデックスによって識別され得る。ＳＲ構成は、ＳＲに対応するＳＲリソース、周期性、オフセット、論理チャネル／論理チャネルグループ／ＴＴＩ／数秘術／サービス／セルタイプを示すことができる。一例では、構成パラメータは、マルチビットＳＲのためのパラメータを含んでもよい。構成パラメータは、第１の論理チャネル／論理チャネルグループ／ＴＴＩ／数秘術／サービス／セルタイプを示す第１のマルチビットＳＲフィールド値、ならびに／または第２の論理チャネル／論理チャネルグループ／ＴＴＩ／数秘術／サービス／セルタイプを示す第２のマルチビットＳＲフィールド値、ならびに／または第１の論理チャネル／論理チャネルグループ／ＴＴＩ／数秘術／サービス／セルタイプ、および第２の論理チャネル／論理チャネルグループ／ＴＴＩ／数秘術／サービス／セルタイプを示す第３のマルチビットＳＲフィールド値、を示すことができる。一例では、構成パラメータは、１つ以上の論理チャネルのためのパラメータを含むことができる。論理チャネルのためのパラメータとしては、論理チャネルと１つ以上のＴＴＩ／数秘術、優先順位、優先ビットレート（ＰＢＲ）との間のマッピング情報、バケットサイズ持続時間（ＢＳＤ）、スケジューリング要求がトリガされ（例えば、データが論理チャネルに対して利用可能になることに起因して）、無線デバイスが、論理チャネルに対応する有効なＳＲリソースを用いて構成されない場合に、ランダムアクセスプロシージャをスキップするべきかどうかを示す第１のパラメータ、および／または論理チャネルが属する論理チャネルグループ、および／または論理チャネルがマッピングされるＴＴＩ／数秘術、および／または論理チャネルがマッピングされるセルタイプ、および／または論理チャネルがマッピングされるサービスタイプ、が挙げられる。一例では、第１のパラメータは、ｒａｃｈ−ｓｋｉｐと呼ばれる場合がある。他の名前が使用される場合がある。図１７に例解された例では、論理チャネル１（ＬＣ１）は、第１のパラメータを用いて構成され得、無線デバイスは、ＬＣ１（もしくはＬＣ１が属する論理チャネルグループ、またはＴＴＩ／数秘術、および／またはＬＣ１がマッピングされるセルタイプ、もしくはＬＣ１が対応するサービスタイプ）に対応する有効なＳＲリソースを用いないで構成され得る。無線デバイスは、ランダムアクセスプリアンブルの伝送をドロップしてもよい（例えば、ランダムアクセスプロシージャを開始しない）。図１７の第２の例は、論理チャネル１（ＬＣ１）が、第１のパラメータを用いて構成されなくてもよく、無線デバイスが、ＬＣ１（もしくはＬＣ１が属する論理チャネルグループ、またはＴＴＩ／数秘術、および／またはＬＣ１がマッピングされるセルタイプ、またはＬＣ１が対応するサービスタイプ）に対応する有効なＳＲリソースを用いないで構成され得る場合、無線デバイスは、ランダムアクセスプロシージャを開始する（例えば、ランダムアクセスプリアンブルを伝送する）ことができることを例解している。
【００９７】
従来のＳＲプロシージャでは、ＳＲプロセスが失敗すると、無線デバイスは、ランダムアクセスプロシージャを開始し、かつ／またはＲＲＣに通知して、サービングセルのためのＰＵＣＣＨを解放し、かつ／またはダウンリンク割り当てもしくはアップリンクグラントを消去し、かつ／またはランダムアクセスプロシージャを開始し、かつ／または待ち状態のＳＲをキャンセルすることができる。新しい無線（ＮＲ）では、複数の論理チャネルおよび／もしくは論理チャネルグループ、ならびに／またはＴＴＩおよび／もしくは数秘術、ならびに／またはセルタイプおよび／もしくはサービスタイプ等に対応する複数のＳＲが、無線デバイスに対してトリガされてもよい。ＳＲプロセスの失敗後のスケジューリング要求プロシージャおよび無線デバイス動作（例えば、ランダムアクセスの開始等）は、複数のトリガされたＳＲを考慮するために強化される必要がある。例示的な実施形態が、スケジューリング要求プロシージャを強化する。
【００９８】
一例では、無線デバイスは、１つ以上のセルのための構成パラメータを含む１つ以上のメッセージを受信することができる。１つ以上のメッセージは、１つ以上の無線リソース制御（ＲＲＣ）メッセージを含むことができる。一例では、構成パラメータは、複数の論理チャネルのためのパラメータを含むことができる。一例では、構成パラメータは、少なくとも１つの第１のパラメータを含むことができる。少なくとも１つのパラメータは、ｒａｃｈ−ｓｋｉｐもしくはｒａｃｈ−ｓｒ−ｆａｉｌ−ｓｋｉｐ、または他の名前で呼ばれる場合がある。一例では、少なくとも１つの第１のパラメータは、事前構成されてもよい。一例では、少なくとも１つの第１のパラメータは、（例えば、ＤＣＩおよび／もしくは共通ＤＣＩ、ならびに／またはＭＡＣ  ＣＥ等を使用して）無線デバイスに動的に示されてもよい。一例では、少なくとも１つの第１のパラメータは、ランダムアクセスプロシージャが、複数の論理チャネル内で、論理チャネルに対してスキップされたかどうかを示すことができる（例えば、ＴＴＩ／数秘術にマッピングされ、かつ／またはサービスタイプに対応し、かつ／または論理チャネルグループに属し、かつ／またはセルタイプにマッピングされ、かつ／または論理チャネル優先順位に対応する）。一例では、少なくとも１つの第１のパラメータは、ランダムアクセスプロシージャが、ＭＡＣエンティティ、および／またはＭＡＣエンティティのために構成された１つ以上の論理チャネルに対してスキップされたどうかを示すことができる。一例では、少なくとも１つのパラメータは、複数の論理チャネルのための構成パラメータの一部であってもよい。一例では、少なくとも１つのパラメータは、複数のスケジューリング要求リソース構成のための構成パラメータの一部としてもよい。
【００９９】
一例では、無線デバイスは、データが少なくとも１つの第１の論理チャネルに対して利用可能になることに起因して、第１のＳＲプロセスを開始することができる。無線デバイスは、第１のＳＲプロセスが失敗し、少なくとも１つの第１のパラメータが、ランダムアクセスをスキップすることを示さない場合、ランダムアクセスプロシージャを開始することができる。例示的な実施態様では、ランダムアクセスプロシージャを開始することは、少なくとも１つの第１の論理チャネル、および／もしくは少なくとも１つの第１の論理チャネルグループ、ならびに／または少なくとも１つの第１のセルタイプ、ならびに／または少なくとも１つの第１のＴＴＩ／数秘術、ならびに／または少なくとも１つのサービスタイプを使用する１つ以上ランダムアクセスリソースを選択することをさらに含んでもよい。一例では、第２のＳＲプロセスは、データが少なくとも１つの第２の論理チャネルに対して利用可能になることに起因して、開始することができる。一例では、第１のＳＲプロセスおよび第２のＳＲプロセスが失敗し、少なくとも１つの第１のパラメータが、ランダムアクセスをスキップすることを示さない場合、無線デバイスは、ランダムアクセスプロシージャを開始することができる。ランダムアクセスプロシージャを開始することは、少なくとも１つの第１の論理チャネルおよび少なくとも１つの第２の論理チャネル、ならびにそれらの対応する論理チャネルグループ、優先順位、ＴＴＩ／数秘術、サービスタイプ、セルタイプ等を使用する１つ以上のランダムアクセスリソースを選択することを含み得る。一例では、１つ以上のランダムアクセスリソースを選択することは、セルおよび／またはＴＴＩ／数秘術および／またはプリアンブルおよび／またはＲＡＣＨリソースを選択することを含んでもよい。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１００】
一例では、少なくとも１つの第１のパラメータおよび／または少なくとも１つの第２のパラメータは、ＳＲプロセスが失敗した場合、無線デバイスが、以下に示す、すなわち、ＲＲＣに１つ以上のサービングセルに対する１つ以上のＰＵＣＣＨを解放することを通知することと、ＲＲＣに１つ以上のサービングセルに対する１つ以上の音響基準信号（ＳＲＳ）を解放することを通知することと、１つ以上の構成された、かつ／または動的に指示されたダウンリンク割り当ておよび／またはアップリンクグラントを消去することと、ランダムアクセスプロシージャを開始すること、１つ以上の待ち状態ＳＲをキャンセルすることと、のうちの１つ以上をスキップし、かつ／または実行すべきかどうかを示すことができる。少なくとも１つの第１のパラメータおよび／または少なくとも１つの第２のパラメータは、１つ以上の論理チャネルおよび／もしくは１つ以上のＭＡＣエンティティ、ならびに／または１つ以上のＭＡＣエンティティおよび／もしくは１つ以上のスケジューリング要求リソース構成などに対して構成された１つ以上の論理チャネルに対して構成されてもよい。
【０１０１】
一例では、無線デバイスは、１つ以上のセルのための構成パラメータを含む１つ以上のメッセージを受信することができる。１つ以上のメッセージは、１つ以上の無線リソース制御（ＲＲＣ）メッセージを含むことができる。一例では、構成パラメータは、複数の論理チャネルのためのパラメータを含むことができる。一例では、無線デバイスは、データが少なくとも１つの第１の論理チャネルに対して利用可能になることに起因して、第１のＳＲプロセスを開始することができる。一例では、無線デバイスは、データが少なくとも１つの第２の論理チャネルに対して利用可能になることに起因して、第２のＳＲプロセスを開始することができる。一例では、第１のＳＲプロセスは、失敗してもよい（例えば、第１のカウンタが第１の値に到達した後）。無線デバイスは、１つ以上の第１の条件が満たされたときに、ランダムアクセスをスキップしてもよい。一例では、１つ以上の第１の条件は、少なくとも１つの第１の論理チャネルおよび少なくとも１つの第２の論理チャネルの優先順位、第１のＳＲおよび第２のＳＲに対するリソースの周期性、第２のＳＲに対する第２のカウンタ値に依存し得る。一例では、１つ以上の第１の条件は、少なくとも１つの第１の論理チャネルよりも高い優先順位を有する、少なくとも１つの第２の論理チャネルの優先順位を含んでもよい。一例では、１つ以上の第１の条件は、第１のＳＲプロセスのための構成されたリソースよりも短い周期性を有する、第２のＳＲプロセスのための構成されたリソースを含んでもよい。
【０１０２】
例示的なスケジューリング要求プロシージャが、図１８に例解されている。無線デバイスは、構成パラメータを含む１つ以上のメッセージを受信する。一例では、構成パラメータは、複数のスケジューリング要求構成のためのパラメータを含むことができる。複数のＳＲ構成内のＳＲ構成は、ＳＲ構成インデックスによって識別され得る。ＳＲ構成は、ＳＲに対応するＳＲリソース、周期性、オフセット、論理チャネル／論理チャネルグループ／ＴＴＩ／数秘術／サービス／セルタイプを示すことができる。一例では、構成パラメータは、マルチビットＳＲのためのパラメータを含んでもよい。構成パラメータは、第１の論理チャネル／論理チャネルグループ／ＴＴＩ／数秘術／サービス／セルタイプを示す第１のマルチビットＳＲフィールド値、ならびに／または第２の論理チャネル／論理チャネルグループ／ＴＴＩ／数秘術／サービス／セルタイプを示す第２のマルチビットＳＲフィールド値、ならびに／または第１の論理チャネル／論理チャネルグループ／ＴＴＩ／数秘術／サービス／セルタイプ、および第２の論理チャネル／論理チャネルグループ／ＴＴＩ／数秘術／サービス／セルタイプを示す第３のマルチビットＳＲフィールド値、を示すことができる。一例では、構成パラメータは、少なくとも１つの第１のパラメータを含むことができる。一例では、少なくとも１つの第１のパラメータは、スケジューリング要求プロセス（例えば、第１の論理チャネル／論理チャネルグループ／ＴＴＩ／数秘術／サービス／セルタイプに対応する）が失敗した場合、無線デバイスが１つ以上の動作をスキップしてよいかどうかを示すことができる。一例では、少なくとも１つの動作は、ランダムアクセスプロシージャを開始することを含んでもよい。一例では、最後の（→少なくとも？）１つの動作は、サービングセルに対するＰＵＣＣＨを解放するようにＲＲＣに通知することを含んでもよい。一例では、少なくとも１つの動作は、サービングセルに対するＳＲＳを解放するようにＲＲＣに通知することを含んでもよい。一例では、少なくとも１つの動作は、構成されたダウンリンク割り当ておよび／もしくはアップリンクグラントを消去することを含んでもよい。一例では、少なくとも１つの動作は、ランダムアクセスプロシージャを開始すること、および／または待ち状態ＳＲをキャンセルすることを含んでもよい。一例では、第１のＳＲ（例えば、ＳＲ１）が、トリガされてもよい。一例では、ＳＲ１は、データが第１の少なくとも１つの論理チャネルに対して利用可能になることに起因して、トリガされてもよい。一例では、無線デバイスは、ＳＲがトリガされた後に、ＳＲプロセスを開始してもよい。一例では、無線デバイスは、少なくとも１つの第１のパラメータを用いては、構成されない。無線デバイスは、第１のＳＲプロセスが失敗した場合（例えば、構成された時間数の間、第１のＳＲプロセスに対応するＳＲ信号を伝送し、かつグラントを受信しなかった後で）、ランダムアクセスプロシージャを開始することができる。図１８に例解された他の例では、無線デバイスは、少なくとも１つの第１のパラメータを用いて構成されている。無線デバイスは、第１のＳＲプロセスが失敗した場合には、ランダムアクセスプロシージャを開始しなくてもよい。
【０１０３】
従来のＢＳＲおよびＳＲプロシージャでは、ＳＲは、無線デバイスが、ＢＳＲを伝送するためのアップリンクグラントを有さない場合に、トリガされる。ＮＲでは、グラント容量を消費するよりも高い優先順位データが存在することに起因するアップリンクリソースを有する場合であっても、無線デバイスが、ＢＳＲを伝送しなくてもよいというシナリオがあり得る。無線デバイスは、ＳＲをトリガしてもよく、いくつかのシナリオでは、グラントを受信した後であっても、ＳＲを待ち状態（例えば、ＳＲをキャンセルしない）に保持する必要があり得る。従来のＳＲ／ＢＳＲプロシージャは、ＮＲ無線ネットワークにおけるスケジューリングパフォーマンスを改善するように強化される必要がある。
【０１０４】
例示的な実施形態では、無線デバイスは、１つ以上のセルのための構成パラメータを含む１つ以上のメッセージを受信することができる。１つ以上のメッセージは、１つ以上の無線リソース制御（ＲＲＣ）メッセージを含むことができる。一例では、構成パラメータは、複数の論理チャネルのためのパラメータを含むことができる。無線デバイスは、１つ以上の条件が、少なくとも１つの第１の論理チャネルに対して満たされた場合、バッファステータスレポート（ＢＳＲ）伝送をトリガすることができる。一例では、１つ以上の第１の条件は、データが少なくとも１つの論理チャネルに対して利用可能になることであってもよい。無線デバイスは、少なくとも１つの第１のアップリンクグラントを受信することができる。無線デバイスは、少なくとも１つのアップリンクグラントが、少なくとも１つの第１の論理チャネル内のデータを示すことを含むＢＳＲを伝送するためには使用されない場合、スケジューリング要求（ＳＲ）をトリガすることができる。一例では、少なくとも１つの第１の論理チャネルは、ｅＭＢＢサービスタイプに対応してもよく、ＢＳＲ  ＭＡＣＣＥは、例えば、ＵＲＬＬＣデータの利用可能性に起因して、少なくとも１つの第１のアップリンクグラントを使用して伝送されなくてもよい（例えば、ＵＲＬＬＣデータは、ＢＳＲ  ＭＡＣ  ＣＥよりも高い優先順位を有してもよく、少なくとも１つの第１のアップリンクグラントは、ＢＳＲ  ＭＡＣ  ＣＥおよびＵＲＬＬＣデータの両方に対応しなくてもよい）。無線デバイスは、アップリンク制御チャネルを介してＳＲ信号を伝送してもよい。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントで示される伝送パラメータを使用する１つ以上のＴＢを構築することができる。無線デバイスは、アップリンクグラントによって示される無線リソースを使用する１つ以上のＴＢを伝送することができる。
【０１０５】
例示的な実施形態では、無線デバイスは、１つ以上のセルのための構成パラメータを含む１つ以上のメッセージを受信することができる。１つ以上のメッセージは、１つ以上の無線リソース制御（ＲＲＣ）メッセージを含むことができる。一例では、構成パラメータは、複数の論理チャネルのためのパラメータを含むことができる。一例では、無線デバイスは、１つ以上の条件が満たされた場合に、第１のスケジューリング要求（ＳＲ）をトリガすることができる。一例では、１つ以上の条件は、少なくとも１つの第１の論理チャネルに対して利用可能になるデータを含むことができる。無線デバイスは、ＳＲトリガに応答して、第１のＳＲプロセスを開始することができる。無線デバイスは、少なくとも１つの第１のアップリンクグラントを受信することができる。無線デバイスは、少なくとも１つの第１のアップリンクグラントが、待ち状態データを伝送するためには使用されなくてもよい場合、第１のＳＲプロセスを待ち状態に保持することができる。一例では、待ち状態データは、空でないバッファを有する１つ以上の論理チャネルからのデータであってもよい。一例では、待ち状態データは、第１のＳＲをトリガする少なくとも１つの第１の論理チャネルからのデータであってもよい。一例では、少なくとも１つの第１のアップリンクグラントのサイズは、待ち状態データを収容するのに十分であり得るが、待ち状態データの少なくとも一部は、少なくとも１つの第１のアップリンクグラントのＴＴＩ／数秘術／セルタイプにはマッピングされなくてもよい。無線デバイスは、それ以外の場合（例えば、少なくとも１つの第１のアップリンクグラントが、待ち状態データを伝送するために使用されてもよい場合）では、第１のＳＲプロセスをキャンセルしてもよい。一例では、無線デバイスは、アップリンク制御チャネルを介して、ＳＲ信号を伝送してもよい。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１０６】
例示的な実施形態では、無線デバイスは、１つ以上のセルのための構成パラメータを含む１つ以上のメッセージを受信することができる。１つ以上のメッセージは、１つ以上の無線リソース制御（ＲＲＣ）メッセージを含むことができる。一例では、構成パラメータは、複数の論理チャネルのためのパラメータを含むことができる。一例では、無線デバイスは、１つ以上の条件が満たされた場合に、第１のスケジューリング要求（ＳＲ）をトリガすることができる。一例では、１つ以上の条件は、少なくとも１つの第１の論理チャネルに対して利用可能になるデータを含むことができる。無線デバイスは、ＳＲトリガに応答して、第１のＳＲプロセスを開始することができる。無線デバイスは、少なくとも１つの第１のアップリンクグラントを受信することができる。一例では、無線デバイスは、少なくとも１つの第１のアップリンクグラントが、第１のＳＲプロセスをトリガした１つ以上の論理チャネルに対するバッファステータスを示すＢＳＲを伝送するために使用されてもよい場合、第１のＳＲプロセスをキャンセルすることができる。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１０７】
例示的な実施形態では、無線デバイスは、１つ以上のセルのための構成パラメータを含む１つ以上のメッセージを受信することができる。１つ以上のメッセージは、１つ以上の無線リソース制御（ＲＲＣ）メッセージを含むことができる。一例では、構成パラメータは、複数の論理チャネルのためのパラメータを含むことができる。一例では、無線デバイスは、１つ以上の第１の条件が満たされた場合、第１のスケジューリング要求（ＳＲ）をトリガすることができる。一例では、１つ以上の第１の条件は、少なくとも１つの第１の論理チャネルに対して利用可能になるデータを含むことができる。一例では、無線デバイスは、１つ以上の第２の条件が満たされた場合、第２のスケジューリング要求（ＳＲ）をトリガすることができる。一例では、１つ以上の第２の条件は、少なくとも１つの第２の論理チャネルに対して利用可能になるデータを含むことができる。無線デバイスは、第１のＳＲトリガに応答して、第１のＳＲプロセスを開始してもよい。無線デバイスは、第２のＳＲトリガに応答して、第２のＳＲプロセスを開始してもよい。無線デバイスは、少なくとも１つの第１のアップリンクグラントを受信することができる。一例では、無線デバイスは、少なくとも１つの第１アップリンクグラントを使用して少なくとも１つの第１の論理チャネルに対するバッファステータスを示し、かつ少なくとも１つの第２の論理チャネルに対するバッファステータスを示さないＢＳＲを伝送するために採用する場合、第１のＳＲプロセスをキャンセルし、第２のＳＲを待ち状態に保持することができる。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１０８】
例示的なスケジューリング要求プロシージャが、図１９に例解されている。無線デバイスは、構成パラメータを含む１つ以上のメッセージを受信することができる。一例では、構成パラメータは、１つ以上のスケジューリング要求構成のためのパラメータを含むことができる。一例では、構成パラメータは、バッファステータスレポートのためのパラメータを含むことができる。一例では、構成パラメータは、１つ以上の論理チャネルのためのパラメータを含むことができる。一例では、バッファステータスは、データが少なくとも１つの第１の論理チャネルに対して利用可能になることに起因して、トリガされ得る。一例では、無線デバイスは、構成されたアップリンクグラントを有し得る。一例では、構成されたアップリンクグラントは、バッファステータスレポートを伝送するためには、使用可能でない場合がある。例えば、ＢＳＲは、データがｅＭＢＢサービスタイプに対応する１つ以上の論理チャネルに対して利用可能になることに起因して、トリガされる場合がある。アップリンクグラントは、ＵＲＬＬＣトラフィックの伝送に有用であり得、無線デバイスは、待ち状態のＵＲＬＬＣトラフィックを有する場合がある。アップリンクグラントのサイズは、ＵＲＬＬＣおよびＢＳＲを伝送するのに十分でない場合がある。一例では、ＵＲＬＣＣトラフィックは、ＢＳＲよりも高い優先順位を有する場合がある。データ多重化プロシージャ（例えば、論理チャネル優先順位付けプロシージャ）は、ＢＳＲ  ＭＡＣ  ＣＥが、アップリンクグラントに対して作り出されたＭＡＣ  ＰＤＵの中に含まれることを可能にすることはできない。無線デバイスは、スケジューリング要求をトリガすることができる。無線デバイスが、有効なＳＲリソースを構成している場合、無線デバイスは、ＳＲをトリガした後に、ＳＲプロセスを開始することができる。
【０１０９】
例示的なスケジューリング要求プロシージャが、図２０に例解されている。無線デバイスは、構成パラメータを含む１つ以上のメッセージを受信することができる。一例では、構成パラメータは、１つ以上のスケジューリング要求構成のためのパラメータを含むことができる。一例では、構成パラメータは、１つ以上の論理チャネルのためのパラメータを含むことができる。一例では、無線デバイスは、例えば、データが少なくとも１つの第１の論理チャネルに対して利用可能になり、ＢＳＲを伝送するためのアップリンクリソース（例えば、ＰＵＳＣＨ）の不足に起因して、スケジューリング要求をトリガすることができる。無線デバイスは、ＳＲをトリガした後に、ＳＲプロセスを開始することができる。無線デバイスは、その後、アップリンクグラントを受信することができる。一例では、アップリンクグラントは、例えば、データ（例えば、待ち状態のデータ、および／または少なくとも第１の論理チャネルに対応するデータ）を伝送するためには、使用可能／有用でない場合がある。一例では、無線デバイスは、ＳＲプロセスを待ち状態に保持し得、かつ／または、例えば、待ち状態のＳＲに対応する、次に利用可能なＳＲリソースでＳＲ信号を伝送し得る。図２０に例解されている別の例では、無線デバイスは、ＳＲプロセスを開始した後に、有用なアップリンクグラントを受信することができる。一例では、アップリンクグラントは、バッファステータスレポートを伝送するために有用であり得る。一例では、アップリンクグラントは、待ち状態のデータを伝送するために有用であり得る。一例では、アップリンクグラントは、少なくとも１つの第１の論理チャネルに対応するデータを伝送するために有用であり得る。無線デバイスは、待ち状態のＳＲをキャンセルすることができる。図２０に例解されている別の例では、無線デバイスは、例えば、データが少なくとも１つの第１の論理チャネルに対して利用可能になった後に、第１のＳＲをトリがすることができる。無線デバイスは、第１のＳＲプロセスを開始することができる。無線デバイスは、第１のＳＲに関連付けられたリソースでＳＲ信号を伝送することができる。無線デバイスは、データが少なくとも第２の論理チャネルに対して利用可能になった後に、第２のＳＲをトリがすることができる。無線デバイスは、第２のＳＲプロセスを開始することができる。無線デバイスは、第２のＳＲに関連付けられたリソースでＳＲ信号を伝送することができる。一例では、無線デバイスは、少なくとも１つの第１の論理チャネルのバッファステータスを含み、かつ少なくとも１つの第２の論理チャネルのバッファステータスを含まないバッファステータスレポートを伝送することができる。一例では、無線デバイスは、第１のＳＲをキャンセルし、第２のＳＲを待ち状態に保持することができる。
【０１１０】
同じ基地局からリソースを要求するための複数のＳＲプロセスが待ち状態である場合、既存のＳＲメカニズムの実施態様は、基地局による非効率なリソース割り当てをもたらし得る。この課題は、複数のＳＲプロセスが、複数の基地局に関連付けられた複数のＭＡＣエンティティのためである場合には、適用できなくてもよい。既存のＳＲメカニズムの実施態様は、非効率なアップリンクスケジューリング、非効率なアップリンクリソース利用、およびネットワークパフォーマンスの低下をもたらす。基地局の複数のＳＲリソースが、無線デバイスのために構成され、ＳＲリソースが、１つ以上の伝送間隔にマッピングされる１つ以上の論理チャネルに対応する場合、ＳＲメカニズムを改善する必要がある。論理チャネルが、アップリンクデータチャネルの１つ以上の伝送時間間隔にマッピングされた場合、例示的な実施形態は、追加的な柔軟性を提供して、アップリンクリソース効率を改善することができる。例示的な実施形態は、複数のＳＲプロセスが、並行して進行している場合、従来のＳＲメカニズムを強化する。例示的な実施形態は、複数のＳＲプロセスが、同じ基地局にＳＲ要求を伝送するために待ち状態になっているときに、強化されたＳＲメカニズムを提供する。例示的な実施形態では、無線デバイスは、複数のＳＲ構成を用いて構成され得、各ＳＲ構成は、基地局へ伝送するために、１つ以上の伝送間隔（例えば、アップリンクデータチャネルの１つ以上の伝送時間間隔に関連付けられた）にマッピングされた１つ以上の論理チャネルに対応することができる。例示的な実施形態は、従来のスケジューリング要求プロセスを強化し、アップリンク無線リソース効率を改善する。従来のＳＲプロシージャでは、ＳＲプロセスは、利用可能なデータを用いて論理チャネルからアップリンクデータを伝送するのに極めて十分であるサイズを有するアップリンクグラントを受信することに応答して、キャンセルされ得る。例示的な実施形態では、アップリンクグラントは、論理チャネルのサブセットからデータを伝送するために使用可能であってもよい。既存のＳＲキャンセルプロセスは、アップリンクスケジューリングの非効率、アップリンクリソースの非効率な利用、およびネットワークパフォーマンスの低下をもたらす。アップリンクグラントが、論理チャネルのサブセットにマッピング可能である場合に、従来のスケジューリング要求キャンセルプロセスを強化し、スケジューリング要求プロセスを改善する必要がある。例示的な実施形態は、従来のスケジューリング要求キャンセルプロセスを強化する。
【０１１１】
例示的な実施形態が、図２６に示されている。無線デバイスは、構成パラメータを含む１つ以上のメッセージを受信することができる。一例では、１つ以上のメッセージは、第１のＳＲ構成パラメータを含むことができる。第１のＳＲ構成パラメータは、第１のタイマに対する第１のタイマ値を示すことができる。一例では、第１のＳＲ構成パラメータは、第１のカウンタに対する第１のカウンタ値をさらに含むことができる。一例では、第１のＳＲ構成パラメータは、第１のＳＲ構成パラメータに対応する第１のＳＲに対する第１のＳＲ構成インデックスを含むことができる。一例では、１つ以上のメッセージは、第２のＳＲ構成パラメータを含むことができる。第２のＳＲ構成パラメータは、第２のタイマに対する第２のタイマ値を示すことができる。一例では、第２のＳＲ構成パラメータは、第２のカウンタに対する第２のカウンタ値をさらに含むことができる。一例では、第２のＳＲ構成パラメータは、第２のＳＲ構成パラメータに対応する第２のＳＲに対する第２のＳＲ構成インデックスを含むことができる。一例では、１つ以上のメッセージは、１つ以上の論理チャネルのための論理チャネル構成パラメータを含むことができる。１つ以上の論理チャネルは、１つ以上の伝送持続時間に対応することができる。一例では、１つ以上の伝送持続時間内の伝送持続時間は、ＴＴＩを示す／対応することができる。一例では、１つ以上の伝送持続時間内の伝送持続時間は、パケット／トランスポートブロック伝送持続時間を示す／対応することができる。一例では、１つ以上の伝送持続時間内の伝送持続時間は、ＰＵＳＣＨ持続時間を示す／対応することができる。一例では、論理チャネルのための構成パラメータは、論理チャネルが伝送持続時間をある値にもたらすトランスポートブロックを介して、伝送され得ることを示すことができる。一例では、論理チャネルのための構成パラメータは、論理チャネルに対応するＳＲ構成インデックスを含むことができる。
【０１１２】
一例では、１つ以上のメッセージは、少なくとも１つの第１の論理チャネルが第１のＳＲ構成に対応することを示すことができる。一例では、少なくとも１つの第１の論理チャネル内の論理チャネルのための構成パラメータは、第１のＳＲ構成インデックスを含む／示すことができる。一例では、１つ以上のメッセージは、少なくとも１つの第２の論理チャネルが第２のＳＲ構成に対応することを示すことができる。一例では、少なくとも１つの第２の論理チャネル内の論理チャネルのための構成パラメータは、第２のＳＲ構成インデックスを含む／示すことができる。一例では、無線デバイスは、データが少なくとも１つの第１の論理チャネル内の第１の論理チャネルに対して利用可能になることに応答して、第１のＳＲをトリガすることができる。一例では、無線デバイスは、データが少なくとも１つの第２の論理チャネル内の第２の論理チャネルに対して利用可能になることに応答して、第２のＳＲをトリガすることができる。
【０１１３】
一例では、無線デバイスは、１つ以上のダウンリンク制御情報を受信することができる。１つ以上のダウンリンク制御情報は、１つ以上のアップリンクグラントを示すことができる。１つ以上のアップリンクグラントは、１つ以上の伝送持続時間に関連付けられ得る。一例では、１つ以上の論理チャネルが、伝送のための利用可能なデータを有する１つ以上の第１の論理チャネルを含むことと、１つ以上のアップリンクグラントの第１のサイズが、利用可能なデータを有する１つ以上の第１の論理チャネルの第２のサイズよりも大きいことと、に応答して、無線デバイスは、第１のＳＲ構成に対応する第１のＳＲ、および第２のＳＲ構成に対応する第２のＳＲをキャンセルすることができ、無線デバイスは、第１のタイマおよび第２のタイマを停止することができる。無線デバイスは、ＳＲをキャンセルすることに応答して、ＳＲに関連付けられた１つ以上のタイマを停止することができる。
【０１１４】
新しい無線（ＮＲ）では、複数の論理チャネルおよび／もしくは論理チャネルグループ、ならびに／またはＴＴＩおよび／もしくは数秘術、ならびに／またはセルタイプおよび／もしくはサービスタイプ等に対応する複数のＳＲが、無線デバイスに対してトリガされてもよい。従来のＳＲトリガは、複数のＳＲの間で区別しない。これにより、ＮＲスケジューリングパフォーマンスに非効率をもたらす。ＢＳＲトリガ後の、従来のＳＲトリガプロセスは、複数のＳＲを考慮するために、強化される必要がある。
【０１１５】
例示的な実施形態では、無線デバイスは、１つ以上のセルのための構成パラメータを含む１つ以上のメッセージを受信することができ、その構成パラメータは、１つ以上の論理チャネルのためのパラメータを含む。無線デバイスは、データが１つ以上の第１の論理チャネルに対して利用可能になるとき、第１のバッファステータスレポート（ＢＳＲ）をトリガすることができる。無線デバイスは、１つ以上の第１の条件が満たされる場合、１つ以上の第１のスケジューリング要求プロセスをトリガすることができ、１つ以上の第１のＳＲプロセスは、１つ以上の第２の論理チャネルに対応する。一例では、１つ以上の第１の条件は、第１のＢＳＲの伝送のためのアップリンクリソース（例えば、ＰＵＳＣＨリソース）の不足を含む場合がある。一例では、１つ以上の第２の論理チャネルは、１つ以上の第１の論理チャネルであってもよい。無線デバイスは、１つ以上のアップリンク制御チャネルを介して、１つ以上のＳＲ信号を伝送することができる。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１１６】
例示的な実施形態では、無線デバイスは、１つ以上のセルのための構成パラメータを含む１つ以上のメッセージを受信することができ、その構成パラメータは、１つ以上の論理チャネルのためのパラメータを含む。無線デバイスは、データが１つ以上の第１の論理チャネルに対して利用可能になるとき、第１のバッファステータスレポート（ＢＳＲ）をトリガすることができる。無線デバイスは、１つ以上の第１の条件が満たされる場合、１つ以上の第１のスケジューリング要求プロセスをトリガすることができ、１つ以上の第１のＳＲプロセスは、１つ以上の第２の論理チャネルに対応する。一例では、１つ以上の第１の条件は、第１のＢＳＲの伝送のためのアップリンクリソース（例えば、ＰＵＳＣＨリソース）の不足を含む場合がある。一例では、１つ以上の第２の論理チャネルは、第１のＢＳＲ内の空でないバッファステータスを有する論理チャネルであってもよい。一例では、無線デバイスは、１つ以上の第２の論理チャネルに対応する複数のＳＲプロセスを開始することができる。一例では、複数のＳＲプロセスは、マルチビットＳＲを使用することができ、ＳＲフィールド値は、複数の論理チャネルおよび／または論理チャネルグループおよび／またはＴＴＩ／数秘術および／またはサービスタイプおよび／またはセルタイプを示すことができる。無線デバイスは、１つ以上のアップリンク制御チャネルを介して、１つ以上のＳＲ信号を伝送することができる。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１１７】
例示的なスケジューリング要求トリガプロシージャが、図２１に例解されている。無線デバイスは、構成パラメータを含む１つ以上のメッセージを受信することができる。一例では、構成パラメータは、１つ以上のスケジューリング要求構成のためのパラメータを含むことができる。一例では、スケジューリング要求構成は、１つ以上の論理チャネル／論理チャネルグループ／ＴＴＩ／数秘術／サービスタイプ／セルタイプに対応することができる。一例では、スケジューリング要求構成は、構成インデックスに関連付けられてもよい。一例では、無線デバイスは、マルチビットＳＲを用いて構成されてもよい。マルチビットＳＲの値は、１つ以上の論理チャネル／論理チャネルグループ／ＴＴＩ／数秘術／サービスタイプ／セルタイプを示すことができる。一例では、構成パラメータは、１つ以上の論理チャネルのためのパラメータを含むことができる。一例では、１つ以上のメッセージは、バッファステータスレポート構成パラメータを含むことができる。一例では、無線デバイスは、データが少なくとも１つの第１の論理チャネルに対して利用可能になることに起因して、バッファステータスレポートをトリガすることができる。一例では、無線デバイスは、例えば、ＢＳＲの伝送のためのアップリンクリソースの不足に起因して、１つ以上のスケジューリング要求をトリガすることができる。一例では、無線デバイスは、少なくとも１つの第１の論理チャネルに対応する１つ以上のＳＲ、および／または少なくとも１つの第１の論理チャネルのうちの論理チャネルグループ／ＴＴＩ／数秘術／サービスタイプ／セルタイプをトリガすることができる。一例では、無線デバイスは、ＢＳＲ内に空ではないバッファステータスを有する論理チャネル（複数可）、および／または空ではないバッファステータスを有する論理チャネル（複数可）の論理チャネルグループ（複数可）／ＴＴＩ（複数可）／数秘術（複数可）／サービスタイプ（複数可）／セルタイプ（複数可）に対応する１つ以上のＳＲをトリガすることができる。
【０１１８】
同じ基地局からリソースを要求するための複数のＳＲプロセスが待ち状態である場合、既存のＳＲメカニズムの実施態様は、基地局による非効率なリソース割り当てをもたらし得る。この課題は、複数のＳＲプロセスが、複数の基地局に関連付けられた複数のＭＡＣエンティティのためである場合には、適用できなくてもよい。既存のＳＲメカニズムの実施態様は、非効率なアップリンクスケジューリング、非効率なアップリンクリソース利用、およびネットワークパフォーマンスの低下をもたらす。基地局の複数のＳＲリソースが、無線デバイスのために構成され、ＳＲリソースが、１つ以上の伝送間隔にマッピングされる１つ以上の論理チャネルに対応する場合、ＳＲメカニズムを改善する必要がある。論理チャネルが、アップリンクデータチャネルの１つ以上の伝送時間間隔にマッピングされた場合、例示的な実施形態は、追加的な柔軟性を提供して、アップリンクリソース効率を改善することができる。例示的な実施形態は、複数のＳＲプロセスが、並行して進行している場合、従来のＳＲメカニズムを強化する。例示的な実施形態は、複数のＳＲプロセスが、同じ基地局にＳＲ要求を伝送するために待ち状態になっているときに、強化されたＳＲメカニズムを提供する。例示的な実施形態では、無線デバイスは、複数のＳＲ構成を用いて構成され得、各ＳＲ構成は、基地局へ伝送するために、１つ以上の伝送間隔（例えば、アップリンクデータチャネルの１つ以上の伝送時間間隔に関連付けられた）にマッピングされた１つ以上の論理チャネルに対応することができる。例示的な実施形態は、従来のスケジューリング要求プロセスを強化し、アップリンク無線リソース効率を改善する。従来のスケジューリングプロシージャでは、スケジューリング要求は、無線デバイスによるアップリンクリソースの必要性を示す。従来のＳＲは、最小限の情報を包含し、どちらの論理チャネルが、伝送に対して利用可能なデータを有しているかを示していない。例示的な実施形態では、複数のアップリンクリソースは、異なる周波数（例えば、低周波数、ミリ波周波数等）で動作し得、異なる数秘術／ＴＴＩを有し得、異なるサービス、サービス品質要件（例えば、遅延、ジッター、スループット等）に好適であり得る無線デバイスのために構成され得る。従来のＳＲプロシージャは、結果として貧弱なリソース利用、および無線ネットワークのパフォーマンスの低下をもたらす非効率なスケジューリングにつながる。異なるＳＲが異なる論理チャネルのために構成される場合、システムパフォーマンスを改善するために、従来のＳＲトリガメカニズムを強化する必要がある。例示的な実施形態が、従来のＳＲトリガプロセスを強化する。
【０１１９】
一例では、実施形態が、図２５に示されている。無線デバイスは、基地局から、複数の論理チャネルのための構成パラメータを受信することができる。一例では、論理チャネルは、ベアラ／サービス品質要件に関連付けられてもよい。無線デバイスは、基地局から、複数のスケジューリング要求（ＳＲ）構成の構成パラメータを受信することができる。複数のＳＲ構成内のＳＲ構成は、複数のＳＲリソースを示すことができる。ＳＲ構成は、１つ以上のタイマ（例えば、１つ以上のタイマ値）および１つ以上のカウンタ（例えば、１つ以上のカウンタ値）のための構成パラメータをさらに含むことができる。一例では、ＳＲ構成は、ＳＲ構成インデックスに関連付けられてもよい。一例では、複数の論理チャネル内の論理チャネルのための構成パラメータは、論理チャネルに関連付けられたＳＲ構成インデックスを含むことができる。一例では、論理チャネルのための構成パラメータは、１つ以上の第１のセルが、論理チャネルに対して許可されたサービングセルであることを示すことができる（例えば、論理チャネルは、１つ以上の第１のセル上のトランスポートブロックを介して伝送され得る）。一例では、論理チャネルのための構成パラメータは、論理チャネルが、ある値（例えば、最大値）に至るまでの伝送持続時間につながる（例えば、マッピングされた）トランスポートブロックを介して、伝送され得ることを示すことができる。一例では、伝送持続時間は、伝送時間間隔（ＴＴＩ）を示すことができる。一例では、伝送持続時間は、パケット／トランスポートブロック伝送持続時間を示すことができる。一例では、伝送持続時間は、物理アップリンク共有チャネル（ＰＵＳＣＨ）持続時間を示すことができる。一例では、複数の論理チャネルは、第１の論理チャネルおよび第２の論理チャネルを含むことができる。構成パラメータは、第１の論理チャネルに対応する基地局の第１のＳＲリソースを示すことができる。第１の論理チャネルは、第１の値に至るまでの１つ以上の第１の伝送持続時間に対応することができる。一例では、無線デバイスは、第１の値に至るまでの伝送持続時間につながるトランスポートブロックを介して、第１の論理チャネルを伝送することができる。構成パラメータは、第２の論理チャネルに対応する基地局の第２のＳＲリソースを示すことができる。第２の論理チャネルは、第２の値に至るまでの１つ以上の第２の伝送持続時間に対応することができる。一例では、無線デバイスは、第２の値に至るまでの伝送持続時間につながるトランスポートブロックを介して、第２の論理チャネルを伝送することができる。
【０１２０】
一例では、アップリンクデータは、第１の論理チャネまたは第２の論理チャネルのうちの一方に対して利用可能になり得る。無線デバイスは、アップリンクデータが第１の論理チャネまたは第２の論理チャネルのうちの一方に対して利用可能になることに応答して、ＢＳＲをトリガすることができる。一例では、無線デバイスは、ＢＳＲの伝送のためのアップリンクリソース（例えば、ＰＵＳＣＨリソース）を有さない場合がある。無線デバイスは、アップリンクリソースが、ＢＳＲを伝送するためには利用可能ではないことに応答して、ＳＲをトリガすることができる。無線デバイスは、ＢＳＲをトリガした論理チャネルに対応するＳＲリソースを介して、ＳＲであってもよい。ＢＳＲをトリガした論理チャネルは、第１の論理チャネルまたは第２の論理チャネルのうちの一方であってもよい。ＳＲリソースは、第１の論理チャネルに対応する第１のＳＲリソース、または第２の論理チャネルに対応する第２のＳＲリソースのうちの一方であってもよい。ＳＲを伝送することに応答して、無線デバイスは、１つ以上のトランスポートブロックを伝送するためのアップリンクグラントを受信することができる。アップリンクグラントは、１つ以上のトランスポートブロックを伝送するための伝送パラメータ（例えば、リソース割り当てパラメータ、ＨＡＲＱ関連パラメータ、電力制御パラメータ、ＭＩＭＯ／ビームフォーミングパラメータ等）を含むことができる。一例では、１つ以上のトランスポートブロックは、ＢＳＲを含むことができる。１つ以上のトランスポートブロックは、第１の論理チャネルまたは第２の論理チャネルのうちの一方を含む論理チャネルからのデータを含むことができる。１つ以上のトランスポートブロックは、第１の論理チャネルまたは第２の論理チャネルのうちの一方（例えば、ＢＳＲをトリガした論理チャネル）に対応する伝送持続時間内に伝送されてもよい。
【０１２１】
例示的な実施形態では、無線デバイスは、１つ以上のセルのための構成パラメータを含む１つ以上のメッセージを受信することができる。一例では、構成パラメータは、複数の論理チャネルのためのパラメータを含むことができる。一例では、論理チャネルのためのパラメータは、優先順位を含むことができる。一例では、構成パラメータは、第１のスケジューリング要求（ＳＲ）アップリンク無線リソースおよび第２のスケジューリング要求（ＳＲ）アップリンク無線リソースのためのパラメータを含むことができる。一例では、第１のＳＲおよび第２のＳＲは、異なる構成インデックスで構成されてもよい。一例では、第１のＳＲアップリンクリソースおよび第２のＳＲアップリンクリソースは、第１の時間間隔（例えば、第１の伝送時間間隔（ＴＴＩ））でリソースを重複することを含むことができる。無線デバイスは、データが１つ以上の第１の論理チャネルに対して利用可能になった後に、第１のＳＲアップリンクリソース上で第１のＳＲプロセスを開始することができる。無線デバイスは、データが１つ以上の第２の論理チャネルに対して利用可能になった後に、第２のＳＲアップリンクリソース上で第２のＳＲプロセスを開始することができる。１つ以上の第１の論理チャネルは、１つ以上の第２の論理チャネルよりも高い優先順位を有することができる。無線デバイスは、第１の時間間隔（例えば、ＴＴＩ）で第１のＳＲプロセスに対応する第１のＳＲ信号を伝送することができる。一例では、無線デバイスは、第１の時間間隔（例えば、ＴＴＩ）内の第２のＳＲプロセスに対応する第２のＳＲ信号をドロップすることができる。一例では、無線デバイスは、第１の時間間隔（例えば、ＴＴＩ）内の第１のＳＲ信号および／または第２のＳＲ信号を伝送しなくてもよい。一例では、無線デバイスは、第１の時間間隔（例えば、ＴＴＩ）で、第１のＳＲプロセスに対応する第１のＳＲ信号、および第２のＳＲプロセスに対応する第２のＳＲ信号のうちの一方をランダムに（および／またはＵＥ実施態様に基づいて）ドロップすることができる。一例では、無線デバイスは、第１の時間間隔（例えば、ＴＴＩ）で、第１のＳＲプロセスに対応する第１のＳＲ信号、および第２のＳＲプロセスに対応する第２のＳＲ信号の両方を伝送することができる。一例では、無線デバイスは、第１の時間間隔（例えば、ＴＴＩ）で、第１のＳＲプロセスに対応する第１のＳＲ信号、および第２のＳＲプロセスに対応する第２のＳＲ信号の両方を伝送し、異なるコード（例えば、ＣＤＭＡコード）を使用することができる。基地局は、第１のＳＲ信号および第２のＳＲ信号を区別することができる場合がある。図２２の例示的な説明図が、少なくとも１つの第１の論理チャネルに関連付けられた第１のＳＲプロセスと、少なくとも１つの第２の論理チャネルに関連付けられた第２のＳＲプロセスと、少なくとも１つの第１の論理チャネルの優先順位（Ｐ１）と比較して、より低い優先順位（Ｐ２）を有する少なくとも１つの第２の論理チャネルと、を示す。図２２の例は、無線デバイスが、重複するリソース内の第２のＳＲに関連付けられたＳＲ信号をドロップすることを示している。一例では、１つ以上の第１の論理チャネルおよび１つ以上の第２の論理チャネルの他のパラメータは、重複するＳＲリソース内で、どのＳＲ信号をドロップすべきか、およびどのＳＲ信号を伝送すべきかを決定するときに考慮され得る。一例では、基地局は、例えば、ＳＲ信号が、異なるビット、時間（例えば、同じＴＴＩであるが、異なる時間）、リソース要素、リソースブロック、コード等を使用して伝送される場合、サブフレーム内のＳＲリソースを区別することができる。一例では、基地局は、同じリソースで伝送されるＳＲ信号を区別しない場合がある。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１２２】
例示的な実施形態では、無線デバイスは、１つ以上のセルのための構成パラメータを含む１つ以上のメッセージを受信することができる。一例では、構成パラメータは、複数の論理チャネルのためのパラメータを含むことができる。一例では、論理チャネルのためのパラメータは、優先順位を含むことができる。一例では、構成パラメータは、第１のスケジューリング要求（ＳＲ）アップリンク無線リソースおよび第２のスケジューリング要求（ＳＲ）アップリンク無線リソースのためのパラメータを含むことができる。一例では、第１のＳＲおよび第２のＳＲは、異なる構成インデックスで構成されてもよい。一例では、第１のＳＲプロセスおよび第２のＳＲプロセスは、第１の時間間隔（例えば、第１の伝送時間間隔（ＴＴＩ））において重複しないリソースを有することができる。一例では、第１のＳＲプロセスおよび第２のＳＲプロセスは、同じセルのためであってもよい。一例では、第１のＳＲプロセスおよび第２のＳＲプロセスは、異なるセルのためであってもよい。一例では、無線デバイスは、データが１つ以上の第１の論理チャネルに対して利用可能になった後に、第１のＳＲプロセスを開始することができる。一例では、無線デバイスは、データが１つ以上の第２の論理チャネルに対して利用可能になった後に、第２のＳＲプロセスを開始することができ、１つ以上の第１の論理チャネルは、１つ以上の第２の論理チャネルよりも高い優先順位を有する。無線デバイスは、第１の時間間隔（例えば、第１のＴＴＩ）で、第１のＳＲプロセスに対応する第１のＳＲ信号を伝送することができる。一例では、無線デバイスは、無線デバイスが電力制限されている場合、第１の時間間隔（例えば、第１のＴＴＩ）で、第２のＳＲプロセスに対応する第２の信号の電力をドロップおよび／またはスケーリングすることができる。一例では、無線デバイスは、無線デバイスが電力制限されている場合、第１の時間間隔（例えば、ＴＴＩ）で、第１のＳＲプロセスに対応する第１の信号、および第２のＳＲプロセスに対応する第２の信号の両方をスケーリングすることができる。一例では、第１のＳＲ信号および第２のＳＲ信号に対する倍率は、１つ以上の第１の論理チャネルおよび１つ以上の第２の論理チャネルの優先順位に依存し得る。一例では、無線デバイスが、第１の時間間隔（例えば、ＴＴＩ）で電力制限されている場合、無線デバイスは、第１の信号および第２の信号の両方をドロップすることができる。図２３の例示的な説明図は、少なくとも１つの第１の論理チャネルに関連付けられた第１のＳＲプロセスと、少なくとも１つの第２の論理チャネルに関連付けられた第２のＳＲプロセスと、少なくとも１つの第１の論理チャネルの優先順位（Ｐ１）と比較して、より低い優先順位（Ｐ２）を有する少なくとも１つの第２の論理チャネルと、を示している。図２３の例は、無線デバイスが、非重複リソース内の第２のＳＲに関連付けられたＳＲ信号をドロップすることを示している。この例では、無線デバイスは、重複しないリソースを含む時間間隔（例えば、ＴＴＩ）で電力制限されている。一例では、１つ以上の第１の論理チャネルおよび１つ以上の第２の論理チャネルの他のパラメータは、重複するＳＲリソース内で、どのＳＲ信号をドロップすべきか、およびどのＳＲ信号を伝送すべきかを決定するときに考慮され得る。一例では、１つ以上の第１の論理チャネルおよび１つ以上の第２の論理チャネルの他のパラメータは、第１のＳＲ信号および／または第２のＳＲ信号の電力をドロップおよび／またはスケーリングすべきかどうかを決定するときに、考慮され得る。一例では、無線デバイスは、無線デバイスが第２の信号をドロップする場合、第２のＳＲプロセスに対応するカウンタをインクリメントしなくてもよい。一例では、無線デバイスは、無線デバイスが第２の信号をドロップする場合、第２のＳＲプロセスに対応するカウンタをインクリメントしてもよい。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１２３】
一例では、無線デバイスは、１つ以上のパラメータを使用して、時間間隔（例えば、ＴＴＩ）の間に伝送される１つ以上のチャネル／信号の電力を計算することができる。１つ以上のパラメータは、経路損失測定値、割り当てられたリソース（例えば、リソースブロックの数）、グラント内の電力制御関連パラメータ（例えば、閉じた電力制御コマンド等）を含み得る。例示的な電力制御は、以下のようであり得る。
ＰＰＵＣＣＨ（ｉ）＝ｍｉｎ｛ＰＣＭＡＸ，ｃ（ｉ），Ｐ０＿ＰＵＣＣＨ＋ＰＬｃ＋ｇ（ｉ）｝［ｄＢｍ］
ここで、ＰＰＵＣＣＨ（ｉ）は、物理アップリンク制御チャネルの電力、ＰＣＭＡＸ，ｃ（ｉ）は、サービングセルｃに対するサブフレームｉ内で構成されたＵＥ伝送電力、Ｐ０＿ＰＵＣＣＨは、上位レイヤにより示されるパラメータ、ＰＬｃは、パス損失推定値であり得、グラントにより示される閉ループ電力制御コマンドであり得る。他の例示的な電力制御計算が、使用されてもよい。一例では、時間間隔（例えば、ＴＴＩ）に対して計算された総電力は、最大伝送電力よりも大きくなり得る。最大伝送電力は、セル／ＴＴＩ／数秘術毎、および／またはＵＥ毎であってもよい。一例では、無線デバイスが電力制限されている場合、無線デバイスは、電力をスケーリングし、かつ／または１つ以上のチャネル／信号をドロップすることができる。
【０１２４】
一例では、基地局は、複数のスケジューリング要求構成のための複数のタイマおよび／またはカウンタを構成することができる。一例では、基地局は、同じＳＲ構成に対する他の待ち状態ＳＲ（例えば、１つ以上の論理チャネルおよび／もしくは論理チャネルグループ、ならびに／またはＴＴＩ／数秘術、ならびに／またはセルタイプおよび／もしくはサービスタイプに対応する）が存在しない場合に、第１のスケジューリング要求構成に対応する第１のカウンタ（例えば、ＳＲ＿ＣＯＵＮＴＥＲ）をゼロに設定することができる。一例では、ＳＲプロセスに対応するカウンタは、ＳＲプロセスに対応するＳＲ信号が伝送されたとき、インクリメントされ得る。一例では、ＳＲプロセスは、共通のカウンタを共有しない場合がある。一例では、ＳＲプロセスに対するＳＲカウンタは、ＳＲに対応する待ち状態データを伝送するための時間間隔（例えば、ＴＴＩ）の間に有用なアップリンクリソース（例えば、ＰＵＳＣＨ）が存在しない場合、ＳＲプロセスに対応するＳＲ信号が伝送される時間間隔（例えば、ＴＴＩ）でインクリメントされ得る。
【０１２５】
同じ基地局からリソースを要求するための複数のＳＲプロセスが待ち状態である場合、既存のＳＲメカニズムの実施態様は、基地局による非効率なリソース割り当てをもたらし得る。この課題は、複数のＳＲプロセスが、複数の基地局に関連付けられた複数のＭＡＣエンティティのためである場合には、適用できなくてもよい。既存のＳＲメカニズムの実施態様は、非効率なアップリンクスケジューリング、非効率なアップリンクリソース利用、およびネットワークパフォーマンスの低下をもたらす。基地局の複数のＳＲリソースが、無線デバイスのために構成され、ＳＲリソースが、１つ以上の伝送間隔にマッピングされる１つ以上の論理チャネルに対応する場合、ＳＲメカニズムを改善する必要がある。論理チャネルが、アップリンクデータチャネルの１つ以上の伝送時間間隔にマッピングされた場合、例示的な実施形態は、追加的な柔軟性を提供して、アップリンクリソース効率を改善することができる。例示的な実施形態は、複数のＳＲプロセスが、並行して進行している場合、従来のＳＲメカニズムを強化する。例示的な実施形態は、複数のＳＲプロセスが、同じ基地局にＳＲ要求を伝送するために待ち状態になっているときに、強化されたＳＲメカニズムを提供する。例示的な実施形態では、無線デバイスは、複数のＳＲ構成を用いて構成され得、各ＳＲ構成は、基地局へ伝送するために、１つ以上の伝送間隔（例えば、アップリンクデータチャネルの１つ以上の伝送時間間隔に関連付けられた）にマッピングされた１つ以上の論理チャネルに対応することができる。例示的な実施形態は、従来のスケジューリング要求プロセスを強化し、アップリンク無線リソース効率を改善する。従来のＳＲプロシージャでは、ＭＡＣエンティティには、１つの進行するＳＲプロセスが存在する。ＳＲ信号の第１の数が伝送される（例えば、第１のカウンタが第１の値に到達する）こと、および無線デバイスがアップリンクグラントを受信しないことに応答して、無線デバイスは、ランダムアクセスプロセスを開始することができる。例示的な実施形態では、無線デバイスは、複数のＳＲ構成を用いて構成され得、各ＳＲ構成は、１つ以上の論理チャネルに対応することができる。複数のＳＲプロセスの各プロセスは、関連付けられたカウンタを有し、その複数のＳＲプロセスは、並行して進行することができる。従来のＳＲプロセスは、複数のＳＲプロセスが並行して進行している場合、非効率なアップリンクスケジューリング、およびネットワークパフォーマンスの低下につながり得る。例示的な実施形態は、並行スケジューリング要求が並行して進行するとき、ランダムアクセスを開始するための従来のプロセスを強化する。
【０１２６】
例示的な実施形態が、図２８に示されている。一例では、無線デバイスは、基地局から、１つ以上のメッセージを受信することができる。１つ以上のメッセージは、第１の論理チャネルおよび第２の論理チャネルを含む複数の論理チャネルのための構成パラメータを含むことができる。第１の論理チャネルは、第１のベアラ／サービス品質と関連付けられ得る。第２の論理チャネルは、第２のベアラ／サービス品質と関連付けられ得る。１つ以上のメッセージは、第１のスケジューリング要求構成および第２のスケジューリング要求構成を含む複数のスケジューリング要求構成のための構成パラメータを含むことができる。第１のスケジューリング要求構成パラメータは、第１の複数のＳＲリソースを示すことができる。第１のスケジューリング要求構成パラメータは、１つ以上の第１のタイマ値を含むことができる。第２のスケジューリング要求構成パラメータは、第２の複数のＳＲリソースを含むことができる。第２のスケジューリング要求構成パラメータは、１つ以上の第２のタイマ値を含むことができる。一例では、第１のスケジューリング要求に対する第１の構成パラメータは、第１のスケジューリング要求構成インデックスを含むことができる。一例では、第２のスケジューリング要求に対する第２の構成パラメータは、第２のスケジューリング要求構成インデックスを含むことができる。１つ以上のメッセージ（例えば、第１のスケジューリング要求構成パラメータ）は、基地局の第１のスケジューリング要求（ＳＲ）構成の第１のカウンタに対する第１のカウンタ値を示すことができ、その第１のＳＲ構成は、第１の論理チャネルに対応する。１つ以上のメッセージ（例えば、第２のスケジューリング要求構成パラメータ）は、基地局の第２のスケジューリング要求（ＳＲ）構成の第２のカウンタに対する第２のカウンタ値を示すことができ、その第２のＳＲ構成は、第２の論理チャネルに対応する。一例では、第１の論理チャネルのための構成パラメータは、第１の論理チャネルが第１のスケジューリング要求構成に対応することを示す第１のＳＲ構成インデックスを含む／示すことができる。一例では、第２の論理チャネルのための構成パラメータは、第２の論理チャネルが第２のスケジューリング要求構成に対応することを示す第２のＳＲ構成インデックスを含む／示すことができる。
【０１２７】
一例では、無線デバイスは、データが第１の論理チャネルに対して利用可能になることに応答して、第１のＳＲ構成に対応する第１のＳＲをトリガすることができる。一例では、無線デバイスは、他のＳＲのどれもが第１のＳＲ構成待ち状態に対応しないことに応答して、第１のカウンタを第１の初期値に設定することができる。一例では、第１の初期値は、ゼロであってもよい。一例では、第１の初期値は、１であってもよい。一例では、無線デバイスは、データが第２の論理チャネルに対して利用可能になることに応答して、第２のＳＲ構成に対応する第２のＳＲをトリガすることができる。一例では、無線デバイスは、他のＳＲのどれもが第２のＳＲ構成待ち状態に対応しないことに応答して、第２のカウンタを第２の初期値に設定することができる。一例では、第２の初期値は、ゼロであってもよい。一例では、第２の初期値は、１あってもよい。無線デバイスは、第１のＳＲを伝送することに応答して、第１のカウンタをインクリメントすることができる。無線デバイスは、第２のＳＲを伝送することに応答して、第２のカウンタをインクリメントすることができる。無線デバイスは、第１のカウンタが第１のカウンタ値に到達すること、または第２のカウンタが第２のカウンタ値に到達することに応答して、基地局に、ランダムアクセスプリアンブルを伝送することができる。一例では、無線デバイスは、ランダムアクセスプリアンブルを伝送することに応答して、基地局から、ランダムアクセス応答を受信することができる。
【０１２８】
一例では、ＳＲ構成パラメータは、複数のＳＲ内の第１のＳＲおよび第２のＳＲのための異なるパラメータを含むことができる。一例では、ｄｓｒ−ＴｒａｎｓＭａｘおよびｓｒ−ＰｒｏｈｉｂｉｔＴｉｍｅｒなどのＳＲ構成パラメータは、第１のＳＲおよび第２のＳＲによって異なってもよい。
【０１２９】
例示的な実施形態では、無線デバイスは、１つ以上のセルのための構成パラメータを含む１つ以上のメッセージを受信することができる。一例では、１つ以上の構成パラメータは、複数の論理チャネルのためのパラメータを含むことができる。一例では、１つ以上の構成パラメータは、１つ以上のＳＲのためのパラメータを含むことができる。一例では、無線デバイスは、データが１つ以上の論理チャネルに対して利用可能になることに応答して、バッファステータスレポートをトリガすることができる。一例では、無線デバイスは、１つ以上の条件が満たされた場合に、スケジューリング要求をトリガすることができる。一例では、１つ以上の条件は、バッファステータスレポートを伝送するためのアップリンクリソースの不足を含む場合がある。一例では、スケジューリング要求は、１つ以上の論理チャネルを含む１つ以上の論理チャネルおよび／もしくは１つ以上の論理チャネルグループ、ならびに／または１つ以上の論理チャネルがマッピングされる１つ以上のＴＴＩ／数秘術、ならびに／または１つ以上の論理チャネルに対応する１つ以上のサービスタイプ、および／もしくは１つ以上の論理チャネルがマッピングされる１つ以上のセルタイプを示すことができる。一例では、無線デバイスは、スケジューリング要求トリガに対応するスケジューリング要求プロセスを開始することができる。一例では、無線デバイスは、アップリンク制御チャネルを介して、ＳＲ信号を伝送することができる。一例では、ＳＲ信号は、１つ以上の論理チャネルに対応するＴＴＩ／数秘術上に伝送されてもよい。一例では、無線デバイスは、１つ以上のトランスポートブロック（ＴＢ）のための伝送パラメータを含むセルに対するアップリンクグラントを受信することができる（例えば、アップリンクグラントを含む／示すダウンリンク制御情報（ＤＣＩ）を受信することによって）。一例では、伝送パラメータは、トランスポートブロックサイズ、電力制御、無線リソース割り当てパラメータ、ＴＴＩ／数秘術および／または１つ以上のＴＴＩ／数秘術、ＭＩＭＯパラメータ等を含むことができる。無線デバイスは、アップリンクグラントに示された伝送パラメータを使用して、１つ以上のＴＢを構築してもよい。無線デバイスは、アップリンクグラントによって示される無線リソースを使用する１つ以上のＴＢを伝送することができる。
【０１３０】
ＮＲでは、複数のＳＲ構成は、無線デバイスのために構成され得る。複数のＳＲ構成内の第１のＳＲ構成は、複数の論理チャネル内の１つ以上の第１の論理チャネルに対応することができる。一例では、１つ以上の第１の論理チャネル内の論理チャネルは、第１のパラメータを用いて構成され得る。一例では、バッファステータスレポートは、データが論理チャネルに対して利用可能になることに応答して、トリガされ得る。ＭＡＣエンティティは、無線デバイスがアップリンクグラントを有さないことに応答して、ＳＲをトリガすることを遅延させることができる。ＳＲのトリガにおける遅延は、無線デバイス（例えば、無線デバイスのために構成された論理チャネル）が、半永続的なスケジューリンググラントおよび／または非グラント伝送で構成されることによるものであってもよい。遅延を可能にするため、ＭＡＣエンティティは、タイマを開始。再起動することができ、タイマが進行しておらず、ＢＳＲが待ち状態であることに応答して、ＳＲをトリガすることができる。複数のＳＲ構成に対して複数のタイマを構成することによって、スケジューリング要求プロセスを強化する必要がある。スケジューリングプロセスの柔軟性を改善するために、第１のタイマ値は、第１のタイマのために構成され得、第２のタイマ値は、第２のタイマのために構成され得る。無線デバイス内のアップリンクスケジューリングの効率を改善するには、スケジューリング要求プロセスが、強化される必要がある。例示的な実施形態は、無線ネットワークおよび無線デバイス内のスケジューリング要求プロセスの効率を高める。
【０１３１】
例示的な実施形態では、無線デバイスは、１つ以上のメッセージを受信することができる。１つ以上のメッセージは、無線リソース制御（ＲＲＣ）メッセージおよび／または他の構成メッセージを含むことができる。１つ以上のメッセージは、複数の論理チャネルのための論理チャネル構成パラメータを含むことができる。一例では、１つ以上のメッセージは、第１のタイマのための第１のタイマ値を含むことができる。第１のタイマは、第１の論理チャネルグループのためであってもよい。第１の論理チャネルグループは、複数の論理チャネル内に１つ以上の第１の論理チャネルを含むことができる。一例では、１つ以上のメッセージは、第２のタイマのための第２のタイマ値を含むことができる。第２のタイマは、第２の論理チャネルグループのためであってもよい。第２の論理チャネルグループは、複数の論理チャネル内に１つ以上の第２の論理チャネルを含むことができる。一例では、無線デバイスは、データが複数の論理チャネル内の論理チャネルに対して利用可能になることに応答して、バッファステータスレポート（ＢＳＲ）をトリガすることができる。論理チャネルは、第１のパラメータを用いて、構成され得る。一例では、第１のパラメータは、論理チャネルＳＲ禁止パラメータであってもよい。一例では、第１のパラメータが構成された場合、その第１のパラメータは、ＳＲが第１のパラメータを用いて構成された論理チャネルのためにトリガされることに応答して、ＳＲの伝送を遅延させることができる。一例では、論理チャネルのための論理チャネル構成パラメータは、第１のパラメータを含むことができ、かつ／または論理チャネルが第１のパラメータを用いて構成されているかどうかを示すことができ、かつ／またはデータが論理チャネルに対して利用可能になることに起因してＢＳＲがトリガされることに応答して、ＳＲの伝送を遅延させることができる。一例では、無線デバイスは、第１のタイマまたは第２のタイマのうちの一方を選択することができ、第１のタイマまたは第２のタイマのうちの一方を開始および／または再起動することができる。一例では、第１のタイマまたは第２のタイマのうちの一方を選択することは、ＢＳＲをトリガした論理チャネルが、第１の論理チャネルグループまたは第２の論理チャネルグループに属するかどうかに、少なくとも基づき得る。一例では、無線デバイスは、第１のタイマまたは第２のタイマのうちの一方が満了になり、かつＢＳＲが待ち状態であることに応答して、スケジューリング要求（ＳＲ）をトリガすることができる。一例では、無線デバイスは、ＳＲリソース上でＳＲ信号を伝送することができる。一例では、無線デバイスは、ＳＲの伝送が、第１の回数だけ失敗したことに応答して、ランダムアクセスプロシージャを開始することができる。一例では、１つ以上のメッセージは、第１の数を含むおよび／または示すことができる。一例では、カウンタは、ＳＲの伝送が失敗した場合、インクリメントされ得、ランダムアクセスプロシージャは、カウンタが第１の数に到達したことに応答して、開始することができる。一例では、無線デバイスは、ランダムアクセスプロシージャを開始することに応答して、ランダムアクセスプリアンブルを伝送することができる。
【０１３２】
例示的な実施形態では、無線デバイスは、１つ以上のメッセージを受信することができる。１つ以上のメッセージは、無線リソース制御（ＲＲＣ）メッセージおよび／または他の構成メッセージを含むことができる。１つ以上のメッセージは、複数の論理チャネルのための論理チャネル構成パラメータを含むことができる。一例では、１つ以上のメッセージは、第１のタイマのための第１のタイマ値を含むことができる。第１のタイマは、第１の論理チャネルグループのためであってもよい。第１の論理チャネルグループは、複数の論理チャネル内に１つ以上の第１の論理チャネルを含むことができる。一例では、１つ以上のメッセージは、第２のタイマのための第２のタイマ値を含むことができる。第２のタイマは、第２の論理チャネルグループのためであってもよい。第２の論理チャネルグループは、複数の論理チャネル内に１つ以上の第２の論理チャネルを含むことができる。一例では、無線デバイスは、データが複数の論理チャネル内の論理チャネルに対して利用可能になることに応答して、バッファステータスレポート（ＢＳＲ）をトリガすることができる。論理チャネルは、第１のパラメータを用いて構成されていない場合がある（例えば、論理チャネルＳＲ禁止）。一例では、第１のパラメータが構成された場合、その第１のパラメータは、ＳＲが第１のパラメータを用いて構成された論理チャネルのためにトリガされることに応答して、ＳＲの伝送を遅延させることができる。一例では、論理チャネルのための論理チャネル構成パラメータは、第１のパラメータを含むことができ、かつ／または論理チャネルが第１のパラメータを用いて構成されているかどうかを示すことができ、かつ／またはデータが論理チャネルに対して利用可能になることに起因してＢＳＲがトリガされることに応答して、ＳＲの伝送を遅延させることができる。一例では、無線デバイスは、第１のタイマまたは第２のタイマのうちの一方を選択し、第１のタイマまたは第２のタイマのうちの一方が進行することに応答して、第１のタイマまたは第２のタイマのうちの一方を停止することができる。一例では、第１のタイマまたは第２のタイマのうちの一方を選択することは、ＢＳＲをトリガした論理チャネルが、第１の論理チャネルグループまたは第２の論理チャネルグループに属するかどうかに、少なくとも基づき得る。一例では、無線デバイスは、ＢＳＲが待ち状態であること、および無線デバイスがアップリンクグラントを有さないことに応答して、スケジューリング要求（ＳＲ）をトリがすることができる。一例では、無線デバイスは、ＳＲリソース上でＳＲ信号を伝送することができる。一例では、無線デバイスは、ＳＲの伝送が、第１の回数の間失敗したことに応答して、ランダムアクセスプロシージャを開始することができる。一例では、１つ以上のメッセージは、第１の数を含むおよび／または示すことができる。一例では、カウンタは、ＳＲの伝送が失敗した場合、インクリメントされ得、ランダムアクセスプロシージャは、カウンタが第１の数に到達したことに応答して、開始することができる。一例では、無線デバイスは、ランダムアクセスプロシージャを開始することに応答して、ランダムアクセスプリアンブルを伝送することができる。
【０１３３】
一例では、ＳＲは、シングルビットを含むことができる。基地局は、ＳＲ信号が伝送されたＳＲリソース上のエネルギーレベルを検出することによって、ＳＲの存在を検出することができる。ＳＲリソース上でＳＲ信号を伝送することによって、無線デバイスは、無線デバイスが、データの伝送に使用可能なアップリンクリソース（例えば、１つ以上の論理チャネルおよび／または１つ以上の無線ベアラ）、および／またはＳＲ信号の伝送に使用されるＳＲリソースに対応する１つ以上のサービス（例えば、ＵＲＬＬＣ、ｅＭＢＢ、ｅＭＴＣ等）を必要とすることを、基地局に信号を送ることができる。一例では、基地局は、１つ以上のアップリンクグラントを伝送し、ＳＲ信号の伝送に使用されるＳＲリソースを考慮して（例えば、基づいて）無線デバイスにアップリンクリソースを割り当てることができる。
【０１３４】
一例では、１つ以上の第１の論理チャネルは、第１のＳＲ構成に対応することができ、１つ以上の第２の論理チャネルは、第２のＳＲ構成に対応することができる。一例では、１つ以上のメッセージは、第１のＳＲ構成パラメータおよび第２のＳＲ構成パラメータを含むことができる。一例では、第１のＳＲ構成パラメータは、１つ以上の第１の論理チャネルを示す１つ以上の第１のフィールドを含むことができ、第２のＳＲ構成パラメータは、１つ以上の第２の論理チャネルを示す１つ以上の第２のフィールドを含むことができる。一例では、１つ以上の第１のフィールドは、１つ以上の第１の論理チャネル（例えば、１つ以上の第１の論理チャネルＩＤ）の第１のリストを含むことができ、１つ以上の第２のフィールドは、１つ以上の第２の論理チャネル（例えば、１つ以上の第２の論理チャネルＩＤ）の第２のリストを含むことができる。一例では、第１のＳＲ構成パラメータは、第１の複数のＳＲリソースを含むことができ、第２のＳＲ構成パラメータは、第２の複数のＳＲリソースを含むことができる。一例では、第１のＳＲ構成パラメータは、第１の複数のＳＲリソースを示す１つ以上の第１のインデックスを含むことができ、第２のＳＲ構成パラメータは、第２の複数のＳＲリソースを示す１つ以上の第２のインデックスを含むことができる。一例では、第１のＳＲ構成は、第１の数秘術／ＴＴＩ長さ／持続時間、および／または１つ以上の第１のサービス、および／または１つ以上の第１の論理チャネルを示す。一例では、第２のＳＲ構成は、第２の数秘術／ＴＴＩ長さ／持続時間、および／または１つ以上の第２のサービス、および／または１つ以上の第２の論理チャネルを示す。一例では、１つ以上の第１の論理チャネルは、第１の数秘術／ＴＴＩ長さ／持続時間にマッピングされ得、１つ以上の第２の論理チャネルは、第２の数秘術／ＴＴＩ長さ／持続時間にマッピングされ得る。一例では、ＳＲ信号の伝送に対するＳＲリソースは、ＢＳＲをトリガした論理チャネルが、第１の論理チャネルグループまたは第２の論理チャネルグループに属するかどうかに従って、第１の複数のＳＲリソースまたは第２の複数のＳＲリソースのうちの一方からのリソースであってもよい。
【０１３５】
一例では、第１のタイマまたは第２のタイマのうちの一方は、対応するタイマ値（例えば、第１のタイマまたは第２のタイマのうちの一方が、第１のタイマであることに応答する第１のタイマ値、および第１のタイマまたは第２のタイマのうちの一方が、第２のタイマであることに応答する第２のタイマ値）に等しい時間に応答して満了し得、第１のタイマまたは第２のタイマのうちの一方は、開始または再起動することに応答して時間が経過し得る。一例では、ＢＳＲは、ＢＳＲがキャンセルされない場合、待ち状態であってもよい。一例では、ＢＳＲは、第１のタイマまたは第２のタイマのうちの一方が進行している間、無線デバイスが、アップリンクグラント（例えば、ＢＳＲ、ならびに／またはすべての待ち状態データ、および／もしくは待ち状態データの一部分をトリガした論理チャネルの伝送に有用であるアップリンクグラント）を受信しない場合、待ち状態であってもよい。
【０１３６】
例示的な実施形態では、ＢＳＲは、複数の論理チャネルグループのバッファステータスを含むことができる。論理チャネルグループは、論理チャネルグループＩＤを用いて識別され得る。一例では、ＢＳＲの伝送のための論理チャネルグループは、ＳＲ構成に対応する論理チャネルグループに対応することができる。一例では、ＳＲ構成パラメータは、ＳＲ構成に対応する論理チャネルグループＩＤを含むおよび／または示すことができる。一例では、基地局は、論理チャネルグループとＳＲ構成との間のマッピングを示すことができる。一例では、マッピングは、ＲＲＣ内の情報要素を使用して、示され得る。一例では、マッピングは、無線デバイスに動的に示されてもよい（例えば、物理レイヤシグナリングおよび／またはＭＡＣレイヤシグナリング、例えば、ＰＤＣＣＨまたはＭＡＣＣＥを使用して）。
【０１３７】
ＮＲでは、複数のＳＲ構成は、無線デバイスのために構成され得る。複数のＳＲ構成内の第１のＳＲ構成は、複数の論理チャネル内の１つ以上の第１の論理チャネルに対応することができる。一例では、１つ以上の第１の論理チャネル内の論理チャネルは、第１のパラメータを用いて構成され得る。一例では、バッファステータスレポートは、データが論理チャネルに対して利用可能になることに応答して、トリガされ得る。ＭＡＣエンティティは、無線デバイスがアップリンクグラントを有さないことに応答して、ＳＲをトリガすることを遅延させることができる。ＳＲのトリガにおける遅延は、無線デバイス（例えば、無線デバイスのために構成された論理チャネル）が、半永続的なスケジューリンググラントおよび／または非グラント伝送で構成されることによるものであってもよい。遅延を可能にするため、ＭＡＣエンティティは、タイマを開始／再起動することができ、タイマが進行しておらず、ＢＳＲが待ち状態であることに応答して、ＳＲをトリガすることができる。複数のＳＲ構成に対して複数のタイマを構成することによって、スケジューリング要求プロセスを強化する必要がある。スケジューリングプロセスの効率を改善するために、タイマ値が、第１のタイマおよび第２のタイマによって、構成および／または共有され得る。無線デバイス内のアップリンクスケジューリングの効率を改善するには、スケジューリング要求プロセスが、強化される必要がある。例示的な実施形態は、無線ネットワークおよび無線デバイス内のスケジューリング要求プロセスの効率を高める。
【０１３８】
例示的な実施形態では、無線デバイスは、１つ以上のメッセージを受信することができる。１つ以上のメッセージは、無線リソース制御（ＲＲＣ）メッセージおよび／または他の構成メッセージを含むことができる。１つ以上のメッセージは、複数の論理チャネルのための論理チャネル構成パラメータを含むことができる。一例では、１つ以上のメッセージは、第１のタイマおよび第２のタイマのためのタイマ値を含むことができる。第１のタイマは、第１の論理チャネルグループのためであってもよい。第１の論理チャネルグループは、複数の論理チャネル内に１つ以上の第１の論理チャネルを含むことができる。第２のタイマは、第２の論理チャネルグループのためであってもよい。第２の論理チャネルグループは、複数の論理チャネル内に１つ以上の第２の論理チャネルを含むことができる。一例では、無線デバイスは、データが複数の論理チャネル内の論理チャネルに対して利用可能になることに応答して、バッファステータスレポート（ＢＳＲ）をトリガすることができる。論理チャネルは、第１のパラメータを用いて、構成され得る。一例では、第１のパラメータは、論理チャネルＳＲ禁止パラメータであってもよい。一例では、第１のパラメータが構成された場合、その第１のパラメータは、ＳＲが第１のパラメータを用いて構成された論理チャネルのためにトリガされることに応答して、ＳＲの伝送を遅延させることができる。一例では、論理チャネルのための論理チャネル構成パラメータは、第１のパラメータを含むことができ、かつ／または論理チャネルが第１のパラメータを用いて構成されているかどうかを示すことができ、かつ／またはデータが論理チャネルに対して利用可能になることに起因してＢＳＲがトリガされることに応答して、ＳＲの伝送を遅延させることができる。一例では、無線デバイスは、第１のタイマまたは第２のタイマのうちの一方を選択することができ、第１のタイマまたは第２のタイマのうちの一方を開始および／または再起動することができる。一例では、第１のタイマまたは第２のタイマのうちの一方を選択することは、ＢＳＲをトリガした論理チャネルが、第１の論理チャネルグループまたは第２の論理チャネルグループに属するかどうかに、少なくとも基づき得る。一例では、無線デバイスは、第１のタイマまたは第２のタイマのうちの一方が満了になり、ＢＳＲが待ち状態であることに応答して、スケジューリング要求（ＳＲ）をトリガすることができる。一例では、無線デバイスは、ＳＲリソース上でＳＲ信号を伝送することができる。一例では、無線デバイスは、ＳＲの伝送が、第１の回数の間失敗したことに応答して、ランダムアクセスプロシージャを開始することができる。一例では、１つ以上のメッセージは、第１の数を含むおよび／または示すことができる。一例では、カウンタは、ＳＲの伝送が失敗した場合、インクリメントされ得、ランダムアクセスプロシージャは、カウンタが第１の数に到達したことに応答して、開始することができる。一例では、無線デバイスは、ランダムアクセスプロシージャを開始することに応答して、ランダムアクセスプリアンブルを伝送することができる。
【０１３９】
一例では、第１のタイマまたは第２のタイマのうちの一方は、第１のタイマまたは第２のタイマのうちの一方が開始または再起動することに応答して経過するタイマ値に等しい時間に応答して、満了することができる。
【０１４０】
例示的な実施形態では、無線デバイスは、１つ以上のメッセージを受信することができる。１つ以上のメッセージは、無線リソース制御（ＲＲＣ）メッセージおよび／または他の構成メッセージを含むことができる。１つ以上のメッセージは、複数の論理チャネルのための論理チャネル構成パラメータを含むことができる。一例では、１つ以上のメッセージは、第１のタイマおよび第２のタイマのためのタイマ値を含むことができる。第１のタイマは、第１の論理チャネルグループのためであってもよい。第１の論理チャネルグループは、複数の論理チャネル内に１つ以上の第１の論理チャネルを含むことができる。第２のタイマは、第２の論理チャネルグループのためであってもよい。第２の論理チャネルグループは、複数の論理チャネル内に１つ以上の第２の論理チャネルを含むことができる。一例では、無線デバイスは、データが複数の論理チャネル内の論理チャネルに対して利用可能になることに応答して、バッファステータスレポート（ＢＳＲ）をトリガすることができる。論理チャネルは、第１のパラメータ（例えば、論理チャネルＳＲ禁止パラメータ）を用いては、構成されない場合がある。一例では、第１のパラメータが構成された場合、その第１のパラメータは、ＳＲが第１のパラメータを用いて構成された論理チャネルのためにトリガされることに応答して、ＳＲの伝送を遅延させることができる。一例では、論理チャネルのための論理チャネル構成パラメータは、第１のパラメータを含むことができ、かつ／または論理チャネルが第１のパラメータを用いて構成されているかどうかを示すことができ、かつ／またはデータが論理チャネルに対して利用可能になることに起因してＢＳＲがトリガされることに応答して、ＳＲの伝送を遅延させることができる。一例では、無線デバイスは、第１のタイマまたは第２のタイマのうちの一方を選択することができ、第１のタイマまたは第２のタイマのうちの一方を停止することができる。一例では、第１のタイマまたは第２のタイマのうちの一方を選択することは、ＢＳＲをトリガした論理チャネルが、第１の論理チャネルグループまたは第２の論理チャネルグループに属するかどうかに、少なくとも基づき得る。一例では、無線デバイスは、第１のタイマまたはＢＳＲのうちの一方が待ち状態であり、無線デバイスがアップリンクグラントを有さないことに応答して、スケジューリング要求（ＳＲ）をトリガすることができる。一例では、無線デバイスは、ＳＲリソース上でＳＲ信号を伝送することができる。一例では、無線デバイスは、ＳＲの伝送が、第１の回数の間失敗したことに応答して、ランダムアクセスプロシージャを開始することができる。一例では、１つ以上のメッセージは、第１の数を含むおよび／または示すことができる。一例では、カウンタは、ＳＲの伝送が失敗した場合、インクリメントされ得、ランダムアクセスプロシージャは、カウンタが第１の数に到達したことに応答して、開始することができる。一例では、無線デバイスは、ランダムアクセスプロシージャを開始することに応答して、ランダムアクセスプリアンブルを伝送することができる。
【０１４１】
ＮＲでは、複数のＳＲ構成は、無線デバイスのために構成され得る。複数のＳＲ構成内の第１のＳＲ構成は、複数の論理チャネル内の１つ以上の第１の論理チャネルに対応することができる。一例では、１つ以上の第１の論理チャネル内の論理チャネルは、第１のパラメータを用いて構成され得る。一例では、バッファステータスレポートは、データが論理チャネルに対して利用可能になることに応答して、トリガされ得る。ＭＡＣエンティティは、無線デバイスがアップリンクグラントを有さないことに応答して、ＳＲをトリガすることを遅延させることができる。ＳＲのトリガにおける遅延は、無線デバイス（例えば、無線デバイスのために構成された論理チャネル）が、半永続的なスケジューリンググラントおよび／または非グラント伝送で構成されることによるものであってもよい。遅延を可能にするため、ＭＡＣエンティティは、タイマを開始。再起動することができ、タイマが進行しておらず、ＢＳＲが待ち状態であることに応答して、ＳＲをトリガすることができる。複数のＳＲ構成に対して複数のタイマを構成することによって、スケジューリング要求プロセスを強化する必要がある。一例では、構成パラメータは、第１のタイマが解放されたことを示すことができる。無線デバイス内のアップリンクスケジューリングの効率を改善するには、スケジューリング要求プロセスが、強化される必要がある。例示的な実施形態は、無線ネットワークおよび無線デバイス内のスケジューリング要求プロセスの効率を高める。
【０１４２】
例示的な実施形態では、無線デバイスは、１つ以上のメッセージを受信することができる。１つ以上のメッセージは、無線リソース制御（ＲＲＣ）メッセージおよび／または他の構成メッセージを含むことができる。１つ以上のメッセージは、複数の論理チャネルのための論理チャネル構成パラメータを含むことができる。一例では、１つ以上のメッセージは、第１のタイマのための構成パラメータを含むことができる。第１のタイマのための構成パラメータは、第１のタイマのための第１のタイマ値を含むことができる。第１のタイマのための構成パラメータは、第１のタイマが解放されたことを示すことができる。第１のタイマは、第１の論理チャネルグループのためであってもよい。第１の論理チャネルグループは、複数の論理チャネル内に１つ以上の第１の論理チャネルを含むことができる。一例では、１つ以上のメッセージは、第２のタイマのための構成パラメータを含むことができる。第２のタイマのための構成パラメータは、第２のタイマのための第２のタイマ値を含むことができる。第２のタイマのための構成パラメータは、第２のタイマが解放されたことを示すことができる。第２のタイマは、第２の論理チャネルグループのためであってもよい。第２の論理チャネルグループは、複数の論理チャネル内に１つ以上の第２の論理チャネルを含むことができる。一例では、無線デバイスは、データが複数の論理チャネル内の論理チャネルに対して利用可能になることに応答して、バッファステータスレポート（ＢＳＲ）をトリガすることができる。論理チャネルは、第１のパラメータを用いて、構成され得る。一例では、第１のパラメータは、論理チャネルＳＲ禁止パラメータであってもよい。一例では、第１のパラメータが構成された場合、その第１のパラメータは、ＳＲが第１のパラメータを用いて構成された論理チャネルのためにトリガされることに応答して、ＳＲの伝送を遅延させることができる。一例では、論理チャネルのための論理チャネル構成パラメータは、第１のパラメータを含むことができ、かつ／または論理チャネルが第１のパラメータを用いて構成されているかどうかを示すことができ、かつ／またはデータが論理チャネルに対して利用可能になることに起因してＢＳＲがトリガされることに応答して、ＳＲの伝送を遅延させることができる。一例では、無線デバイスは、第１のタイマまたは第２のタイマのうちの一方が解放されないことに応答して、第１のタイマまたは第２のタイマのうちの一方を選択し、第１のタイマまたは第２のタイマのうちの一方を開始および／または再起動することができる。一例では、第１のタイマまたは第２のタイマのうちの一方を選択することは、ＢＳＲをトリガした論理チャネルが、第１の論理チャネルグループまたは第２の論理チャネルグループに属するかどうかに、少なくとも基づき得る。一例では、無線デバイスは、第１のタイマまたは第２のタイマのうちの一方が満了になり、ＢＳＲが待ち状態であることに応答して、スケジューリング要求（ＳＲ）をトリガすることができる。一例では、無線デバイスは、ＳＲリソース上でＳＲ信号を伝送することができる。一例では、無線デバイスは、ＳＲの伝送が、第１の回数の間失敗したことに応答して、ランダムアクセスプロシージャを開始することができる。一例では、１つ以上のメッセージは、第１の数を含むおよび／または示すことができる。一例では、カウンタは、ＳＲの伝送が失敗した場合、インクリメントされ得、ランダムアクセスプロシージャは、カウンタが第１の数に到達したことに応答して、開始することができる。一例では、無線デバイスは、ランダムアクセスプロシージャを開始することに応答して、ランダムアクセスプリアンブルを伝送することができる。
【０１４３】
例示的な実施形態では、無線デバイスは、１つ以上のメッセージを受信することができる。１つ以上のメッセージは、無線リソース制御（ＲＲＣ）メッセージおよび／または他の構成メッセージを含むことができる。１つ以上のメッセージは、複数の論理チャネルのための論理チャネル構成パラメータを含むことができる。一例では、１つ以上のメッセージは、第１のタイマのための構成パラメータを含むことができる。第１のタイマのための構成パラメータは、第１のタイマのための第１のタイマ値を含むことができる。第１のタイマのための構成パラメータは、第１のタイマが解放されたことを示すことができる。第１のタイマは、第１の論理チャネルグループのためであってもよい。第１の論理チャネルグループは、複数の論理チャネル内に１つ以上の第１の論理チャネルを含むことができる。一例では、１つ以上のメッセージは、第２のタイマのための構成パラメータを含むことができる。第２のタイマのための構成パラメータは、第２のタイマのための第２のタイマ値を含むことができる。第２のタイマのための構成パラメータは、第２のタイマが解放されたことを示すことができる。第２のタイマは、第２の論理チャネルグループのためであってもよい。第２の論理チャネルグループは、複数の論理チャネル内に１つ以上の第２の論理チャネルを含むことができる。一例では、無線デバイスは、データが複数の論理チャネル内の論理チャネルに対して利用可能になることに応答して、バッファステータスレポート（ＢＳＲ）をトリガすることができる。論理チャネルは、第１のパラメータ（例えば、論理チャネルＳＲ禁止パラメータ）を用いては、構成されない場合がある。一例では、第１のパラメータが構成された場合、その第１のパラメータは、ＳＲが第１のパラメータを用いて構成された論理チャネルのためにトリガされることに応答して、ＳＲの伝送を遅延させることができる。一例では、論理チャネルのための論理チャネル構成パラメータは、第１のパラメータを含むことができ、かつ／または論理チャネルが第１のパラメータを用いて構成されているかどうかを示すことができ、かつ／またはデータが論理チャネルに対して利用可能になることに起因してＢＳＲがトリガされることに応答して、ＳＲの伝送を遅延させることができる。一例では、無線デバイスは、第１のタイマまたは第２のタイマの一方が解放されないことに応答して、第１のタイマまたは第２のタイマの一方を選択し、第１のタイマまたは第２のタイマの一方を停止することができる。一例では、第１のタイマまたは第２のタイマのうちの一方を選択することは、ＢＳＲをトリガした論理チャネルが、第１の論理チャネルグループまたは第２の論理チャネルグループに属するかどうかに、少なくとも基づき得る。一例では、無線デバイスは、第１のタイマまたは第２のタイマのうちの一方が満了になり、ＢＳＲが待ち状態であることに応答して、スケジューリング要求（ＳＲ）をトリガすることができる。一例では、無線デバイスは、ＳＲリソース上でＳＲ信号を伝送することができる。一例では、無線デバイスは、ＳＲの伝送が、第１の回数の間失敗したことに応答して、ランダムアクセスプロシージャを開始することができる。一例では、１つ以上のメッセージは、第１の数を含むおよび／または示すことができる。一例では、カウンタは、ＳＲの伝送が失敗した場合、インクリメントされ得、ランダムアクセスプロシージャは、カウンタが第１の数に到達したことに応答して、開始することができる。一例では、無線デバイスは、ランダムアクセスプロシージャを開始することに応答して、ランダムアクセスプリアンブルを伝送することができる。
【０１４４】
図２４の例示的な実施形態では、無線デバイスは、１つ以上のメッセージを受信することができる。１つ以上のメッセージは、無線リソース制御（ＲＲＣ）メッセージおよび／または他の構成メッセージを含むことができる。１つ以上のメッセージは、複数の論理チャネルのための論理チャネル構成パラメータを含むことができる。一例では、１つ以上のメッセージは、第１のタイマのための構成パラメータを含むことができる。第１のタイマは、第１の論理チャネルグループのためであってもよい。第１の論理チャネルグループは、複数の論理チャネル内に１つ以上の第１の論理チャネルを含むことができる。一例では、１つ以上のメッセージは、第２のタイマのための構成パラメータを含むことができる。第２のタイマは、第２の論理チャネルグループのためであってもよい。第２の論理チャネルグループは、複数の論理チャネル内に１つ以上の第２の論理チャネルを含むことができる。一例では、無線デバイスは、データが複数の論理チャネル内の論理チャネル（例えば、図２４のＬＣ１）に対して利用可能になったことに応答して、バッファステータスレポート（ＢＳＲ）をトリガすることができる。論理チャネル（例えば、図２４のＬＣ１）は、第１のパラメータを用いて構成され得る。一例では、第１のパラメータは、論理チャネルＳＲ禁止パラメータであってもよい。一例では、第１のパラメータは、ＳＲがＬＣ１に対してトリガされたことに応答して、ＳＲの伝送を遅延させる場合がある。一例では、論理チャネル構成パラメータＬＣ１は、第１のパラメータを含むことができ、かつ／またはＬＣ１が第１のパラメータを用いて構成されるかどうかを示すことができ、データがＬＣ１に対して利用可能になることに起因してＢＳＲがトリガされたことに応答して、ＳＲの伝送を遅延させる場合がある。一例では、無線デバイスは、ＬＣ１が第１のＬＣグループ内にあることを判定することができ、この判定に応答して、第１のタイマを開始および／または再起動することができる。無線デバイスは、第１のタイマの満了に応答して、ＳＲをトリガすることができる。無線デバイスは、第１のＳＲ構成のために（例えば、１つ以上の第１の論理チャネルのために）構成されたＳＲリソースでＳＲ信号を伝送することができる。一例では、無線デバイスは、ＳＲの伝送が、第１の回数の間失敗したことに応答して、ランダムアクセスプロシージャを開始することができる。一例では、１つ以上のメッセージは、第１の数を含むおよび／または示すことができる。一例では、カウンタは、ＳＲの伝送が失敗した場合、インクリメントされ得、ランダムアクセスプロシージャは、カウンタが第１の数に到達したことに応答して、開始することができる。一例では、無線デバイスは、ランダムアクセスプロシージャを開始することに応答して、ランダムアクセスプリアンブルを伝送することができる。
【０１４５】
同じ基地局からリソースを要求するための複数のＳＲプロセスが待ち状態である場合、既存のＳＲメカニズムの実施態様は、基地局による非効率なリソース割り当てをもたらし得る。この課題は、複数のＳＲプロセスが、複数の基地局に関連付けられた複数のＭＡＣエンティティのためである場合には、適用できなくてもよい。既存のＳＲメカニズムの実施態様は、非効率なアップリンクスケジューリング、非効率なアップリンクリソース利用、およびネットワークパフォーマンスの低下をもたらす。基地局の複数のＳＲリソースが、無線デバイスのために構成され、ＳＲリソースが、１つ以上の伝送間隔にマッピングされる１つ以上の論理チャネルに対応する場合、ＳＲメカニズムを改善する必要がある。論理チャネルが、アップリンクデータチャネルの１つ以上の伝送時間間隔にマッピングされた場合、例示的な実施形態は、追加的な柔軟性を提供して、アップリンクリソース効率を改善することができる。例示的な実施形態は、複数のＳＲプロセスが、並行して進行している場合、従来のＳＲメカニズムを強化する。例示的な実施形態は、複数のＳＲプロセスが、同じ基地局にＳＲ要求を伝送するために待ち状態になっているときに、強化されたＳＲメカニズムを提供する。例示的な実施形態では、無線デバイスは、複数のＳＲ構成を用いて構成され得、各ＳＲ構成は、基地局へ伝送するために、１つ以上の伝送間隔（例えば、アップリンクデータチャネルの１つ以上の伝送時間間隔に関連付けられた）にマッピングされた１つ以上の論理チャネルに対応することができる。例示的な実施形態は、従来のスケジューリング要求プロセスを強化し、アップリンク無線リソース効率を改善する。従来のＳＲプロセスでは、データが論理チャネルに対して利用可能になり、かつ無線デバイスがＢＳＲの伝送のためのアップリンクリソースを有さないことに起因して、バッファステータスレポートがトリガされたときに、論理チャネルは、対応するスケジューリング要求トリガが遅延されることを示す禁止／遅延パラメータを用いて構成され得る。無線デバイスは、対応するスケジューリング要求タイマが進行しない場合にのみ、ＳＲをトリガすることができる。例示的な実施形態では、複数のＳＲ構成が、無線デバイスに対して構成されてもよい。複数のＳＲ構成内のＳＲ構成は、１つ以上の論理チャネルに対応することができる。従来のプロシージャは、例えば、異なる論理チャネルに対して遅延させるＳＲを別々に処理するのに十分な柔軟性を提供していない。これは、非効率なアップリンクスケジューリング、およびネットワークパフォーマンスの低下につながる。ＮＲシステムにおいて、ＳＲトリガ遅延プロセスおよび構成を強化する必要がある。例示的な実施形態が、ＳＲトリガ遅延プロセスおよび構成を強化する。
【０１４６】
例示的な実施形態が、図２９に示されている。無線デバイスは、構成パラメータを受信することができる。一例では、構成パラメータは、１つ以上の第１の論理チャネルおよび／または１つ以上の第２の論理チャネルを含む複数の論理チャネルのための論理チャネル構成パラメータを含むことができる。一例では、構成パラメータは、１つ以上の第１の論理チャネルまたは１つ以上の第２の論理チャネル内の論理チャネルのための第１のパラメータを含むことができる。一例では、第１の論理チャネルに対する第１のパラメータは、データが第１の論理チャネルに対して利用可能になった場合、スケジューリング要求のトリガを遅延させることを示すことができる。一例では、構成パラメータは、第１のスケジューリング要求構成パラメータおよび第２のスケジューリング要求構成パラメータを含むことができる。一例では、構成パラメータ（例えば、第１のスケジューリング要求構成パラメータ）は、１つ以上の第１の論理チャネルに対応する第１のタイマのための第１のタイマ値を含むことができる。一例では、構成パラメータ（例えば、第２のスケジューリング要求構成パラメータ）は、１つ以上の第２の論理チャネルに対応する第２のタイマのための第２のタイマ値を含むことができる。一例では、第１のスケジューリング要求構成パラメータは、第１のスケジューリング要求構成インデックスを含むことができる。一例では、第２のスケジューリング要求構成パラメータは、第２のスケジューリング要求構成インデックスを含むことができる。一例では、１つ以上の第１の論理チャネルのための構成パラメータは、第１のスケジューリング要求構成インデックスを含む／示すことができる。一例では、１つ以上の第２の論理チャネルのための構成パラメータは、第２の構成インデックスを含む／示すことができる。一例では、無線デバイスは、データが論理チャネルに対して利用可能になることに応答して、バッファステータスレポートをトリガすることができる。一例では、無線デバイスは、１つ以上の第１の論理チャネルが、論理チャネルを含むか、または１つ以上の第２の論理チャネルが、論理チャネルを含むかどうかに基づいて、第１のタイマまたは第２のタイマのうちの一方を開始することができる。無線デバイスは、アップリンクリソースがバッファステータスレポートを伝送するためには利用可能でなく、かつ第１のタイマまたは第２のタイマのうちの一方が進行していないことに応答して、スケジューリング要求を伝送することができる。一例では、無線デバイスは、スケジューリング要求を伝送することと、スケジューリング要求を伝送することに応答する、論理チャネルからのデータを伝送するためのアップリンクグラントを受信しないことと、に応答して、ランダムアクセスプリアンブルを伝送することができる。
【０１４７】
様々な実施形態によれば、例えば、無線デバイス、オフネットワーク無線デバイス、基地局、および／または同様のものなどのデバイスは、１つ以上のプロセッサと、メモリと、を備えることができる。メモリは、１つ以上のプロセッサによって実行されると、デバイスに一連の動作を実行させる命令を格納し得る。例示的な動作の実施形態は、添付の図面および明細書に例解されている。様々な実施形態からの特徴を組み合わせてさらに別の実施形態を作り出すことができる。
【０１４８】
図３０は、本開示の実施形態の態様に基づく、例示的な流れ図である。３０１０において、無線デバイスは、基地局から、第１のスケジューリング要求（ＳＲ）リソースおよび第２のＳＲリソースを含む１つ以上のメッセージを受信することができる。第１のＳＲリソースは、基地局のものであってもよく、第１の論理チャネルに対応してもよい。第１の論理チャネルは、第１の値に至るまでの１つ以上の第１の伝送持続時間に対応することができる。第２のＳＲリソースは、基地局のものであってもよく、第２の論理チャネルに対応してもよい。第２の論理チャネルは、第２の値に至るまでの１つ以上の第２の伝送持続時間に対応することができる。３０２０において、ＳＲは、アップリンクリソースが、トリガされたバッファステータスレポート（ＢＳＲ）を伝送するためには利用可能でないことに応答して、トリガされ得る。トリガされたＢＳＲは、アップリンクデータが、第１の論理チャネルまたは第２の論理チャネルのうちの一方に対して利用可能になることに応答してもよい。３０３０において、ＳＲは、ＢＳＲをトリがした論理チャネルに対応するＳＲリソースを介して、基地局に伝送され得る。ＳＲリソースは、第１の論理チャネルに対応する第１のＳＲリソースと、第２の論理チャネルに対応する第２のＳＲリソースと、のうちのいずれかであってもよい。３０４０において、ＳＲを伝送することに応答して、アップリンクグラントは、基地局から受信され得る。アップリンクグラントは、第１の論理チャネルまたは第２の論理チャネルのうちの一方に対応する伝送持続時間内の１つ以上のトランスポートブロックを伝送するためであってもよい。
【０１４９】
実施形態によれば、無線デバイスは、アップリンクグラントに応答して、ＢＳＲを含む１つ以上のトランスポートブロックをさらに伝送することができる。実施形態によれば、１つ以上のトランスポートブロックは、物理アップリンク共有チャネルを介して、伝送され得る。実施形態によれば、トリガされたＢＳＲが、アップリンクデータが第１の論理チャネルに対して利用可能になることに応答しているとき、無線デバイスは、第１のＳＲリソースを介してＳＲを伝送することができる。トリガされたＢＳＲが、アップリンクデータが第２の論理チャネルに対して利用可能になることに応答しているとき、無線デバイスは、第２のＳＲリソースを介してＳＲを伝送することができる。実施形態によれば、第１の論理チャネルおよび第２の論理チャネルは、同じ基地局へのデータ伝送のためである。実施形態によれば、１つ以上のメッセージは、第１のＳＲリソースに対応する第１のＳＲ構成のための第１のＳＲ構成インデックスと、第２のＳＲリソースに対応する第２のＳＲ構成のための第２のＳＲ構成インデックスと、を示すことができる。実施形態によれば、第１のＳＲ構成は、１つ以上の第１のＳＲ禁止タイマ値および１つ以上の第１のＳＲ伝送カウンタ値を示すことができ、第２のＳＲ構成は、１つ以上の第２のＳＲ禁止タイマ値および１つ以上の第２のＳＲ伝送カウンタ値を示すことができる。実施形態によれば、１つ以上のメッセージは、第１の論理チャネルが第１のＳＲ構成に対応することと、第２の論理チャネルが第２のＳＲ構成に対応することと、を示すことができる。実施形態によれば、第１の伝送持続時間は、第１のトランスポートブロックの伝送に対する第１の伝送時間間隔を含むことができる。実施形態によれば、第１の論理チャネルは、第１のサービス品質要件に対応することができ、第２の論理チャネルは、第２のサービス品質要件に対応することができる。実施形態によれば、アップリンクグラントは、１つ以上のトランスポートブロックの伝送のための伝送パラメータを含むことができる。実施形態によれば、１つ以上のトランスポートブロックは、第１の論理チャネルまたは第２の論理チャネルのうちの一方を含む１つ以上の論理チャネルからのデータを含むことができる。実施形態によれば、１つ以上のメッセージは、第１のセルが、第１の論理チャネルに対する許可されたサービングセルであることを示すことができ、アップリンクグラントは、第１のセルを介した１つ以上のトランスポートブロックの伝送を示すことができる。
【０１５０】
図３１は、本開示の実施形態の態様に基づく、例示的な流れ図である。３１１０において、無線デバイスは、基地局から１つ以上のメッセージを受信することができる。１つ以上のメッセージは、第１のスケジューリング要求（ＳＲ）リソースおよび第２のＳＲリソースを含むことができる。第１のＳＲリソースは、基地局のものであってもよく、第１の論理チャネルに対応してもよい。第２のＳＲリソースは、基地局のものであってもよく、第２の論理チャネルに対応してもよい。３１２０において、ＳＲは、アップリンクリソースが、トリガされたバッファステータスレポート（ＢＳＲ）を伝送するためには利用可能でないことに応答して、トリガされ得る。トリガされたＢＳＲは、アップリンクデータが、第１の論理チャネルまたは第２の論理チャネルのうちの一方に対して利用可能になることに応答してもよい。３１３０において、ＳＲは、ＢＳＲをトリがした論理チャネルに対応するＳＲリソースを介して、基地局に伝送され得る。ＳＲリソースは、第１の論理チャネルに対応する第１のＳＲリソースと、第２の論理チャネルに対応する第２のＳＲリソースと、のうちのいずれかであってもよい。３１４０において、基地局は、ＳＲを伝送することに応答して、１つ以上のトランスポートブロックのためのアップリンクグラントを受信することができる。
【０１５１】
図３２は、本開示の実施形態の態様に基づく、例示的な流れ図である。３２１０において、無線デバイスは、１つ以上のメッセージを受信することができる。１つ以上のメッセージは、第１のスケジューリング要求（ＳＲ）構成パラメータ、第２のＳＲ構成パラメータ、および論理チャネル構成パラメータを示すことができる。第１のＳＲ構成パラメータは、第１のタイマに対する第１のタイマ値を示すことができる。第２のＳＲ構成パラメータは、第２のタイマに対する第２のタイマ値を示すことができる。論理チャネル構成パラメータは、１つ以上の伝送持続時間に対応する１つ以上の論理チャネルのためであってもよい。３２２０において、１つ以上のダウンリンク制御情報が、受信され得る。１つ以上のダウンリンク制御情報は、１つ以上の伝送持続時間に関連付けられた１つ以上のアップリンクグラントを示すことができる。１つ以上の論理チャネルが、伝送のための利用可能なデータを有する１つ以上の第１の論理チャネルを含み（３２３０において）、かつ１つ以上のアップリンクグラントの第１のサイズが、利用可能なデータを有する１つ以上の第１の論理チャネルの第２のサイズよりも大きい（３２４０）ことに応答して、第１のＳＲは、３２５０において、キャンセルされ得る。第１のＳＲは、第１のＳＲ構成に対応し、第２のＳＲは、第２のＳＲ構成に対応し得る。第１のタイマおよび第２のタイマは、３２６０において、停止され得る。
【０１５２】
図３３は、本開示の実施形態の態様に基づく、例示的な流れ図である。３３１０において、無線デバイスは、基地局から１つ以上のメッセージを受信することができる。１つ以上のメッセージは、第１のスケジューリング要求（ＳＲ）リソースを示すことができる。第１のＳＲリソースは、第１の値に至るまでの１つ以上の第１の伝送持続時間に対応する第１の論理チャネルに対応することができる。３３２０において、第１のＳＲは、データが第１の論理チャネルに対して利用可能になることに応答して、トリガされ得る。３３３０において、第２のＳＲは、データが第２の論理チャネルに対して利用可能になることに応答して、トリガされ得る。有効なＳＲリソースが、第２のＳＲ（３３４０）に対して構成されない場合は、３３５０において、ランダムアクセスプロシージャが、開始され得、第２のＳＲは、キャンセルされ得、そして第１のＳＲは、待ち状態に保持され得る。３３６０において、第１のＳＲは、第１のＳＲのトリガに応答して、第１のＳＲリソースを介して基地局に伝送され得る。３３７０において、アップリンクグラントは、基地局から受信され得る。アップリンクグラントは、第１の値に至るまでの伝送持続時間内に１つ以上のトランスポートブロックを伝送するためであってもよい。
【０１５３】
実施形態によれば、１つ以上のトランスポートブロックは、物理アップリンク共有チャネルを介して、伝送される。実施形態によれば、第１の論理チャネルおよび第２の論理チャネルは、同じ基地局へのデータ伝送のためである。実施形態によれば、第１の値は、最大伝送持続時間値であってもよい。実施形態によれば、１つ以上のメッセージは、第１のＳＲリソースに対応する第１のＳＲ構成のための第１のＳＲ構成インデックスを示すことができる。実施形態によれば、１つ以上のメッセージは、第１の論理チャネルが第１のＳＲ構成に対応することを示すことができる。実施形態によれば、第１のＳＲ構成は、１つ以上の第１のタイマ値および１つ以上の第１のカウンタ値を示すことができる。実施形態によれば、第１の伝送持続時間は、第１のトランスポートブロックの伝送に対する第１の伝送時間間隔を含むことができる。実施形態によれば、第１の論理チャネルは、第１のサービス品質要件に対応することができ、第２の論理チャネルは、第２のサービス品質要件に対応することができる。実施形態によれば、アップリンクグラントは、１つ以上のトランスポートブロックの伝送のための伝送パラメータを含むことができる。実施形態によれば、１つ以上のトランスポートブロックは、第１の論理チャネルを含む１つ以上の論理チャネルからのデータを含むことができる。実施形態によれば、１つ以上のメッセージは、１つ以上のランダムアクセスパラメータを示すことができる。
【０１５４】
図３４は、本開示の実施形態の態様に基づく、例示的な流れ図である。３４１０において、無線デバイスは、基地局から１つ以上のメッセージを受信することができる。１つ以上のメッセージは、第１の論理チャネルに対応する第１のスケジューリング要求（ＳＲ）リソースを示すことができる。３４２０において、第１のＳＲが、データが第１の論理チャネルに対して利用可能になることに応答して、トリガされ得る。３４３０において、第２のＳＲは、データが第２の論理チャネルに対して利用可能になることに応答して、トリガされ得る。有効なＳＲリソースが、第２のＳＲに対して構成されない場合（３４４０）、３４５０において、ランダムアクセスプロシージャが、開始され得、第２のＳＲは、キャンセルされ得、そして第１のＳＲは、待ち状態に保持され得る。３４６０において、第１のＳＲは、第１のＳＲをトリガすることに応答して、第１のＳＲリソースを介して基地局に伝送され得る。３４７０において、１つ以上のトランスポートブロックの伝送のためのアップリンクグラントが、基地局から受信され得る。
【０１５５】
図３５は、本開示の実施形態の態様に基づく、例示的な流れ図である。３５１０において、無線デバイスは、基地局から１つ以上のメッセージを受信することができる。１つ以上のメッセージは、第１のカウンタ値および第２のカウンタ値を示すことができる。第１のカウンタ値は、基地局の第１のスケジューリング要求（ＳＲ）構成の第１のカウンタのためであってもよい。第１のＳＲ構成は、第１の論理チャネルに対応することができる。第２のカウンタ値は、基地局の第２のＳＲ構成の第２のカウンタのためであってもよい。第２のＳＲ構成は、第２の論理チャネルに対応することができる。３５２０において、第１のＳＲ構成に対応する第１のＳＲは、データが第１の論理チャネルに対して利用可能になることに応答して、トリガされ得る。３５３０において、第１のカウンタは、第１のＳＲ構成待ち状態に対応する他のＳＲがないことに応答して、第１の初期値に設定され得る。３５４０において、第２のＳＲ構成に対応する第２のＳＲは、データが第２の論理チャネルに対して利用可能になることに応答して、トリガされ得る。３５５０において、第２のカウンタは、  第２のＳＲ構成待ち状態に対応する他のＳＲがないことに応答して、第２の初期値に設定され得る。３５６０において、第１のカウンタが第１のカウンタ値に到達するか、または第２のカウンタが第２のカウンタ値に到達することに応答して、ランダムアクセスプリアンブルが、基地局に伝送され得る。
【０１５６】
実施形態によれば、第１の論理チャネルおよび第２の論理チャネルは、同じ基地局へのデータ伝送のためである。実施形態によれば、第１の初期値は、ゼロであってもよい。実施形態によれば、第２の初期値は、ゼロであってもよい。実施形態によれば、１つ以上のメッセージは、第１のＳＲ構成のための第１のＳＲ構成インデックス、および第２のＳＲのための第２のＳＲ構成インデックスを示すことができる。実施形態によれば、１つ以上のメッセージは、第１の論理チャネルが第１のＳＲ構成に対応することと、第２の論理チャネルが第２のＳＲ構成に対応することと、を示すことができる。実施形態によれば、第１のＳＲ構成は、１つ以上の第１のＳＲ禁止タイマ値を示すことができ、第２のＳＲ構成は、１つ以上の第２のＳＲ禁止タイマ値を示す。実施形態によれば、第１の論理チャネルは、第１のサービス品質要件に対応することができ、第２の論理チャネルは、第２のサービス品質要件に対応することができる。実施形態、すなわち１によれば、第１のカウンタは、第１のＳＲを伝送することに応答して、インクリメントされ得る。実施形態によれば、第２のカウンタは、第２のＳＲを伝送することに応答して、インクリメントされ得る。実施形態によれば、ランダムアクセス応答は、基地局から受信している場合がある。
【０１５７】
図３６は、本開示の実施形態の態様に基づく、例示的な流れ図である。３６１０において、無線デバイスは、パラメータを構成し得る。構成パラメータは、１つ以上の第１の論理チャネルまたは１つ以上の第２の論理チャネルにおける論理チャネルに対する第１のパラメータと、１つ以上の第１の論理チャネルに対応する第１のタイマに対する第１のタイマ値と、１つ以上の第２の論理チャネルに対応する第２のタイマに対する第２のタイマ値と、を含むことができる。３６２０において、バッファステータスレポートは、データが論理チャネルに対して利用可能になることに応答して、トリガされ得る。３６３０において、第１のタイマまたは第２のタイマのうちの一方は、１つ以上の第１の論理チャネルが論理チャネルを含むか、または１つ以上の第２の論理チャネルが論理チャネルを含むかどうかに基づいて、開始され得る。３６４０において、スケジューリング要求は、アップリンクリソースが、バッファステータスレポートを伝送するためには利用可能でないことと、第１のタイマまたは第２のタイマのうちの一方が、進行していないことと、に応答して、伝送され得る。
【０１５８】
本明細書では、「ａ」および「ａｎ」、ならびに同様の成句は、「少なくとも１つ」および「１つ以上」と解釈されるべきである。本明細書では、用語「ｍａｙ」は、「場合があり、例えば」と解釈されるべきである。換言すれば、用語「ｍａｙ」は、用語「ｍａｙ」の後に続く成句が、様々な実施形態のうちの１つ以上に用いられるかもしれない、または用いられないかもしれないという数多くの適正な可能性のうちの１つの例であることを暗示している。ＡおよびＢが集合であり、Ａの各要素もまた、Ｂの要素である場合、Ａは、Ｂの部分集合と呼ばれる。本明細書では、空でない集合および部分集合のみが考慮されている。例えば、Ｂ＝｛セル１、セル２｝の可能な部分集合は、｛セル１｝、｛セル２｝、および｛セル１、セル２｝である。
【０１５９】
本明細書では、パラメータ｛情報要素：ＩＥ｝は１つ以上のオブジェクトを含んでもよく、それらのオブジェクトの各々は１つ以上の他のオブジェクトを含んでもよい。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的実施形態においては、１つ以上のメッセージが複数のパラメータを含むとき、それは、複数のパラメータのうちのパラメータが１つ以上のメッセージのうちの少なくとも１つに含まれるが、１つ以上のメッセージの各々に含まれる必要はないことを意味する。
【０１６０】
開示された実施形態に記載された要素の多くは、モジュールとして具現化されてもよい。モジュールは、ここでは、定義された機能を実行し、他の要素への定義されたインターフェースを有する分離可能な要素として定義されている。本開示に記載されるモジュールは、ハードウェア、ハードウェアと組み合わせたソフトウェア、ファームウェア、ウェットウェア（すなわち、生物学的要素を有するハードウェア）、またはそれらの組み合わせにおいて実装され得、それらは全て挙動的に等価である。例えば、モジュールは、ハードウェアマシンによって実行されるように構成されたコンピュータ言語（Ｃ、Ｃ＋＋、Ｆｏｒｔｒａｎ、Ｊａｖａ（登録商標）、Ｂａｓｉｃ、Ｍａｔｌａｂ、もしくは同等物など）で書かれたソフトウェアルーチン、またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔなどのモデリング／シミュレーションプログラムとして実装され得る。さらに、個別の、またはプログラム可能なアナログ、デジタル、および／もしくは量子ハードウェアを組み込む物理的ハードウェアを使用して、モジュールを具現化することが可能であり得る。プログラム可能なハードウェアの例としては、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、およびＣＰＬＤは、プログラマブルデバイスの機能がより少ない内部ハードウェアモジュール間の接続を構成する、ＶＨＳＩＣハードウェア記述言語（ＶＨＤＬ）またはＶｅｒｉｌｏｇなどのハードウェア記述言語（ＨＤＬ）を使用してプログラムされることが多い。最後に、上記の技術はしばしば機能モジュールの結果を達成するために組み合わせて使用されることを強調しておく必要がある。
【０１６１】
この特許文書の開示は、著作権保護の対象となる資料を組み込んでいる。著作権所有者は、特許商標庁の特許ファイルまたは記録に記載されているように、法律によって要求される限られた目的のために、誰かによる特許文書または特許開示の複製に反対しないが、それ以外の場合は、すべての著作権を留保する。
【０１６２】
種々の実施形態を上述したが、それらは限定ではなく例として提示されたことを理解されたい。当業者には、趣旨および範囲を逸脱することなく。形態および詳細の様々な変更をなし得ることが明らかであろう。実際、上記の説明を読んだ後、代替的な実施形態をどのように実装するかは当業者には明らかであろう。したがって、本実施形態は、上述の例示的な実施形態のいずれによっても限定されるべきではない。特に、例示の目的のために、上記の説明は、ＦＤＤ通信システムを使用する例（複数可）に焦点を合わせていることに留意されたい。しかしながら、当業者は、本開示の実施形態が１つ以上のＴＤＤセル（例えば、認可促進されたフレーム構造２および／またはフレーム構造３）を含むシステムにおいても具現化され得ることを認識するであろう。開示された方法およびシステムは、無線または有線システムにおいて具現化されてもよい。本開示に提示された種々の実施形態の特徴は組み合わされてもよい。一実施形態の１つ以上の特徴（方法またはシステム）は、他の実施形態において具現化され得る。限られた数の例示的な組み合わせのみが、強化された送信および受信システムおよび方法を作成するために種々の実施形態において組み合わされ得る特徴の可能性を当業者に示すために示される。
【０１６３】
さらに、機能性および利点を強調する図は、いずれも例示目的のみのために提示されていることを理解されたい。開示されたアーキテクチャは、示されたもの以外の方法で利用され得るように、十分に柔軟性があり、かつ構成可能である。例えば、いくつかの実施形態においては、任意のフローチャートに列挙された動作は、並べ替えられてもよく、または単に任意選択で使用されてもよい。
【０１６４】
さらに、開示の要約の目的は、米国特許商標庁および一般大衆、特に特許または法的用語または表現に精通していない当該分野の科学者、技術者および実務家が、一瞥して出願の技術的な開示の性質と本質を迅速に判断できるようにすることである。開示の要約は、いかなる意味においても範囲を限定することを意図するものではない。
【０１６５】
最後に、「ための手段」または「ためのステップ」という明示的な用語を含む請求項のみが、３５  Ｕ．Ｓ．Ｃ．１１２、段落６の下で解釈されることが出願人の意図である。「する手段」または「するステップ」という語句を明示的に含まない請求項は、３５Ｕ．Ｓ．Ｃ．１１２に基づいて解釈されるべきではない。
例えば、本願は以下の項目を提供する。
（項目１）
方法であって、
基地局から、無線デバイスによって、１つ以上のメッセージを受信することであって、上記１つ以上のメッセージが、
第１の論理チャネルに対応する、上記基地局の第１のスケジューリング要求（ＳＲ）リソースであって、上記第１の論理チャネルが、第１の値に至るまで１つ以上の第１の伝送持続時間に対応する、第１のスケジューリング要求（ＳＲ）リソースと、
第２の論理チャネルに対応する、上記基地局の第２のＳＲリソースであって、上記第２の論理チャネルが、第２の値に至るまで１つ以上の第２の伝送持続時間に対応する、第２のＳＲリソースと、を示す、受信することと、
アップリンクリソースがトリガされたバッファステータスレポート（ＢＳＲ）の伝送のためには利用可能ではないことに応答して、ＳＲをトリガすることであって、上記トリガされたＢＳＲは、アップリンクデータが上記第１の論理チャネルまたは上記第２の論理チャネルのうちの一方に対して利用可能になることに応答している、トリガすることと、
上記基地局に、上記ＢＳＲをトリガした論理チャネルに対応するＳＲリソースを介して、上記ＳＲを伝送することであって、上記ＳＲリソースが、
上記第１の論理チャネルに対応する上記第１のＳＲリソース、または
上記第２の論理チャネルに対応する上記第２のＳＲリソース、のうちの一方である、伝送することと、
上記基地局から、上記ＳＲを伝送することに応答して、上記第１の論理チャネルまたは上記第２の論理チャネルのうちの上記一方に対応する伝送持続時間内における１つ以上のトランスポートブロックの伝送のためのアップリンクグラントを受信することと、を含む、方法。
（項目２）
上記アップリンクグラントに応答して、上記ＢＳＲを含む上記１つ以上のトランスポートブロックを伝送することをさらに含む、項目１に記載の方法。
（項目３）
上記１つ以上のトランスポートブロックが、物理アップリンク共有チャネルを介して伝送される、項目１または２に記載の方法。
（項目４）
上記ＳＲを上記伝送することは、上記トリガされたＢＳＲが、アップリンクデータが上記第１の論理チャネルに対して利用可能になることに応答しているときに、上記第１のＳＲリソースを介しており、
上記ＳＲを上記伝送することは、上記トリガされたＢＳＲが、アップリンクデータが上記第２の論理チャネルに対して利用可能になることに応答しているときに、上記第２のＳＲリソースを介している、項目１〜３のうちのいずれか一項に記載の方法。
（項目５）
上記第１の論理チャネルおよび上記第２の論理チャネルが、同じ基地局へのデータ伝送のためである、項目１〜４のうちのいずれか一項に記載の方法。
（項目６）
上記１つ以上のメッセージが、
上記第１のＳＲリソースに対応する第１のＳＲ構成のための第１のＳＲ構成インデックスと、
上記第２のＳＲリソースに対応する第２のＳＲ構成のための第２のＳＲ構成インデックスと、を示す、項目１または５のうちのいずれか一項に記載の方法。
（項目７）
上記第１のＳＲ構成が、１つ以上の第１のＳＲ禁止タイマ値と、１つ以上の第１のＳＲ伝送カウンタ値と、を示し、
上記第２のＳＲ構成が、１つ以上の第２のＳＲ禁止タイマ値と、１つ以上の第２のＳＲ伝送カウンタ値と、を示す、項目１〜６のうちのいずれか一項に記載の方法。
（項目８）
上記１つ以上のメッセージは、
上記第１の論理チャネルが、上記第１のＳＲ構成に対応することと、
上記第２の論理チャネルが、上記第２のＳＲ構成に対応することと、を示す、項目１〜７のうちのいずれか一項に記載の方法。
（項目９）
上記１つ以上の第１の伝送持続時間のうちの第１の伝送持続時間が、第１の伝送時間間隔における第１のトランスポートブロックの伝送のためである、項目１〜８のうちのいずれか一項に記載の方法。
（項目１０）
上記第１の論理チャネルが、第１のサービス品質要件に対応し、上記第２の論理チャネルが、第２のサービス品質要件に対応する、項目１〜９のうちのいずれか一項に記載の方法。
（項目１１）
上記アップリンクグラントが、上記１つ以上のトランスポートブロックの上記伝送のための伝送パラメータを含む、項目１〜１０のうちのいずれか一項に記載の方法。
（項目１２）
上記１つ以上のトランスポートブロックが、上記第１の論理チャネルまたは上記第２の論理チャネルのうちの上記一方を含む１つ以上の論理チャネルからのデータを含む、項目１〜１１のうちのいずれか一項に記載の方法。
（項目１３）
上記１つ以上のメッセージは、第１のセルが上記第１の論理チャネルのための許可されたサービングセルであることを示し、
上記アップリンクグラントが、上記第１のセルを介して、上記１つ以上のトランスポートブロックの上記伝送を示す、項目１〜１２のうちのいずれか一項に記載の方法。
（項目１４）
無線デバイスであって、
１つ以上のプロセッサと、
命令を格納するメモリであって、上記命令が、上記１つ以上のプロセッサによって実行されたときに、上記無線デバイスに、
基地局から、
第１の論理チャネルに対応する、上記基地局の第１のスケジューリング要求（ＳＲ）リソースであって、上記第１の論理チャネルが、第１の値に至るまで、１つ以上の第１の伝送持続時間に対応する、第１のスケジューリング要求（ＳＲ）リソースと、
第２の論理チャネルに対応する、上記基地局の第２のＳＲリソースであって、上記第２の論理チャネルが、第２の値に至るまで、１つ以上の第２の伝送持続時間に対応する、第２のＳＲリソースと、を示す、１つ以上のメッセージを受信することと、
アップリンクリソースがトリガされたバッファステータスレポート（ＢＳＲ）の伝送のために利用可能でないことに応答して、ＳＲをトリガすることであって、上記トリガされたＢＳＲは、アップリンクデータが上記第１の論理チャネルまたは上記第２の論理チャネルのうちの一方に対して利用可能になることに応答している、トリガすることと、
上記基地局に、上記ＢＳＲをトリガした論理チャネルに対応するＳＲリソースを介して上記ＳＲを伝送することであって、上記ＳＲリソースが、
上記第１の論理チャネルに対応する上記第１のＳＲリソース、または
上記第２の論理チャネルに対応する上記第２のＳＲリソース、のうちの一方である、伝送することと、
上記基地局から、上記ＳＲを上記伝送することに応答して、上記第１の論理チャネルまたは上記第２の論理チャネルのうちの上記一方に対応する伝送持続時間内に１つ以上のトランスポートブロックの伝送のためのアップリンクグラントを受信することと、を行わせる、メモリと、を備える、無線デバイス。
（項目１５）
上記命令は、実行されたときに、上記無線デバイスに、上記アップリンクグラントに応答して、上記ＢＳＲを含む上記１つ以上のトランスポートブロックをさらに伝送させる、項目１４に記載の無線デバイス。
（項目１６）
上記１つ以上のトランスポートブロックが、物理アップリンク共有チャネルを介して伝送される、項目１４または１５のうちのいずれか一項に記載の無線デバイス。
（項目１７）
上記ＳＲを上記伝送することは、上記トリガされたＢＳＲが、アップリンクデータが上記第１の論理チャネルに対して利用可能になることに応答しているときに、上記第１のＳＲリソースを介しており、
上記ＳＲを上記伝送することは、上記トリガされたＢＳＲが、アップリンクデータが上記第２の論理チャネルに対して利用可能になることに応答しているときに、上記第２のＳＲリソースを介している、項目１４〜１６のうちのいずれか一項に記載の無線デバイス。
（項目１８）
上記第１の論理チャネルおよび上記第２の論理チャネルが、同じ基地局へのデータ伝送のためである、項目１４〜１７のうちのいずれか一項に記載の無線デバイス。
（項目１９）
上記１つ以上のメッセージが、
上記第１のＳＲリソースに対応する第１のＳＲ構成のための第１のＳＲ構成インデックスと、
上記第２のＳＲリソースに対応する第２のＳＲ構成のための第２のＳＲ構成インデックスと、を示す、項目１４〜１８のうちのいずれか一項に記載の無線デバイス。
（項目２０）
上記第１のＳＲ構成が、１つ以上の第１のＳＲ禁止タイマ値と、１つ以上の第１のＳＲ伝送カウンタ値と、を示し、
上記第２のＳＲ構成が、１つ以上の第２のＳＲ禁止タイマ値と、１つ以上の第２のＳＲ伝送カウンタ値と、を示す、項目１４〜１９のうちのいずれか一項に記載の無線デバイス。
（項目２１）
上記１つ以上のメッセージは、
上記第１の論理チャネルが、上記第１のＳＲ構成に対応することと、
上記第２の論理チャネルが、上記第２のＳＲ構成に対応することと、を示す、項目１４〜２０のうちのいずれか一項に記載の無線デバイス。
（項目２２）
上記１つ以上の第１の伝送持続時間のうちの第１の伝送持続時間が、第１の伝送時間間隔において、第１のトランスポートブロックの伝送のためである、項目１４〜２１のうちのいずれか一項に記載の無線デバイス。
（項目２３）
上記第１の論理チャネルが、第１のサービス品質要件に対応し、上記第２の論理チャネルが、第２のサービス品質要件に対応する、項目１４〜２２のうちのいずれか一項に記載の無線デバイス。
（項目２４）
上記アップリンクグラントが、上記１つ以上のトランスポートブロックの上記伝送のための伝送パラメータを含む、項目１４〜２３のうちのいずれか一項に記載の無線デバイス。
（項目２５）
上記１つ以上のトランスポートブロックが、上記第１の論理チャネルまたは上記第２の論理チャネルのうちの上記一方を含む１つ以上の論理チャネルからのデータを含む、項目１４〜２４のうちのいずれか一項に記載の無線デバイス。
（項目２６）
上記１つ以上のメッセージは、第１のセルが上記第１の論理チャネルのための許可されたサービングセルであることを示し、
上記アップリンクグラントが、上記第１のセルを介して、上記１つ以上のトランスポートブロックの上記伝送を示す、項目１４〜２５のうちのいずれか一項に記載の無線デバイス。
（項目２７）
方法であって、
基地局から、無線デバイスによって、
上記基地局の、第１の論理チャネルに対応する第１のスケジューリング要求（ＳＲ）リソースと、
上記基地局の、第２の論理チャネルに対応する第２のＳＲリソースと、を示す、１つ以上のメッセージ受信することと、
アップリンクリソースがトリガされたバッファステータスレポート（ＢＳＲ）の伝送のためには利用可能でないことに応答して、ＳＲをトリガすることであって、上記トリガされたＢＳＲは、アップリンクデータが上記第１の論理チャネルまたは上記第２の論理チャネルのうちの一方に対して利用可能になることに応答している、トリガすることと、
上記基地局に、上記ＢＳＲをトリガした論理チャネルに対応するＳＲリソースを介して、上記ＳＲを伝送することであって、上記ＳＲリソースが、
上記第１の論理チャネルに対応する上記第１のＳＲリソース、または
上記第２の論理チャネルに対応する上記第２のＳＲリソース、のうちの一方である、伝送することと、
上記基地局から、上記ＳＲを上記伝送することに応答して、１つ以上のトランスポートブロックの伝送のためのアップリンクグラントを受信することと、を含む、方法。
（項目２８）
上記アップリンクグラントに応答して、上記ＢＳＲを含む上記１つ以上のトランスポートブロックを伝送することをさらに含む、項目２７に記載の方法。
（項目２９）
上記１つ以上のメッセージが、
上記第１のＳＲリソースに対応する第１のＳＲ構成のための第１のＳＲ構成インデックスと、
上記第２のＳＲリソースに対応する第２のＳＲ構成のための第２のＳＲ構成インデックスと、を示す、項目２７または２８のうちのいずれか一項に記載の方法。
（項目３０）
上記第１のＳＲ構成が、１つ以上の第１のＳＲ禁止タイマ値と、１つ以上の第１のＳＲ伝送カウンタ値と、を示し、
上記第２のＳＲ構成が、１つ以上の第２のＳＲ禁止タイマ値と、１つ以上の第２のＳＲ伝送カウンタ値と、を示す、項目２７〜２９のうちのいずれか一項に記載の方法。
（項目３１）
上記１つ以上のメッセージが、
上記第１の論理チャネルが、上記第１のＳＲ構成に対応することと、
上記第２の論理チャネルが、上記第２のＳＲ構成に対応することと、を示す、項目２７〜３０のうちのいずれか一項に記載の方法。
（項目３２）
上記第１の論理チャネルが、第１のサービス品質要件に対応し、上記第２の論理チャネルが、第２のサービス品質要件に対応する、項目２７〜３１のうちのいずれか一項に記載の方法。
（項目３３）
上記アップリンクグラントが、上記１つ以上のトランスポートブロックの上記伝送のための伝送パラメータを含む、項目２７〜３２のうちのいずれか一項に記載の方法。
（項目３４）
上記１つ以上のトランスポートブロックが、上記第１の論理チャネルまたは上記第２の論理チャネルのうちの上記一方を含む１つ以上の論理チャネルからのデータを含む、項目２７〜３３のうちのいずれか一項に記載の方法。
（項目３５）
方法であって、
無線デバイスによって、
第１のタイマに対する第１のタイマ値を示す第１のスケジューリング要求（ＳＲ）構成パラメータと、
第２のタイマに対する第２のタイマ値を示す第２のスケジューリング要求（ＳＲ）構成パラメータと、
１つ以上の伝送パラメータに対応する１つ以上の論理チャネルのための論理チャネル構成パラメータと、を含む、１つ以上のメッセージを受信することと、
上記１つ以上の伝送持続時間と関連付けられた１つ以上のアップリンクグラントを示す１つ以上のダウンリンク制御情報を受信することであって、
上記１つ以上の論理チャネルが、伝送のための利用可能なデータを有する１つ以上の第１の論理チャネルを含むことと、
上記１つ以上のアップリンクグラントの第１のサイズが、利用可能なデータを有する上記１つ以上の第１の論理チャネルの第２のサイズよりも大きいことであって、
上記第１のＳＲ構成に対応する第１のＳＲ、および上記第２のＳＲ構成に対応する第２のＳＲをキャンセルし、
上記第１のタイマおよび上記第２のタイマを停止する、大きいことと、に応答して、受信することと、を含む、方法。
（項目３６）
上記１つ以上のメッセージが、
上記第１のＳＲ構成パラメータに対応する第１のＳＲ構成の第１のＳＲ構成インデックスと、
上記第２のＳＲ構成パラメータに対応する第２のＳＲ構成の第２のＳＲ構成インデックスと、を示す、項目３５に記載の方法。
（項目３７）
上記第１のＳＲ構成パラメータが、第１のカウンタに対する第１のカウンタ値をさらに示し、
上記第２のＳＲ構成パラメータが、第２のカウンタに対する第２のカウンタ値をさらに示す、項目３５または３６のいずれか一項に記載の方法。
（項目３８）
上記１つ以上のメッセージが、
少なくとも１つの第１の論理チャネルが、上記第１のＳＲ構成に対応することと、
少なくとも１つの第２の論理チャネルが、上記第２のＳＲ構成に対応することと、を示す、項目３５〜３７のうちのいずれか一項に記載の方法。
（項目３９）
データが上記少なくとも１つの第１の論理チャネルにおいて第１の論理チャネルに対して利用可能になることに応答して、第１のＳＲをトリガすることと、
データが上記少なくとも１つの第２の論理チャネルにおいて第２の論理チャネルに対して利用可能になることに応答して、第２のＳＲをトリガすることと、をさらに含む、項目３５〜３８のうちのいずれか一項に記載の方法。
（項目４０）
方法であって、
基地局から、無線デバイスによって、第１の値に至るまで、１つ以上の第１の伝送持続時間に対応する第１の論理チャネルに対応する第１のスケジューリング要求（ＳＲ）リソースを示す１つ以上のメッセージを受信することと、
データが上記第１の論理チャネルに対して利用可能になることに応答して、第１のＳＲをトリガすることと、
データが上記第２の論理チャネルに対して利用可能になることに応答して、第２のＳＲをトリガすることと、
有効なＳＲリソースが、上記第２のＳＲのために構成されていない場合、
ランダムアクセスプロシージャを開始することと、
上記第２のＳＲをキャンセルし、かつ上記第１のＳＲを待ち状態に維持することと、を行うことと、
上記基地局に、上記第１のＳＲの上記トリガすることに応答して、上記第１のＳＲリソースを介して、上記第１のＳＲを伝送することと、
上記基地局から、上記第１の値に至るまでの伝送持続時間内に、１つ以上のトランスポートブロックの伝送のためのアップリンクグラントを受信することと、を含む、方法。
（項目４１）
上記１つ以上のトランスポートブロックが、物理アップリンク共有チャネルを介して伝送される、項目４０に記載の方法。
（項目４２）
上記第１の論理チャネルおよび上記第２の論理チャネルが、同じ基地局へのデータ伝送のためである、項目４０または４１のうちのいずれか一項に記載の方法。
（項目４３）
上記第１の値が、最大伝送持続時間値である、項目４０〜４２のうちのいずれか一項に記載の方法。
（項目４４）
上記１つ以上のメッセージが、上記第１のＳＲリソースに対応する第１のＳＲ構成に対する第１のＳＲ構成インデックスを示す、項目４０〜４３のうちのいずれか一項に記載の方法。
（項目４５）
上記１つ以上のメッセージは、上記第１の論理チャネルが、上記第１のＳＲ構成に対応することを示す、項目４０〜４４のうちのいずれか一項に記載の方法。
（項目４６）
上記第１のＳＲ構成が、１つ以上の第１のタイマ値、および１つ以上の第１のカウンタ値を示す、項目４０〜４５のうちのいずれか一項に記載の方法。
（項目４７）
第１の伝送持続時間が、第１のトランスポートブロックの伝送のための第１の伝送時間間隔を含む、項目４０〜４６のうちのいずれか一項に記載の方法。
（項目４８）
上記第１の論理チャネルが、第１のサービス品質要件に対応し、上記第２の論理チャネルが、第２のサービス品質要件に対応する、項目４０〜４７のうちのいずれか一項に記載の方法。
（項目４９）
上記アップリンクグラントが、上記１つ以上のトランスポートブロックの上記伝送のための伝送パラメータを含む、項目４０〜４８のうちのいずれか一項に記載の方法。
（項目５０）
上記１つ以上のトランスポートブロックが、上記第１の論理チャネルを含む１つ以上の論理チャネルからのデータを含む、項目４０〜４９のうちのいずれか一項に記載の方法。
（項目５１）
上記１つ以上のメッセージが、１つ以上のランダムアクセスパラメータを示す、項目４０〜５０のうちのいずれか一項に記載の方法。
（項目５２）
無線デバイスであって、
１つ以上のプロセッサと、
命令を格納するメモリであって、上記命令が、上記１つ以上のプロセッサによって実行されたときに、上記無線デバイスに、
基地局から、第１の値に至るまで、１つ以上の第１の伝送持続時間に対応する第１の論理チャネルに対応する第１のスケジューリング要求（ＳＲ）リソースを示す１つ以上のメッセージを受信することと、
データが上記第１の論理チャネルに対して利用可能になることに応答して、第１のＳＲをトリガすることと、
データが上記第２の論理チャネルに対して利用可能になることに応答して、第２のＳＲをトリガすることと、
有効なＳＲリソースが、上記第２のＳＲのために構成されていない場合、
ランダムアクセスプロシージャを開始することと、
上記第２のＳＲをキャンセルし、かつ上記第１のＳＲを待ち状態に維持することと、を行うことと、
上記基地局に、上記第１のＳＲの上記トリガすることに応答して、上記第１のＳＲリソースを介して、上記第１のＳＲを伝送することと、
上記基地局から、上記第１の値に至るまでの伝送持続時間内に、１つ以上のトランスポートブロックの伝送のためのアップリンクグラントを受信することと、を行わせる、メモリと、を備える、無線デバイス。
（項目５３）
上記１つ以上のトランスポートブロックが、物理アップリンク共有チャネルを介して伝送される、項目５２に記載の無線デバイス。
（項目５４）
上記第１の論理チャネルおよび上記第２の論理チャネルが、同じ基地局へのデータ伝送のためである、項目５２または５３のうちのいずれか一項に記載の無線デバイス。
（項目５５）
上記第１の値が、最大伝送持続時間値である、項目５２〜５４のうちのいずれか一項に記載の無線デバイス。
（項目５６）
上記１つ以上のメッセージが、上記第１のＳＲリソースに対応する第１のＳＲ構成に対する第１のＳＲ構成インデックスを示す、項目５２〜５５のうちのいずれか一項に記載の無線デバイス。
（項目５７）
上記１つ以上のメッセージは、上記第１の論理チャネルが、上記第１のＳＲ構成に対応することを示す、項目５２〜５６のうちのいずれか一項に記載の無線デバイス。
（項目５８）
上記第１のＳＲ構成が、１つ以上の第１のＳＲ禁止タイマ値、および１つ以上の第１のＳＲ伝送カウンタ値を示す、項目５２〜５７のうちのいずれか一項に記載の無線デバイス。
（項目５９）
第１の伝送持続時間が、第１のトランスポートブロックの伝送のための第１の伝送時間間隔を含む、項目５２〜５８のうちのいずれか一項に記載の無線デバイス。
（項目６０）
上記第１の論理チャネルが、第１のサービス品質要件に対応し、上記第２の論理チャネルが、第２のサービス品質要件に対応する、項目５２〜５９のうちのいずれか一項に記載の無線デバイス。
（項目６１）
上記アップリンクグラントが、上記１つ以上のトランスポートブロックの上記伝送のための伝送パラメータを含む、項目５２〜６０のうちのいずれか一項に記載の無線デバイス。
（項目６２）
上記１つ以上のトランスポートブロックが、上記第１の論理チャネルを含む１つ以上の論理チャネルからのデータを含む、項目５２〜６１のうちのいずれか一項に記載の無線デバイス。
（項目６３）
上記１つ以上のメッセージが、１つ以上のランダムアクセスパラメータを示す、項目５２〜６２のうちのいずれか一項に記載の無線デバイス。
（項目６４）
方法であって、
基地局から、無線デバイスによって、第１の論理チャネルに対応する第１のスケジューリング要求（ＳＲ）リソースを示す１つ以上のメッセージを受信することと、
データが上記第１の論理チャネルに対して利用可能になることに応答して、第１のＳＲをトリガすることと、
データが上記第２の論理チャネルに対して利用可能になることに応答して、第２のＳＲをトリガすることと、
有効なＳＲリソースが、上記第２のＳＲのために構成されていない場合、
ランダムアクセスプロシージャを開始することと、
上記第２のＳＲをキャンセルし、かつ上記第１のＳＲを待ち状態に維持することと、を行うことと、
上記第１のＳＲの上記トリガすることに応答して、上記基地局に、上記第１のＳＲリソースを介して、上記第１のＳＲを伝送することと、
上記基地局から、１つ以上のトランスポートブロックの伝送のためのアップリンクグラントを受信することと、を含む、方法。
（項目６５）
上記１つ以上のトランスポートブロックが、物理アップリンク共有チャネルを介して伝送される、項目６４に記載の方法。
（項目６６）
上記第１の論理チャネルおよび上記第２の論理チャネルが、同じ基地局へのデータ伝送のためである、項目６４または６５のうちのいずれか一項に記載の方法。
（項目６７）
上記１つ以上のメッセージが、上記第１のＳＲリソースに対応する第１のＳＲ構成に対する第１のＳＲ構成インデックスを示す、項目６４〜６６のうちのいずれか一項に記載の方法。
（項目６８）
上記１つ以上のメッセージは、上記第１の論理チャネルが、上記第１のＳＲ構成に対応することを示す、項目６４〜６７のうちのいずれか一項に記載の方法。
（項目６９）
上記第１のＳＲ構成が、１つ以上の第１のＳＲ禁止タイマ値と、１つ以上の第１のＳＲ伝送カウンタ値と、を示す、項目６４〜６８のうちのいずれか一項に記載の方法。
（項目７０）
上記第１の論理チャネルが、第１のサービス品質要件に対応し、上記第２の論理チャネルが、第２のサービス品質要件に対応する、項目６４〜６９のうちのいずれか一項に記載の方法。
（項目７１）
上記アップリンクグラントが、上記１つ以上のトランスポートブロックの上記伝送のための伝送パラメータを含む、項目６４〜７０のうちのいずれか一項に記載の方法。
（項目７２）
上記１つ以上のトランスポートブロックが、上記第１の論理チャネルを含む１つ以上の論理チャネルからのデータを含む、項目６４〜７１のうちのいずれか一項に記載の方法。
（項目７３）
上記１つ以上のメッセージが、１つ以上のランダムアクセスパラメータを示す、項目６４〜７２のうちのいずれか一項に記載の方法。
（項目７４）
方法であって、
基地局から、無線デバイスによって、
上記基地局の第１のスケジューリング要求（ＳＲ）構成の第１のカウンタに対する第１のカウンタ値であって、上記第１のＳＲ構成が、第１の論理チャネルに対応する、第１のカウンタ値と、
上記基地局の第２のスケジューリング要求（ＳＲ）構成の第２のカウンタに対する第２のカウンタ値であって、上記第２のＳＲ構成が、第２の論理チャネルに対応する、第２のカウンタ値と、を示す、１つ以上のメッセージを受信することと、
データが上記第１の論理チャネルに対して利用可能になることに応答して、上記第１のＳＲ構成に対応する第１のＳＲをトリガすることと、
他のＳＲが上記第１のＳＲ構成待ち状態に対応しないことに応答して、上記第１のカウンタを第１の初期値に設定することと、
データが上記第２の論理チャネルに対して利用可能になることに応答して、上記第２のＳＲ構成に対応する第２のＳＲをトリガすることと、
他のＳＲが上記第２のＳＲ構成待ち状態に対応しないことに応答して、上記第２のカウンタを第２の初期値に設定することと、
上記第１のカウンタが、上記第１のカウンタ値に到達するか、または上記第２のカウンタが、上記第２のカウンタ値に到達することに応答して、上記基地局に、ランダムアクセスプリアンブルを伝送することと、を含む、方法。
（項目７５）
上記第１の論理チャネルおよび上記第２の論理チャネルが、同じ基地局へのデータ伝送のためである、項目７４に記載の方法。
（項目７６）
上記第１の初期値が、ゼロである、項目７４または７５のいずれか一項に記載の方法。
（項目７７）
上記第２の初期値が、ゼロである、項目７４〜７６のいずれか一項に記載の方法。
（項目７８）
上記１つ以上のメッセージが、上記第１のＳＲ構成のための第１のＳＲ構成インデックスと、上記第２のＳＲのための第２のＳＲ構成と、を示す、項目７４〜７７のいずれか一項に記載の方法。
（項目７９）
上記１つ以上のメッセージは、
上記第１の論理チャネルが、上記第１のＳＲ構成に対応することと、
上記第２の論理チャネルが、上記第２のＳＲ構成に対応することと、を示す、項目７４〜７８のうちのいずれか一項に記載の方法。
（項目８０）
上記第１のＳＲ構成が、１つ以上の第１のＳＲ禁止タイマ値を示し、
上記第２のＳＲ構成が、１つ以上の第２のＳＲ禁止タイマ値を示す、項目７４〜７９のうちのいずれか一項に記載の方法。
（項目８１）
上記第１の論理チャネルが、第１のサービス品質要件に対応し、上記第２の論理チャネルが、第２のサービス品質要件に対応する、項目７４〜８０のうちのいずれか一項に記載の方法。
（項目８２）
上記第１のＳＲを伝送することに応答して、上記第１のカウンタをインクリメントさせることをさらに含む、項目７４〜８１のうちのいずれか一項に記載の方法。
（項目８３）
上記第２のＳＲを伝送することに応答して、上記第２のカウンタをインクリメントさせることをさらに含む、項目７４〜８２のうちのいずれか一項に記載の方法。
（項目８４）
上記基地局から、ランダムアクセス応答を受信することをさらに含む、項目７４〜８３のうちのいずれか一項に記載の方法。
（項目８５）
無線デバイスであって、
１つ以上のプロセッサと、
命令を格納するメモリであって、上記命令が、上記１つ以上のプロセッサによって実行されたときに、上記無線デバイスに、
基地局から、
上記基地局の第１のスケジューリング要求（ＳＲ）構成の第１のカウンタに対する第１のカウンタ値であって、上記第１のＳＲ構成が、第１の論理チャネルに対応する、第１のカウンタ値と、
上記基地局の第２のスケジューリング要求（ＳＲ）構成の第２のカウンタに対する第２のカウンタ値であって、上記第２のＳＲ構成が、第２の論理チャネルに対応する、第２のカウンタ値と、を示す、１つ以上のメッセージを受信することと、
データが上記第１の論理チャネルに対して利用可能になることに応答して、上記第１のＳＲ構成に対応する第１のＳＲをトリガすることと、
他のＳＲが上記第１のＳＲ構成待ち状態に対応しないことに応答して、上記第１のカウンタを第１の初期値に設定することと、
データが上記第２の論理チャネルに対して利用可能になることに応答して、上記第２のＳＲ構成に対応する第２のＳＲをトリガすることと、
他のＳＲが上記第２のＳＲ構成待ち状態に対応しないことに応答して、上記第２のカウンタを第２の初期値に設定することと、
上記第１のカウンタが、上記第１のカウンタ値に到達するか、または上記第２のカウンタが、上記第２のカウンタ値に到達することに応答して、上記基地局に、ランダムアクセスプリアンブルを伝送することと、を行わせる、メモリと、を備える、無線デバイス。
（項目８６）
上記第１の論理チャネルおよび上記第２の論理チャネルが、同じ基地局へのデータ伝送のためである、項目８５に記載の無線デバイス。
（項目８７）
上記第１の初期値が、ゼロである、項目８５または８６のいずれか一項に記載の無線デバイス。
（項目８８）
上記第２の初期値が、ゼロである、項目８５〜８７のいずれか一項に記載の無線デバイス。
（項目８９）
上記１つ以上のメッセージが、上記第１のＳＲ構成のための第１のＳＲ構成インデックスと、上記第２のＳＲのための第２のＳＲ構成と、を示す、項目８５〜８８のいずれか一項に記載の無線デバイス。
（項目９０）
上記１つ以上のメッセージは、
上記第１の論理チャネルが、上記第１のＳＲ構成に対応することと、
上記第２の論理チャネルが、上記第２のＳＲ構成に対応することと、を示す、項目８５〜８９のうちのいずれか一項に記載の無線デバイス。
（項目９１）
上記第１のＳＲ構成が、１つ以上の第１のＳＲ禁止タイマ値を示し、
上記第２のＳＲ構成が、１つ以上の第２のＳＲ禁止タイマ値を示す、項目８５〜９０のうちのいずれか一項に記載の無線デバイス。
（項目９２）
上記第１の論理チャネルが、第１のサービス品質要件に対応し、上記第２の論理チャネルが、第２のサービス品質要件に対応する、項目８５〜９１のうちのいずれか一項に記載の無線デバイス。
（項目９３）
上記命令は、上記命令が実行されたとき、上記無線デバイスに、上記第１のＳＲを伝送することに応答して、上記第１のカウンタをさらにインクリメントさせる、項目８５〜９２のうちのいずれか一項に記載の無線デバイス。
（項目９４）
上記命令は、上記命令が実行されたとき、上記無線デバイスに、上記第２のＳＲを伝送することに応答して、上記第２のカウンタをさらにインクリメントさせる、項目８５〜９３のうちのいずれか一項に記載の無線デバイス。
（項目９５）
上記命令は、上記命令が実行されたとき、上記無線デバイスに、上記基地局からランダムアクセス応答をさらに受信させる、項目８５〜９４のうちのいずれか一項に記載の無線デバイス。
（項目９６）
方法であって、
無線デバイスによって、
１つ以上の第１の論理チャネル、または１つ以上の第２の論理チャネルにおける論理チャネルのための第１のパラメータと、
上記１つ以上の第１の論理チャネルに対応する第１のタイマに対する第１のタイマ値と、
上記１つ以上の第２の論理チャネルに対応する第２のタイマに対する第２のタイマ値と、を含む、構成パラメータを受信することと、
データが上記論理チャネルに対して利用可能になることに応答して、バッファステータスレポートをトリガすることと、
上記１つ以上の第１の論理チャネルが、上記論理チャネルを含むか、または上記１つ以上の第２の論理チャネルが、上記論理チャネルを含むかどうかに基づいて、上記第１のタイマまたは上記第２のタイマのうちの一方を開始することと、
アップリンクリソースが、上記バッファステータスレポートを伝送するために利用可能ではないことと、
上記第１のタイマまたは上記第２のタイマのうちの上記一方が、進行しないことと、に応答して、スケジューリング要求を伝送することと、を含む、方法。
（項目９７）
上記第１の論理チャネルおよび上記第２の論理チャネルが、同じ基地局へのデータ伝送のためである、項目９６に記載の方法。
（項目９８）
上記第１のパラメータは、データが上記第１の論理チャネルに対して利用可能になった場合、上記スケジューリング要求をトリガすることを遅延させることを示す、項目９６または９７のうちのいずれか一項に記載の方法。
（項目９９）
上記スケジューリング要求を上記伝送することと、
上記スケジューリング要求を伝送することに応答して、上記論理チャネルからデータを伝送するためのアップリンクグラントを受信しないことと、に応答して、ランダムアクセスプリアンブルを伝送することをさらに含む、項目９６〜９８のうちのいずれか一項に記載の方法。
（項目１００）
上記構成パラメータが、第１のスケジューリング要求パラメータ、および第２のスケジューリング要求パラメータを含み、
上記第１のスケジューリング要求パラメータが、上記第１のタイマに対する上記第１のタイマ値を含み、
上記第２のスケジューリング要求パラメータが、上記第２のタイマに対する上記第２のタイマ値を含む、項目９６〜９９のうちのいずれか一項に記載の方法。
【図１】
0006845535.tif 000005
【図２】
0006845535.tif 000006
【図３】
0006845535.tif 000007
【図４】
0006845535.tif 000008
【図５Ａ】
0006845535.tif 000009
【図５Ｂ】
0006845535.tif 000010
【図５Ｃ】
0006845535.tif 000011
【図５Ｄ】
0006845535.tif 000012
【図６】
0006845535.tif 000013
【図７】
0006845535.tif 000014
【図８】
0006845535.tif 000015
【図９】
0006845535.tif 000016
【図１０Ａ】
0006845535.tif 000017
【図１０Ｂ】
0006845535.tif 000018
【図１１Ａ】
0006845535.tif 000019
【図１１Ｂ】
0006845535.tif 000020
【図１１Ｃ】
0006845535.tif 000021
【図１１Ｄ】
0006845535.tif 000022
【図１１Ｅ】
0006845535.tif 000023
【図１１Ｆ】
0006845535.tif 000024
【図１２Ａ】
0006845535.tif 000025
【図１２Ｂ】
0006845535.tif 000026
【図１２Ｃ】
0006845535.tif 000027
【図１３Ａ】
0006845535.tif 000028
【図１３Ｂ】
0006845535.tif 000029
【図１４】
0006845535.tif 000030
【図１５】
0006845535.tif 000031
【図１６】
0006845535.tif 000032
【図１７】
0006845535.tif 000033
【図１８】
0006845535.tif 000034
【図１９】
0006845535.tif 000035
【図２０】
0006845535.tif 000036
【図２１】
0006845535.tif 000037
【図２２】
0006845535.tif 000038
【図２３】
0006845535.tif 000039
【図２４】
0006845535.tif 000040
【図２５】
0006845535.tif 000041
【図２６】
0006845535.tif 000042
【図２７】
0006845535.tif 000043
【図２８】
0006845535.tif 000044
【図２９】
0006845535.tif 000045
【図３０】
0006845535.tif 000046
【図３１】
0006845535.tif 000047
【図３２】
0006845535.tif 000048
【図３３】
0006845535.tif 000049
【図３４】
0006845535.tif 000050
【図３５】
0006845535.tif 000051
【図３６】
0006845535.tif 000052